(57)【要約】【課題】    建築工事の電子商取引のための受発注システムとその前提となる見積業務システムを実現するコンピュータネットワークを提供する。【解決手段】建築工事の取引実情に則した見積業務ができるように、建築地に該等する業者の施工監理者サーバを選択し、選択された施工監理者サーバ群を分散処理先とする見積業務システムを構築した。また、受発注活動が着工と直結できるように停止条件の解除を組み込んだ受発注システムを構築すると共に、建築現場の進捗に対応できる追加受発注システムを構築した。さらに、営業現場で活用できるように価格と対応する選択内容を明示すると共に、受注と連動した原価管理ができるように仕入先の販売価格に基づいた販売価格の算出システムを構築した。なお、コンピュータ間の接続を自動処理化するため、接続キーワードを各コンピュータに内蔵させた。【選択図】図１
2009122883.tif 000002
【特許請求の範囲】
【請求項１】
クライアントサーバから受信した正当な複数の固有コードで起動するシステム、受信した固有コードと建築地データ又は選択業者データに基づいて一次分散処理サーバを選択するシステム、クライアントサーバからの受信データを独立分散処理サーバに該当するデータに変換するシステム、クライアントサーバ及び独立分散処理サーバからの受信データを一次分散処理サーバに該当するデータに変換するシステム、一次分散処理サーバからの返信情報をクライアントサーバに対応する情報又は独立分散処理サーバに対応するデータに変換しクライアントサーバ又は独立分散処理サーバに送信するシステム、建築地に該当する依頼可能業者のリストを生成するシステム、及びクライアントサーバの複数の固有コードと情報流通管理サーバに内蔵された固有コードを該当データの一次分散処理サーバ又は独立分散処理サーバへの転送時に付加し一次分散処理サーバ又は独立分散処理サーバを連鎖的に起動させるシステムを有することを特徴とする情報流通管理システム。
【請求項２】
請求項１記載の情報流通管理システムにおいて、前記クライアントサーバの固有コードで取引条件を決定するシステム、受信データに基づいて分散処理させるサーバを選択するシステム、受信データを選択した二次分散処理サーバに該当するデータに変換するシステム、返信情報を情報流通管理サーバの有給する情報に変換するシステム、一次分散処理サーバに内蔵された固有コードを該当データの二次分散処理サーバへの転送時に付加し二次分散処理サーバを連鎖的に起動させるシステムを有する一次分散処理サーバを情報流通管理サーバの正当な固有コードで起動させることを特徴とする情報流通管理システム。
【請求項３】
請求項２記載の情報流通管理システムにおいて、詳細な仕様・構成部品・色柄等の選択を可能とする仕様選択ページを生成するシステム、受信データに基づいて該当する写映像を自動的に生成するシステム、発注データを資材受注データとして取得し関連するデータベースに転送するシステムを有する二次分散処理サーバを正当な固有コードで起動させる一次分散処理サーバを情報流通管理サーバの正当な固有コードで起動させることを特徴とする情報流通管理システム。
【請求項４】
請求項２記載の情報流通管理システムにおいて、発注データを施工依頼データとして取得し関連するデータベースに転送するシステム、施工者に配置工程のデータを転送するシステムを有する二次分散処理サーバを正当な固有コードで起動させる一次分散処理サーバを情報流通管理サーバの正当な固有コードで起動させることを特徴とする情報流通管理システム。
【請求項５】
請求項１乃至２記載の情報流通管理システムにおいて、情報流通管理サーバから取得した前記クライアントサーバの固有コードと顧客データに基づいて顧客に関連する情報を検索するデータベース、情報流通管理サーバから取得したデータに基づいて一次分散処理サーバからデータを取得し業務処理するデータベースを起動させるシステムを有する独立分散処理サーバを情報流通管理サーバの正当な固有コードで起動させることを特徴とする情報流通管理システム。
【請求項６】
請求項１乃至５記載の情報流通管理システムにおいて、CADソフトやグラフィックソフトで作成した予定建築物の価格算出に必要な数量等の各種データを算出するソフト、写映像化された展示住宅の選択で建築物の標準仕様データを算出するシステム、変更する仕様・部品を算出するシステム、選択内容に基づいて変更データを算出するシステム、確定した仕様・業者データを発注データとして算出するシステム、及びクライアントサーバに内臓された複数の固有コードを算出データの転送時に付加するシステムを有するクライアントサーバからのデータで起動することを特徴とする情報流通管理システム。
【請求項７】
請求項１乃至５記載の情報流通管理システムにおいて、情報流通管理サーバに存在する受信すべきデータを検索・抽出したデータを受信するシステム、受信したデータに対する回答を返信情報として発信するシステム、及び一次分散処理サーバに内臓された複数の固有コードをアクセス時に付加するシステムを有することを特徴とする情報流通管理システム。
【請求項８】
請求項１乃至５記載の情報流通管理システムにおいて、情報流通管理サーバに存在する受信すべきデータを検索・抽出したデータを受信するシステム、受信したデータに対する回答を返信情報として発信するシステム、及び二次分散処理サーバに内蔵された複数の固有コードをアクセス時に付加するシステムを有することを特徴とする情報流通管理システム。
【発明の詳細な説明】
【技術分野】
【０００１】
本発明は、建築工事の電子商取引における情報の流通を管理する分散処理システムに関するものである。
【背景技術】
【０００２】
建築工事という商材は、不動産であり完成品として運べないということから、納品先が完成工場であるという特徴を持っている。そのことから、現場施工費を中心として、地域価格差・業者価格差や業者の販売促進などの諸事情を前提とした商品であるという特徴を持つことにもなる。また、複数の資材と構造体との集合体として提案される商品であるという特徴を持っている。そのことから、本質的には、不特定多数の企業のジョイントベンチャーで生産される商品であるという特徴を持つことにもなる。しかしながら、従来の電子商取引の技術は、購入者にとって完成品である商材の提供を前提としている。従って、仕様限定住宅の受注や建売住宅・中古住宅の販売、マンションの分譲、建築資材の購入は可能であるが、建築工事の電子商取引は実現されていない。
【０００３】
建築工事は、設計図書を創造する工程と設計図書に基づいて商品を完成させる工程を通じて提供される商品であるという特徴も持っている。効率的に設計図書を完成するものとして、消費者の要望する住宅をバーチャルの世界で作成するグラフィックソフトやCADソフトが提供されている。販売価格も元請企業の経験値に基づいた単価マスタを作成することで表示できるようになっている。また、単価マスタの作成には積算事務所のデータを活用することも模索されている。しかしながら、発注価格は工務担当者が異なるデータ構造の実行予算として邸別に算出することを基本としているので、発注先の販売価格を前提とするゼロクッションベースでの価格提示は実現されない。
【０００４】
資材会社や躯体会社等では、経費削減を実現する手段としてコンピューターネットワークが導入され、生産工程ではサプライチェーンが形成されている場合もある。しかしながら、受注情報は流通経路の各担当者を通じて伝達され、コンピューターネットワークへのデータ入力は流通経路の各社で行われている。また、既存グラフィックソフトやCADソフトで算出されたデータで、既存コンピューターネットワークを稼動させる手段は提供されていない。
【特許文献１】特許第３４０７６０２号公報
【特許文献２】特開平１１−３９３９０号公報
【特許文献３】特開２００１−３２５３２６号公報
【特許文献４】特開２００２−４１８７９号公報
【特許文献５】特開２００５−２４２９２３号公報
【発明の開示】
【発明が解決しようとする課題】
【０００５】
従来の営業支援ソフト・原価管理ソフト及び電子商取引の技術を活用して建築工事の電子商取引を実現しようとする場合、以下のような問題を解決することが必要であった。
（１）   プレゼンテーションと連動したゼロクッションベースの発注価格を業者から自動的に取得すると共に、それに基づいた販売価格を算出し提示すること。
（２）   取得した発注価格データに基づいて、連鎖的な受発注処理を可能にすること。
（３）   各種ソフトから最新のWeb情報を取得可能にすること。
（４）   上記の処理を複数のサーバに対して同時実行すると共に、各社のコンピューターネットワークへのデータ入力を自動処理すること。
本発明はかかる事情に鑑みてなされたもので、建築工事の電子商取引を実現する情報流通管理システムを提供することを目的とする。
【課題を解決するための手段】
【０００６】
前記目的に沿う第１の発明に係る情報流通管理システムは、クライアントサーバと不特定多数の一次分散処理サーバとの情報交換を連鎖的に処理できるようにしていることを最も主要な特徴とする。
【０００７】
第２の発明に係る情報流通管理システムは、第１の発明に係る情報流通管理サーバを一次分散処理サーバから利用可能にしていることを最も主要な特徴とする。
【０００８】
第３乃至第４の発明に係る情報流通管理システムは、第１の発明に係る情報流通管理サーバを二次分散処理サーバから連鎖的に利用可能にしていることを最も主要な特徴とする。
【０００９】
第５の発明に係る情報流通管理システムは、第１の発明に係る情報流通管理サーバを独立分散処理サーバから利用可能にしていることを最も主要な特徴とする。
【００１０】
第６の発明に係る情報流通管理システムは、第１の発明に係る情報流通管理サーバをCADソフト又はグラフィックソフトから利用可能にしていることを最も主要な特徴とする。
【００１１】
第７乃至第８の発明に係る情報流通管理システムは、第１の発明に係る情報流通管理サーバを一次分散処理サーバ及び二次分散処理サーバから利用可能にしていることを最も主要な特徴とする。
【発明の効果】
【００１２】
請求項１〜８記載の情報流通管理システムにおいては、Webブラウザからの受信データに基づいてコンピュータ同士が連鎖的に稼動する仕組としたので、情報伝達業務やデータ入力業務などの自動化を実現できるという利点がある。また、仕入先の販売価格データを自らの仕入価格データとして取得する仕組としたので、実行予算作成業務や発注業務をプレゼンテーションと連動させたという利点がある。さらに、インターネット環境を利用するので、新素材・新商品の情報を活用でき、消費者の要望に沿ったパーツ構成を提案できるという利点がある。その上、地域価格差・業者価格差・業者の販売促進などの諸事情を踏まえた価格を提示する仕組としたので、建築地に合致した最適な業者を選択できるという利点がある。
【００１３】
請求項１〜８記載の情報流通管理システムは、従来技術である営業支援ソフト・原価管理ソフトとクライアントサーバを連携させることで営業支援ソフト・原価管理ソフトとして活用できるという利点がある。また、Webブラウザからの受信データに基づいて、写映像の表示や価格を算出する仕組として活用できるので、消費者は予算や好みに合わせた商品の選択を実現できるという利点がある。
【発明を実施するための最良の形態】
【００１４】
本システムは、クライアントサーバからのデータを解析し関連する各サーバにデータを送信すると共に関連する各サーバからのデータを融合しクライアントサーバに情報発信する情報流通管理サーバと、分散処理する一次分散処理サーバ（施工監理業務を管理するサーバ群）、二次分散処理サーバ（建築資材の生産を管理するサーバ群・施工者の配置を管理するサーバ群）、独立分散処理サーバ（建築確認及び検査業務を管理するサーバ群・建築資金を管理するサーバ群）で構成されたシステム、及び許可されたアクセス手段としてのクライアントサーバ（設計業務を支援するサーバ群）、一次分散処理サーバ及び二次分散処理サーバ（施工者の配置を管理するサーバ群）によって構成されている。
【００１５】
情報流通管理サーバを起動すると、すべてのクライアント及び施工監理者・施工者配置管理者に対して共有されるデータ格納領域に、情報流通管理サーバを特定するコードを格納する。その後、情報流通管理サーバを停止させない限りデータ受信プログラムを常駐させ、クライアントサーバ又は施工監理業務を管理するサーバ・施工者の配置を管理するサーバからのデータ送信に対して待機する。クライアントサーバ又は施工監理業務を管理するサーバ・施工者の配置を管理するサーバからデータを受信すると、受信データからクライアントサーバ又は施工監理業務を管理するサーバ・施工者の配置を管理するサーバを特定するコードを抽出する。また、他のクライアントサーバ及び施工監理業務を管理するサーバ・施工者の配置を管理するサーバからのデータ送信に対してスレッド起動可能状態で待機する。
【００１６】
抽出したクライアントコード又は施工監理者コード・施工者配置管理者コードを利用者確認データベースに移し、クライアントサーバ又は施工監理業務を管理するサーバ・施工者の配置を管理するサーバの情報流通管理サーバに対する登録ナンバーを検索する。登録ナンバーを検出できない場合は、クライアントサーバ又は施工監理業務を管理するサーバ・施工者の配置を管理するサーバにアクセス権が存在しない旨の情報を返信すると共に、以後の処理を停止する。
【００１７】
登録ナンバーを検出でき且つ受信先が施工監理業務を管理するサーバ・施工者の配置を管理するサーバの場合は、検出した登録ナンバーに基づいてデータを格納するオブジェクトを生成すると共に、該施工監理者又は施工者配置管理者専用のデータ格納領域を確保する。受信データから業務処理プログラムのデータを抽出する。業務処理プログラムのデータを除く全データを生成したオブジェクトに格納し、指定された業務処理プログラムにオブジェクトを転送し、業務処理プログラムを起動させる。
【００１８】
登録ナンバーを検出でき且つ受信先がクライアントサーバの場合は、受信データから顧客データ・住所地データ・建築地データを抽出する。受信データが物件登録依頼プログラムに基づいたデータの場合は、受信した顧客データ・住所地データ・建築地データ等を物件登録データベースに登録する。受信データが物件登録依頼プログラム以外に基づいたデータの場合は、顧客データ・住所地データ・建築地データを物件登録データベースに移し、物件ナンバーを検索する。物件ナンバーを検出できない場合はクライアントサーバに物件が存在しない旨の情報を返信すると共に、以後の処理を停止する。物件ナンバーを検出できた場合は、物件ナンバーに基づいてデータを格納するオブジェクトを生成すると共に、該クライアント専用のデータ格納領域を確保する。
【００１９】
受信データから分散処理を依頼すべき一次分散処理サーバのデータを抽出する。一次分散処理サーバのデータが抽出できた場合は、受信データを生成したオブジェクトに格納する。一次分散処理サーバのデータが抽出できない場合は、業務処理データベースから一次分散処理サーバのデータを検索する。業務処理データベースから一次分散処理サーバのデータを検出できた場合は、検出データをオブジェクトに格納する。データを検出できない場合は、クライアント情報データベースから建築地に該当する一次分散処理サーバのデータを検索する。クライアント情報データベースから一次分散処理サーバのデータを検出できた場合は、検出データをオブジェクトに格納する。データを検出できない場合は、商品情報データベースから建築地に該当する一次分散処理サーバのデータを検索する。商品情報データベースから一次分散処理サーバのデータを検出できた場合は、検出データをオブジェクトに格納する。データを検出できない場合は、建築地には該当施工監理者がない旨の情報を返信すると共に、以後の処理を停止する。
【００２０】
受信データから業務処理プログラムのデータを抽出する。受信データから一次分散処理サーバのデータ及び業務処理プログラムのデータを除き、クライアントサーバを特定するコードを含む全データをオブジェクトに格納する。抽出された業務処理プログラムにオブジェクトを転送し、業務処理プログラムを起動させる。
【００２１】
すべてのクライアント及び施工監理者・施工者配置管理者に対して共有されるデータ格納領域から、情報流通管理サーバを特定するコードを抽出し、該クライアント専用のデータ格納領域のオブジェクトにデータを格納する。業務処理プログラムで指定された一次分散処理サーバでの業務処理プログラムデータをオブジェクトに格納する。分散処理データベースから分散処理を依頼するサーバのアドレスを検出し、検出できたアドレスのサーバにオブジェクト内全データを転送する。
【００２２】
一次分散処理サーバを起動すると、すべての物件に対して共有されるデータ格納領域に一次分散処理サーバを特定するコードを格納する。その後、停止させない限りデータ受信プログラムを常駐させ、情報流通管理サーバからのデータ送信に対して待機する。情報流通管理サーバからデータを受信すると、受信データから情報流通管理サーバを特定するコードを抽出する。抽出した情報流通管理コードが一次分散処理サーバに登録させた情報流通管理コードと合致するかを検証する。抽出した情報流通管理コードが登録させた情報流通管理コードと合致しない場合は、以後の処理を停止する。抽出した情報流通管理コードが登録させた情報流通管理コードと合致した場合は、受信データからクライアントデータと顧客データを抽出する。抽出したクライアントデータと顧客データに基づいてデータを格納するオブジェクトを生成し、該物件専用のデータ格納領域を確保する。また、情報流通管理サーバからの別物件に対してスレッド起動可能状態で待機する。
【００２３】
受信データから建築資材データを抽出する。抽出した建築資材データを建築資材データベースに移し、建築資材の生産を管理する二次分散処理サーバのデータを検索し、検出したデータをオブジェクトに格納する。
【００２４】
受信データから依頼すべき施工者配置管理者のデータを抽出する。施工者配置管理者のデータを抽出できた場合は、業務処理データベースから受信データに対応する施工者配置管理者ナンバーを検索する。検出された施工者配置管理者ナンバーをオブジェクトに格納する。施工者配置管理者のデータを抽出できない場合は、業務処理データベースからクライアントデータと建築地データをキーワードとして施工者配置管理者ナンバーを検索する。施工者配置管理者ナンバーを検出できた場合は、施工者配置管理者ナンバーをオブジェクトに格納する。施工者配置管理者ナンバーを検出できない場合は、業務処理データベースから建築地データをキーワードとして施工者配置管理者ナンバーを再検索する。施工者配置管理者ナンバーを検出できた場合は、施工者配置管理者ナンバーをオブジェクトに格納する。施工者配置管理者ナンバーを検出できない場合は、建築地には該当施工者配置管理者がない旨の情報を返信すると共に、以後の処理を停止する。
【００２５】
受信データから業務処理プログラムのデータを抽出する。受信データから施工者配置管理者のデータ・情報流通管理サーバを特定するコード及び業務処理プログラムのデータを除き、全データをオブジェクトに格納する。抽出された業務処理プログラムにオブジェクトを転送し、業務処理プログラムを起動させる。
【００２６】
すべての物件に対して共有されるデータ格納領域から、一次分散処理サーバを特定するコードを抽出し、該物件専用のデータ格納領域のオブジェクトにデータを格納する。業務処理プログラムで指定された二次分散処理サーバでの業務処理プログラムデータをオブジェクトに格納する。オブジェクトから二次分散処理サーバのデータを抽出し、抽出データを分散処理データベースに移し、分散処理を依頼するサーバのアドレスを検索する。検出できたアドレスのサーバにオブジェクト内全データを転送する。
【００２７】
建築資材の生産を管理するサーバを起動すると、停止させない限りデータ受信プログラムを常駐させ、一次分散処理サーバからのデータ送信に対して待機する。一次分散処理サーバからデータを受信すると、受信データから一次分散処理サーバを特定するコードを抽出する。また、他の一次分散処理サーバからのデータ送信に対してスレッド起動可能状態で待機する。
【００２８】
抽出した一次分散処理コードを施工監理者確認データベースに移し、施工監理者ナンバーを検索する。施工監理者ナンバーを検出できない場合は以後の処理を停止する。施工監理者ナンバーを検出できた場合は受信データから顧客データを抽出する。施工監理者ナンバーと顧客データを物件管理データベースに移し、物件ナンバーを検索する。
【００２９】
物件ナンバーを検出できた場合は、受信したデータに基づいて物件管理データベースの修正登録を行う。物件ナンバーを検出できない場合は、物件管理データベースに新規物件登録を行い、受信データを登録する。再度、施工監理者ナンバーと顧客データに基づいて物件ナンバーを検索する。
【００３０】
検出された物件ナンバーに基づいてデータを格納するオブジェクトを生成し、該物件専用のデータ格納領域を確保する。受信データから業務処理プログラムのデータを抽出する。受信データから業務処理プログラムのデータを除く全データをオブジェクトに格納する。抽出された業務処理プログラムにオブジェクトを転送し、業務処理プログラムを起動させる。
【００３１】
施工者の配置を管理するサーバを起動すると、全アクセス者に対して共有されるデータ格納領域に施工者の配置を管理するサーバを特定するコードを格納する。その後、停止させない限りデータ受信プログラムを常駐させ、一次分散処理サーバからのデータ送信に対して待機する。一次分散処理サーバからデータを受信すると、受信データから一次分散処理サーバを特定するコードを抽出する。また、他の一次分散処理サーバからのデータ送信に対してスレッド起動可能状態で待機する。
【００３２】
抽出した一次分散処理コードを施工監理者確認データベースに移し、施工監理者ナンバーを検索する。施工監理者ナンバーを検出できない場合は以後の処理を停止する。施工監理者ナンバーを検出できた場合は受信データから顧客データを抽出する。施工監理者ナンバーと顧客データを物件管理データベースに移し、物件ナンバーを検索する。
【００３３】
物件ナンバーを検出できた場合は、受信したデータに基づいて物件管理データベースの修正登録を行う。物件ナンバーを検出できない場合は、物件管理データベースに新規物件登録を行い、受信データを登録する。再度、施工監理者ナンバーと顧客データに基づいて物件ナンバーを検索する。検出された物件ナンバーに基づいてデータを格納するオブジェクトを生成し、該物件専用のデータ格納領域を確保する。
【００３４】
受信データから業務処理プログラムのデータを抽出する。受信データから業務処理プログラムのデータを除く全データをオブジェクトに格納する。抽出された業務処理プログラムにオブジェクトを転送し、業務処理プログラムを起動させる。
【００３５】
独立分散処理サーバを起動すると、停止させない限りデータ受信プログラムを常駐させ、クライアントサーバ及び情報流通管理サーバからのデータ送信に対して待機する。クライアントサーバ又は情報流通管理サーバからデータを受信すると、受信データからクライアントサーバ又は情報流通管理サーバを特定するコードを抽出する。また、他のクライアントサーバ又は情報流通管理サーバからのデータ送信に対してスレッド起動可能状態で待機する。
【００３６】
抽出したクライアントコード又は情報流通管理コードをアクセス者確認データベースに移し、アクセス者ナンバーを検索する。アクセス者ナンバーを検出できない場合は、以後の処理を停止する。アクセス者ナンバーを検出できた場合は、受信データから顧客データ・住所地データ・建築地データを抽出する。
【００３７】
受信データがクライアントサーバの物件登録依頼プログラムに基づいたデータの場合は、受信した顧客データ・住所地データ・建築地データを物件登録データベースに登録する。受信データがクライアントサーバの物件登録依頼プログラム以外に基づいたデータの場合は、顧客データ・住所地データ・建築地データを物件登録データベースに移し、物件ナンバーを検索する。物件ナンバーを検出できない場合は以後の処理を停止する。物件ナンバーを検出できた場合は、物件ナンバーに基づいてデータを格納するオブジェクトを生成すると共に、該物件専用のデータ格納領域を確保する。
【００３８】
受信データから業務処理プログラムのデータを抽出する。情報流通管理コード及び業務処理プログラムのデータを除き、クライアントサーバを特定するコードを含む全データをオブジェクトに格納する。指定された業務処理プログラムにオブジェクトを転送し、業務処理プログラムを起動させる。
【００３９】
クライアントサーバを起動すると、すべてのWebブラウザに対して共有されるデータ格納領域にクライアントサーバを特定するコードを格納する。その後、停止させない限りデータ受信プログラムを常駐させ、Webブラウザからのデータ送信に対して待機する。Webブラウザからアクセスがあると、IDナンバーとパスワードの入力画面を表示する。また、他のWebブラウザからのアクセスに対してスレッド起動可能状態で待機する。
【００４０】
受信したIDナンバーとパスワードを利用者確認データベースに移し、Webブラウザナンバーを検索する。Webブラウザナンバーを検出できない場合は、再度IDナンバーとパスワードの入力画面を表示すると共に、以後の処理を停止する。Webブラウザナンバーを検出できた場合は、顧客コードを検索するために必要な項目を入力する画面を表示する。
【００４１】
受信したデータを物件登録データベースに移し、受信データに基づいて物件ナンバーを検索する。物件ナンバーを検出できた場合は、物件ナンバーに基づいてデータを格納するオブジェクトを生成すると共に、該物件専用のデータ格納領域を確保する。物件登録データベースから物件ナンバーに基づいて、顧客データ・住所地データ・建築地データを検索し、検出されたデータをオブジェクトに格納し、業務選択ページを表示する。物件ナンバーを検出できない場合は、受信したデータに基づいて物件ナンバーを設定し、基本情報確認ページを表示する。
【００４２】
基本情報確認ページから受信したデータを物件登録データベースに移し、受信データに基づいて物件ナンバーを検索する。検出した物件ナンバーに基づいて、受信した基本情報を物件登録データベースに追加する。また、検出された物件ナンバーに基づいてデータを格納するオブジェクトを生成すると共に、該物件専用のデータ格納領域を確保する。受信データをオブジェクトに格納する。情報流通管理サーバへの物件登録依頼プログラムにオブジェクトを転送する。
【００４３】
物件登録依頼プログラムでは、すべてのWebブラウザに対して共有されるデータ格納領域から、クライアントサーバを特定するコードを抽出する。抽出したクライアントを特定するコードをオブジェクトに格納する。オブジェクト内全データを情報流通管理サーバへ転送する。転送終了後、該物件専用のデータ格納領域からオブジェクトを取り除く。
【００４４】
物件ナンバーに基づいて、データを格納するオブジェクトを生成し、該物件専用のデータ格納領域に格納する。物件登録データベースから顧客データ・住所地データ・建築地データを検索する。検出された顧客データ・住所地データ・建築地データを生成されたオブジェクトに格納し、処理業務選択ページを表示する。
【００４５】
処理業務選択ページから受信したデータに基づいて、業務処理プログラムを抽出する。抽出された業務処理プログラムにオブジェクトを転送し、業務処理プログラムを起動させる。
【００４６】
業務処理プログラムで指定された情報流通管理サーバでの業務処理プログラムデータをオブジェクトに格納する。また、すべてのWebブラウザに対して共有されるデータ格納領域から、クライアントサーバを特定するコードを抽出する。抽出されたクライアントを特定するコードをオブジェクトに格納する。オブジェクト内全データを情報流通管理サーバへ転送する。
【００４７】
一次分散処理サーバにWebブラウザからアクセスがあると、IDナンバーとパスワードの入力画面を表示する。受信したIDナンバーとパスワードが一次分散処理サーバに登録させたIDナンバー及びパスワードと合致するかを検証する。抽出したIDナンバーとパスワードが登録させたIDナンバー及びパスワードと合致しない場合は、再度IDナンバーとパスワードの入力画面を表示すると共に、以後の処理を停止する。
【００４８】
抽出したIDナンバーとパスワードが登録させたIDナンバー及びパスワードと合致した場合は、アクセス者のデータを格納するオブジェクトを生成すると共に、該アクセス者専用のデータ格納領域を確保する。全アクセス者に対して共有されるデータ格納領域から、一次分散処理サーバを特定するコードを抽出し、生成したオブジェクトに格納する。
【００４９】
オブジェクト内データを情報流通管理サーバへ転送し、情報流通管理サーバからの返信データを各業務処理の顧客リストとして取込んだ処理業務選択ページを表示し、該アクセス者専用のデータ格納領域からオブジェクトを取り除く。
【００５０】
受信した顧客コードに基づいて、データを格納するオブジェクトを生成し、該アクセス者専用のデータ格納領域に格納する。受信した業務処理プログラムデータに基づいて、業務処理プログラムにオブジェクトを転送し、業務処理プログラムを起動させる。
【００５１】
施工者の配置を管理するサーバにWebブラウザからアクセスがあると、IDナンバーとパスワードの入力画面を表示する。受信したIDナンバーとパスワードが施工者の配置を管理するサーバに登録させたIDナンバー及びパスワードと合致するかを検証する。抽出したIDナンバーとパスワードが登録させたIDナンバー及びパスワードと合致しない場合は、再度IDナンバーとパスワードの入力画面を表示すると共に、以後の処理を停止する。
【００５２】
抽出したIDナンバーとパスワードが登録させたIDナンバー及びパスワードと合致した場合は、アクセス者のデータを格納するオブジェクトを生成すると共に、該アクセス者専用のデータ格納領域を確保する。全アクセス者に対して共有されるデータ格納領域から、施工者の配置を管理するサーバを特定するコードを抽出し、生成したオブジェクトに格納する。
【００５３】
オブジェクト内データを情報流通管理サーバへ転送し、情報流通管理サーバからの返信データを各業務処理の顧客リストとして取込んだ処理業務選択ページを表示し、該アクセス者専用のデータ格納領域からオブジェクトを取り除く。
【００５４】
受信した顧客コードに基づいて、データを格納するオブジェクトを生成し、該アクセス者専用のデータ格納領域に格納する。受信した業務処理プログラムデータに基づいて、業務処理プログラムにオブジェクトを転送し、業務処理プログラムを起動させる。
【００５５】
次に、本発明の見積業務処理の具体的な実施形態につき説明し、本発明の理解に供する。
【実施例１】
【００５６】
業務処理のデータとして「標準仕様販売価格の算出」を受信したクライアントサーバは、オブジェクトから物件ナンバーを検出する。検出した物件ナンバーをデータベースに移し、商品となる住宅のデータを検索する。商品となる住宅のデータを検出できない場合は、デフォルトとして指定された商品となる住宅の標準仕様を映像や動画・写像・グラフィック画像等で表示すると共に、「標準仕様の決定」や「商品の選択」等の業務処理を選択できるようにした画面を表示する。商品となる住宅のデータを検出できた場合は、検出された商品となる住宅の標準仕様を映像や動画・写像・グラフィック画像等で表示すると共に、「標準仕様の確定」や「商品の再選択」等の業務処理を選択できるようにした画面を表示する。
【００５７】
業務処理のデータとして「標準仕様の決定」を受信したクライアントサーバは、デフォルトとして指定された商品となる住宅のデータをデータベースに追加登録すると共に、デフォルトの品番・デフォルトの施工監理者のデータ等をデータベースの該当レコードに追加登録する。また、作成間取・仕様数量と選択仕様の整合性を確認できる業務履歴と共に、「作成間取データの取得」や「標準仕様価格一括算出」・「標準仕様価格確認」等の業務処理を選択できるようにした画面を表示する。
【００５８】
業務処理のデータとして「商品の選択」を受信したクライアントサーバは、データベースから商品となる住宅のデータを検索する。検出されたデータ群をオブジェクトに格納し、オブジェクト内全データを情報流通管理サーバへ転送する。
【００５９】
オブジェクト内全データを受信した情報流通管理サーバは、転送されたオブジェクトから商品となる住宅のデータ群を抽出し、抽出されたデータ群をデータベースに移す。抽出データ群以外の商品となる住宅で、該クライアントサーバに表示を許可された商品となる住宅群を、データベースから検索する。オブジェクトから抽出されたデータ群及びデータベースから検出されたデータ群を、商品となる住宅の選択データを発信する性能を持った写像・画像として画面表示するデータを返信する。
【００６０】
商品となる住宅の選択データを受信したクライアントサーバは、受信データをデータベースに移し、受信データに対応する商品コードを検索する。データを検出できた場合は、選択された商品となる住宅のデータをデータベースに追加登録すると共に、検出データに対応する品番・施工監理者のデータ等をデータベースの該当レコードに追加登録し、選択された商品となる住宅の標準仕様を映像や動画・写像・グラフィック画像等で表示すると共に、「標準仕様の確定」や「商品の再選択」等の業務処理を選択できるようにした画面を表示する。データを検出できない場合は、オブジェクトに検出データを格納し、オブジェクト内全データを情報流通管理サーバへ転送する。
【００６１】
オブジェクト内全データを受信した情報流通管理サーバは、転送されたオブジェクトから選択データを抽出し、抽出されたデータをデータベースに移し、抽出データに対応する商品コードを検索する。検出データ及び検出データに対応する品番・施工監理者のデータ等をオブジェクトに格納し、オブジェクト内全データをクライアントサーバへ転送する。
【００６２】
オブジェクト内全データを受信したクライアントサーバは、転送されたオブジェクトの全データをデータベースに移し、商品コードに対応する住宅のデータとして追加登録すると共に、選択された商品となる住宅のデータとして追加登録し、対応する品番・施工監理者のデータ等を該当レコードに追加登録する。また、選択された商品となる住宅の標準仕様を映像や動画・写像・グラフィック画像等で表示すると共に、「標準仕様の確定」や「商品の再選択」等の業務処理を選択できるようにした画面を表示する。
【００６３】
業務処理のデータとして「標準仕様の確定」を受信したクライアントサーバは、作成間取・仕様数量と選択仕様の整合性を確認できる業務履歴と共に、「作成間取データの取得」や「標準仕様価格一括算出」・「標準仕様価格確認」等の業務処理を選択できるようにした画面を表示する。
【００６４】
業務処理のデータとして「商品の再選択」を受信したクライアントサーバは、データベースから商品となる住宅のデータを検索する。検出されたデータ群をオブジェクトに格納し、オブジェクト内全データを情報流通管理サーバへ転送する。
【００６５】
オブジェクト内全データを受信した情報流通管理サーバは、転送されたオブジェクトから商品となる住宅のデータ群を抽出し、抽出されたデータ群をデータベースに移す。抽出データ群以外の商品となる住宅で、該クライアントサーバに表示を許可された商品となる住宅群を、データベースから検索する。オブジェクトから抽出されたデータ群及びデータベースから検出されたデータ群を、商品となる住宅の選択データを発信する性能を持った写像・画像として画面表示するデータを返信する。
【００６６】
商品となる住宅の選択データを受信したクライアントサーバは、受信データをデータベースに移し、受信データに対応する商品コードを検索する。データを検出できた場合は、選択された商品となる住宅のデータをデータベースに変更登録すると共に、検出データに対応する品番・施工監理者のデータ等をデータベースの該当レコードに変更登録し、選択された商品となる住宅の標準仕様を映像や動画・写像・グラフィック画像等で表示すると共に、「標準仕様の確定」や「商品の再選択」等の業務処理を選択できるようにした画面を表示する。データを検出できない場合は、オブジェクトに検出データを格納し、オブジェクト内全データを情報流通管理サーバへ転送する。
【００６７】
オブジェクト内全データを受信した情報流通管理サーバは、転送されたオブジェクトから選択データを抽出し、抽出されたデータをデータベースに移し、抽出データに対応する商品コードを検索する。検出データ及び検出データに対応する品番・施工監理者のデータ等をオブジェクトに格納し、オブジェクト内全データをクライアントサーバへ転送する。
【００６８】
オブジェクト内全データを受信したクライアントサーバは、転送されたオブジェクトの全データをデータベースに移し、商品コードに対応する住宅のデータとして追加登録すると共に、選択された商品となる住宅のデータとして変更登録し、対応する品番・施工監理者のデータ等を該当レコードに変更登録する。また、選択された商品となる住宅の標準仕様を映像や動画・写像・グラフィック画像等で表示すると共に、「標準仕様の確定」や「商品の再選択」等の業務処理を選択できるようにした画面を表示する。
【００６９】
業務処理のデータとして「作成間取データの取得」を受信したクライアントサーバは、Webブラウザと同一のコンピュータに内蔵されたサーバにジャンプし、顧客コードを検索するために必要な項目を入力する画面を表示する。
【００７０】
Webブラウザと同一のコンピュータに内蔵されたサーバは、受信したデータをデータベースに移し、受信データに基づいて物件ナンバーを検索する。物件ナンバーを検出できない場合は、受信したデータに基づいて物件ナンバーを設定し、再度物件ナンバーを検索する。間取作成ソフトやCADソフトから算出された予定建築物の数量等のデータを格納したデータベースから、顧客コード検索項目に基づいて数量等のデータを検出する。
【００７１】
顧客コードに基づいて、データを格納するオブジェクトを生成すると共に、該物件専用のデータ格納領域を確保する。生成されたオブジェクトに検出されたデータを格納する。業務処理プログラムからWebブラウザと同一のコンピュータに内蔵されたサーバを特定するコードを抽出し、オブジェクトに抽出されたデータを格納する。オブジェクト内全データをクライアントサーバへ転送する。
【００７２】
オブジェクト内全データを受信したクライアントサーバは、受信データからWebブラウザと同一のコンピュータに内蔵されたサーバを特定するコードを抽出する。抽出したコードをデータベースに移し、クライアントサーバに対する利用者ナンバーを検索する。利用者ナンバーを検出できない場合は、アクセス権が存在しない旨の情報を返信すると共に、以後の処理を停止する。
【００７３】
利用者ナンバーを検出できた場合は、受信データから顧客コード検索項目を抽出する。抽出したデータを物件登録データベースに移し、抽出したデータに基づいて物件ナンバーを検索する。物件ナンバーを検出できない場合は、物件が存在しない旨の情報を返信すると共に、以後の処理を停止する。物件ナンバーを検出できた場合は、受信した全データをデータベースに移し、物件ナンバーに対応する算出数量として該当レコードに追加登録又は変更登録し、クライアントサーバの顧客コード検索項目の再入力画面にジャンプする。
【００７４】
顧客コード検索項目のデータを受信したクライアントサーバは、受信したデータを物件登録データベースに移し、受信データに基づいて物件ナンバーを検索する。物件ナンバーを検出できない場合は、再度顧客コード検索項目の再入力画面を表示すると共に、以後の処理を停止する。物件ナンバーを検出できた場合は、検出された物件ナンバーに基づいてデータを格納するオブジェクトを生成すると共に、該物件専用のデータ格納領域を確保する。物件登録データベースから物件ナンバーに基づいて、顧客データ・住所地データ・建築地データを検索し、検出されたデータをオブジェクトに格納する。
【００７５】
物件ナンバーをデータベースに移し、商品となる住宅のデータを検索する。検出された商品となる住宅の標準仕様を映像や動画・写像・グラフィック画像等で表示すると共に、「商品の再選択」や「標準仕様価格一括算出」・「標準仕様価格確認」等の業務処理を選択できるようにした画面を表示する。
【００７６】
業務処理のデータとして「標準仕様価格一括算出」を受信したクライアントサーバは、オブジェクトから物件ナンバーを抽出する。抽出された物件ナンバーに基づいて、データベースから登録された商品を構成する工種のコードと品番・算出数量・施工監理者の全組合せを取り出し、取り出した組合せを配列化してオブジェクトに格納し、オブジェクト内全データを情報流通管理サーバへ転送する。見積を依頼した旨の表示をすると共に、処理業務を選択できるようにした画面を表示する。
【００７７】
オブジェクト内全データを受信した情報流通管理サーバは、転送されたオブジェクトから建築地データ及び工種のコードと品番・算出数量・施工監理者の配列を抽出する。抽出した全データをデータベースに追加登録又は変更登録する。また、抽出した工種のコードと建築地データをデータベースに移し、建築地に対応する工種毎の施工監理者群を検索する。各工種毎に、抽出した工種に対応する施工監理者と検出した施工監理者群とのデータを比較し、同一のデータが含まれるか否かを確認する。
【００７８】
同一のデータが含まれる場合は、新たなオブジェクトを生成し、該クライアント専用のデータ格納領域に格納する。新オブジェクトに、顧客データ・住所地データ・建築地データ及び該当する工種のコード・品番・算出数量を格納する。また、転送されたオブジェクトからクライアントサーバを特定するコードを抽出し、抽出したクライアントサーバを特定するコードを新オブジェクトに格納する。さらに、プログラムから依頼すべき業務処理プログラムのコードを抽出し、抽出したプログラムのコードを新オブジェクトに格納する。分散処理データベースから一次分散処理サーバのアドレスを検索し、検出できた一次分散処理サーバのアドレスに新オブジェクト内の全データを転送する。転送後には、該クライアント専用のデータ格納領域から新オブジェクトを取り除く。
【００７９】
同一のデータが含まれない場合は、建築地に対応する施工監理者群の最初のデータを、施工監理者としてデータベースに変更登録する。新たなオブジェクトを生成し、該クライアント専用のデータ格納領域に格納する。新オブジェクトに、顧客データ・住所地データ・建築地データ・及び該当する工種のコード・品番・算出数量を格納する。また、転送されたオブジェクトからクライアントサーバを特定するコードを抽出し、抽出したクライアントサーバを特定するコードを新オブジェクトに格納する。さらに、プログラムから依頼すべき業務処理プログラムのコードを抽出し、抽出したプログラムのコードを新オブジェクトに格納する。分散処理データベースから、一次分散処理サーバのアドレスを検索し、検出できた一次分散処理サーバのアドレスに新オブジェクト内の全データを転送する。転送後には、該クライアント専用のデータ格納領域から新オブジェクトを取り除く。再度、新たなオブジェクトを生成し、該クライアント専用のデータ格納領域に格納する。生成した新オブジェクトに、工種と施工監理者のデータを格納し、クライアントサーバに新オブジェクト内の全データを転送する。
【００８０】
オブジェクト内全データを受信したクライアントサーバは、受信したデータから工種と施工監理者のデータを抽出する。抽出したデータをデータベースに移し、工種に該当する施工監理者のデータを変更登録する。
【００８１】
新オブジェクト内の全データを受信した一次分散処理サーバは、転送されたオブジェクトからクライアントサーバを特定するコード及び顧客データ・住所地データ・建築地データを抽出する。抽出したデータをデータベースに移し、データに基づいて物件ナンバーを検索する。物件ナンバーを検出できない場合は、クライアントデータ・顧客データ・住所地データ・建築地データに基づいて物件ナンバーを作成し、再検索する。検出した物件ナンバーに基づいて、データを格納するオブジェクトを生成すると共に、該物件専用のデータ格納領域を確保し、受信した工種のコード・品番・算出数量等のデータを格納する。受信した業務処理プログラムにオブジェクトを転送する。
【００８２】
オブジェクトを転送された業務処理プログラムでは、データベースに該工種の品番・算出数量の追加登録又は変更登録を行う。また、品番・算出数量に基づいて、基本価格を算出する。クライアントデータに基づいて、価格係数を検索する。価格係数を検出できない場合は、情報流通管理サーバに対応する価格係数を検出する。検出した価格係数に基づいて提示価格を算出する。オブジェクトを該物件専用のデータ格納領域を取り除く。
【００８３】
クライアントデータ・顧客データ・住所地データ・建築地データに基づいて、データを格納するオブジェクトを生成すると共に、該物件専用のデータ格納領域に格納する。工種のコード及び提示価格をオブジェクトに格納する。プログラムから依頼すべき業務処理プログラムのコードを抽出し、抽出したプログラムのコードをオブジェクトに格納し、オブジェクト内全データを情報流通管理サーバへ転送する。
【００８４】
オブジェクト内全データを受信した情報流通管理サーバは、転送されたオブジェクトから抽出したクライアントデータ・顧客データ・住所地データ・建築地データに基づいて物件ナンバーを検索する。物件ナンバーに基づいて、データベースの抽出した工種の基礎価格に抽出した提示価格を追加登録又は変更登録する。また、クライアントデータに基づいて、価格係数を検索し、検出した価格係数に基づいて基本価格を算出する。
【００８５】
業務処理のデータとして「標準仕様価格確認」を受信したクライアントサーバは、オブジェクト内の顧客データ・住所地データ・建築地データ及び業務処理プログラムデータを情報流通管理サーバへ転送し、オブジェクトを該物件専用のデータ格納領域から取り除く。
【００８６】
オブジェクト内データを受信した情報流通管理サーバは、転送されたオブジェクトから顧客データ・住所地データ・建築地データ・クライアントデータ及び業務処理プログラムデータを抽出する。顧客データ・住所地データ・建築地データから検出された物件ナンバーに基づいて、データを格納するオブジェクトを生成すると共に、該物件専用のデータ格納領域を確保する。生成したオブジェクトにクライアントデータを格納し、業務処理プログラムにオブジェクトを転送する。
【００８７】
オブジェクトを転送された業務処理プログラムでは、物件ナンバーに対応する工種の基本価格を検索する。検出できない工種がある場合は、見積が未完成である旨の表示をすると共に処理業務を選択できるようにした画面表示を返信し、以後の処理を停止する。
【００８８】
全工種で基本価格を検出できた場合は、オブジェクトから顧客データ・住所地データ・建築地データ及びクライアントデータを抽出し、オブジェクトを該物件専用のデータ格納領域から取り除く。顧客データ・住所地データ・建築地データに基づいて、データを格納する新たなオブジェクトを生成し、該物件専用のデータ格納領域に格納する。抽出したクライアントデータをデータベースに移し、価格係数を検索する。検出した価格係数に基づいて提示価格を算出する。算出された提示価格をデータベースに追加登録又は変更登録すると共に、生成したオブジェクトに格納する。プログラムから依頼すべき業務処理プログラムのコードを抽出し、抽出したプログラムコードをオブジェクトに格納し、オブジェクト内全データをクライアントサーバへ転送する。
【００８９】
オブジェクト内全データを受信したクライアントサーバは、転送されたオブジェクトから顧客データ・住所地データ・建築地データ及び提示価格の配列を抽出する。抽出した顧客データ・住所地データ・建築地データに基づいて物件ナンバーを検索する。物件ナンバーに基づいて、提示価格の配列を該当する工種の価格としてレコードに追加登録又は変更登録すると共に、提示価格を集計し標準仕様価格を算出する。物件ナンバーに基づいたデータを格納する新たなオブジェクトを生成し、該物件専用のデータ格納領域に格納する。標準仕様価格と工種項目・品番等の表示や業務処理選択のための表示と共に、変更可能な工種項目・品番には仕様変更ページへの転送機能を付加した画面を表示する。
【００９０】
次に、躯体材等のように個別見積を要し、一次分散処理サーバでのデータベース化ができず、基本価格を算出ができない場合の価格算出に関する実施形態につき補足説明し、本発明の理解に供する。
【００９１】
一次分散処理サーバは、抽出された顧客データ・住所地データ・建築地データに基づいてデータを格納するオブジェクトを生成すると共に、該物件専用のデータ格納領域を確保する。情報流通管理サーバから受信したデータをオブジェクトに格納する。プログラムから依頼すべき業務処理プログラムのコードを抽出し、抽出したプログラムのコードをオブジェクトに格納する。分散処理データベースから分散処理を依頼するサーバのアドレスを検索し、検出できたアドレスのサーバにオブジェクト内全データを転送する。
【００９２】
オブジェクト内全データを受信した建築資材の生産を管理する二次分散処理サーバの業務処理プログラムでは、転送されたオブジェクトから抽出したデータをデータベースに移し、データに基づいて物件ナンバーを検索する。物件ナンバーを検出できない場合は、クライアントデータ・顧客データ・住所地データ・建築地データに基づいて物件ナンバーを作成し、再検索する。
【００９３】
二次分散処理サーバのデータベースで受信した工種のコード・品番・算出数量等のデータに基づいた提示価格の算出が可能な業務処理プログラムの場合は、検出された物件ナンバーに基づいたデータを格納するオブジェクトを生成すると共に、該物件専用のデータ格納領域を確保する。クライアントデータ・顧客データ・住所地データ・建築地データを、生成したオブジェクトに格納する。受信した工種のコード・品番・算出数量等のデータに基づいて、基本価格を算出する。施工監理者ナンバーに基づいて、価格係数を検索する。検出した価格係数に基づいて提示価格を算出する。算出された提示価格をオブジェクトに格納する。プログラムから依頼すべき業務処理プログラムのコードを抽出し、抽出したプログラムのコードをオブジェクトに格納し、オブジェクト内全データを一次分散処理サーバへ転送する。
【００９４】
オブジェクト内全データを受信した一次分散処理サーバの業務処理プログラムでは、オブジェクトからクライアントデータ・顧客データ・住所地データ・建築地データを抽出し、抽出したデータに基づいた物件ナンバーをデータベースから検出する。オブジェクトから提示価格を抽出する。抽出した提示価格を、該当物件の該当工種の基本価格として追加登録又は変更登録する。クライアントデータに対応する価格係数を検出し、検出した価格係数に基づいた提示価格を算出し、情報流通管理サーバにデータを転送する。
【００９５】
二次分散処理サーバのデータベースで受信した工種のコード・品番・算出数量等のデータに基づいた提示価格の算出が不可能な業務処理プログラムの場合は、物件ナンバーと提示価格の算出を依頼する旨のメールをインターネット回線・モバイル通信の両方のインフラを利用して通知し、以後の処理を中断する。
【００９６】
二次分散処理サーバにアクセスしようとする場合、アクセスしようとするコンピュータと同一のコンピュータに内蔵されたサーバのIDナンバーとパスワードの入力画面を表示させる。受信したIDナンバーとパスワードが該コンピュータに内蔵されたサーバのIDナンバー及びパスワードと合致するかを確認する。合致しない場合は、再度IDナンバーとパスワードの入力画面を表示すると共に、以後の処理を停止する。
【００９７】
合致した場合は、二次分散処理サーバへのアクセスプログラムへ転送する。アクセスプログラムから該コンピュータに内蔵されたサーバを特定するコードを抽出する。データを格納するオブジェクトを生成すると共に、該物件専用のデータ格納領域を確保する。抽出した内蔵されたサーバを特定するコードを生成されたオブジェクトに格納する。プログラムから業務依頼するプログラムのデータを抽出し、抽出したプログラムのデータをオブジェクトに格納する。オブジェクト内全データを二次分散処理サーバに転送する。
【００９８】
オブジェクト内全データを受信した二次分散処理サーバは、転送されたオブジェクトから内蔵されたサーバを特定するコードを抽出し、抽出したコードをデータベースに移し、二次分散処理サーバに対する入力者ナンバーを検索する。入力者ナンバーを検出できない場合は、以後の処理を停止する。入力者ナンバーを検出できた場合は、物件ナンバーを入力する画面を表示する。また、一時分散処理サーバからのアクセスに対してスレッド起動可能状態で待機する。
【００９９】
物件ナンバーを受信した二次分散処理サーバは、物件登録データベースから未処理の物件ナンバーを検出する。未処理物件ナンバーの中に受信した物件ナンバーと合致するものがあるか否かを確認する。未処理物件ナンバーと物件ナンバーが合致するものがない場合は、以後の処理を停止する。未処理物件ナンバーと物件ナンバーが合致するものがある場合は、受信した物件ナンバーに基づいてデータを格納するオブジェクトを生成すると共に、該物件専用のデータ格納領域を確保する。データベースから物件ナンバーに対応する顧客データ・住所地データ・建築地データ及びクライアントデータを検出し、検出したデータをオブジェクトに格納する。提示価格の入力画面と提示価格登録アクションの起動画面を表示する。
【０１００】
提示価格と登録アクションを受信した二次分散処理サーバは、受信した提示価格をデータベースに追加登録・変更登録すると共に、提示価格をオブジェクトに格納する。プログラムから依頼すべき業務処理プログラムのコードを抽出し、抽出したプログラムコードをオブジェクトに格納する。物件ナンバーに該当する一次分散処理サーバを検出する。オブジェクト内全データを、検出された一次分散処理サーバへ転送する。オブジェクトを該入力者専用のデータ格納領域から取り除く。提示価格を登録した旨の表示と共に、物件ナンバーを入力する画面を表示する。
【０１０１】
オブジェクト内全データを受信した一次分散処理サーバの業務処理プログラムでは、オブジェクトからクライアントデータ・顧客データ・住所地データ・建築地データを抽出し、抽出したデータに基づいた物件ナンバーをデータベースから検出する。オブジェクトから提示価格を抽出する。クライアントデータに対応する価格係数を検出し、検出した価格係数に基づいた価格を算出する。抽出した提示価格を該当工種の基本価格に、算出した価格を該当工種の提示価格に、それぞれ追加登録又は変更登録する。
【０１０２】
物件ナンバーに基づいて、データを格納するオブジェクトを生成すると共に、該物件専用のデータ格納領域を確保する。オブジェクトにクライアントデータ・顧客データ・住所地データ・建築地データ及び一次分散処理サーバを特定するコードを格納する。プログラムから依頼すべき業務処理プログラムのコードを抽出し、抽出したプログラムコードをオブジェクトに格納する。オブジェクト内全データを、情報流通管理サーバへ転送する。
【０１０３】
オブジェクト内全データを受信した情報流通管理サーバの業務処理プログラムでは、オブジェクトからクライアントデータ・顧客データ・住所地データ・建築地データを抽出し、抽出したデータに基づいた物件ナンバーをデータベースから検出する。オブジェクトから提示価格を抽出する。クライアントデータに対応する価格係数を検出し、検出した価格係数に基づいた価格を算出する。抽出した提示価格を該当工種の基礎価格に、算出した価格を該当工種の基本価格に、それぞれ追加登録又は変更登録する。
【実施例２】
【０１０４】
業務処理のデータとして「変更仕様販売価格の算出」を受信したクライアントサーバは、オブジェクトから物件ナンバーを検出する。検出した物件ナンバーをデータベースに移し、商品となる住宅のデータを検索する。物件ナンバーに基づいて、データベースから工種項目・品番の全組合せを取り出し、取り出した組合せをリスト化すると共に、提示価格を集計した建築価格を算出する。リストを活用した建築価格と工種項目・品番等の表示や業務処理選択のための表示と共に、変更可能な工種項目・品番には仕様変更ページへの転送機能を付加した画面を表示する。
【０１０５】
選択された仕様変更ページのデータを受信したクライアントサーバは、プログラムから依頼すべき業務処理プログラムのコードを抽出し、抽出したプログラムコードをオブジェクトに格納する。オブジェクト内全データを情報流通管理サーバに転送する。
【０１０６】
オブジェクト内全データを受信した情報流通管理サーバの業務処理プログラムでは、転送されたオブジェクトから物件ナンバーを検出する。物件ナンバーに基づいたデータを格納するオブジェクトを生成すると共に、該物件専用のデータ格納領域を確保する。抽出した物件ナンバーをデータベースに移し、選択された仕様が含まれている室内又は外観を構成する工種項目の品番等の仕様データをデータベースから検出する。検出した仕様データに対応する建築資材の生産者及び施工順位を検出すると共に、検出された建築資材の生産者に対応するサーバのアドレス及び業務処理プログラムのデータを検出する。施工順に、検出された仕様データとサーバアドレス・業務処理プログラムデータの配列を生成する。配列順に、仕様データと業務処理プログラムデータをオブジェクトに格納し、該サーバアドレスに、オブジェクト内の全データを転送する。
【０１０７】
オブジェクト内全データを受信した建築資材の生産を管理するサーバは、転送されたオブジェクトから情報流通管理サーバを特定するコードを抽出する。抽出した情報流通管理コードが建築資材の生産を管理するサーバに登録させた情報流通管理コードと合致するかを検証する。抽出した情報流通管理コードが登録させた情報流通管理コードと合致しない場合は、以後の処理を停止する。抽出した情報流通管理コードが登録させた情報流通管理コードと合致した場合は、受信データから仕様データと業務処理プログラムデータ・情報流通管理サーバの物件ナンバーを抽出する。抽出した物件ナンバーに基づいたオブジェクトを生成すると共に、該物件専用のデータ格納領域を確保する。抽出した仕様データ及びオブジェクトを抽出した業務処理プログラムに転送する。
【０１０８】
抽出した仕様データ及びオブジェクトを受信した業務処理プログラムは、仕様データに対応する写像作成プログラムのコードをデータベースから検出する。オブジェクトに写像作成プログラムのコードを格納する。プログラムから依頼すべき業務処理プログラムのコードを抽出し、抽出したプログラムコードをオブジェクトに格納する。オブジェクト内全データを、情報流通管理サーバへ転送する。
【０１０９】
オブジェクト内全データを受信した情報流通管理サーバは、転送されたオブジェクトから業務処理プログラムのコードを抽出し、抽出された業務処理プログラムに業務処理プログラムのコード以外のデータを転送する。
【０１１０】
データを受信した業務処理プログラムは、転送されたオブジェクトから写像作成プログラムコードと物件ナンバーを抽出する。物件ナンバーに対応するオブジェクトから作成写像を抽出する。作成写像を抽出できない場合は、物件ナンバーに対応するオブジェクトを該物件専用のデータ格納領域から取り除く。再度、物件ナンバーに基づいたデータを格納するオブジェクトを生成し、該物件専用のデータ格納領域に格納する。写像作成プログラムコードに対応する建築資材の生産を管理するサーバの写像作成プログラムを受信し、作成された写像をオブジェクトに格納する。
【０１１１】
作成写像を抽出できた場合は、物件ナンバーに対応するオブジェクトを該物件専用のデータ格納領域から取り除く。再度、物件ナンバーに基づいたデータを格納するオブジェクトを生成し、該物件専用のデータ格納領域に格納する。写像作成プログラムコードに対応する建築資材の生産を管理するサーバの写像作成プログラムを受信する。抽出していた作成写像に対して、受信した写像作成プログラムに基づいて合成処理を実施し合成写像を作成する。作成された合成写像をオブジェクトに格納する。
【０１１２】
配列数の合成処理が完了すると、プログラムから抽出した業務処理プログラムにオブジェクトを転送する。
【０１１３】
オブジェクトを転送された業務処理プログラムでは、プログラムから依頼すべき業務処理プログラムのコードを抽出し、抽出したプログラムコードをオブジェクトに格納する。データベースから該物件のクライアントサーバでの物件ナンバーとクライアントサーバのアドレスを検出する。検出した物件ナンバーをオブジェクトに格納し、検出されたクライアントサーバにオブジェクト内全データを転送する。
【０１１４】
オブジェクト内全データを受信したクライアントサーバは、転送されたオブジェクトから業務処理プログラムのコードを抽出し、抽出された業務処理プログラムに業務処理プログラムのコード以外のデータを転送する。
【０１１５】
データを受信した業務処理プログラムは、転送データから物件ナンバーを抽出する。抽出した物件ナンバーをデータベースに移し、建築資材の生産者・施工監理者及びパーツ商品の品番等を検出する。提示価格を集計し、建築総額と選択された工種項目の価格を算出する。合成写像・建築総額・工種価格・建築資材の生産者・施工監理者及びパーツ商品の品番を表示すると共に、「パーツ商品の仕様変更」や「パーツ商品シリーズの変更」・「パーツ商品生産者の変更」・「施工監理者の変更」・「パーツ商品の仕様確定」等の業務処理を選択できるようにした画面を表示する。
【０１１６】
業務処理のデータとして「仕様変更するパーツ商品の構成部品」のデータを受信したクライアントサーバは、データベースからパーツ商品の構成部品コードを検索し、検出された構成部品コードをオブジェクトに格納する。プログラムから依頼すべき業務処理プログラムのコードを抽出し、抽出したプログラムコードをオブジェクトに格納する。オブジェクト内全データを情報流通管理サーバに転送する。
【０１１７】
オブジェクト内全データを受信した情報流通管理サーバの業務処理プログラムでは、転送されたオブジェクトから構成部品コード・パーツ商品データを抽出し、抽出された構成部品コード・パーツ商品データをオブジェクトに格納する。プログラムから依頼すべき業務処理プログラムのコードを抽出し、抽出したプログラムコードをオブジェクトに格納する。構成部品として登録されている品番と一次分散処理サーバのアドレスを、データベースから検出する。検出された登録されている品番をオブジェクトに格納し、検出されたアドレスの一次分散処理サーバに、オブジェクト内全データを転送する。
【０１１８】
オブジェクト内全データを受信した一次分散処理サーバの業務処理プログラムでは、転送されたオブジェクトから構成部品コード及び登録されている品番・パーツ商品データを抽出する。データベースから、構成部品コードに該当する各品番を検索すると共に、各品番の商品と登録されている品番の商品との差額と算出し、品番と差額を配列として取得する。構成部品コードと取得した配列をオブジェクトに格納する。プログラムから依頼すべき業務処理プログラムのコードを抽出し、抽出したプログラムコードをオブジェクトに格納する。パーツ商品データに基づいて、データベースから建築資材の生産を管理するサーバのアドレスを検出し、検出されたアドレスの建築資材の生産を管理するサーバに、オブジェクト内全データを転送する。
【０１１９】
オブジェクト内全データを受信した建築資材の生産を管理するサーバの業務処理プログラムでは、転送されたオブジェクトから構成部品コードと品番と差額の配列を抽出する。抽出された構成部品コードの品番に該当する写像を検出する。抽出された差額及び構成部品等の解説と共に、検出された写像に構成部品の選択データを発信する性能を付加した画面表示を返信する。
【０１２０】
構成部品の選択データを受信したクライアントサーバの業務処理プログラムでは、オブジェクトから物件ナンバーを検出する。検出された物件ナンバーと受信した選択データ及び構成部品コードをデータベースに移す。物件ナンバーに基づいて、受信データを該工種の品番として変更登録する。オブジェクトに受信データと構成部品コードを格納する。プログラムから依頼すべき業務処理プログラムのコードを抽出し、抽出したプログラムコードをオブジェクトに格納する。オブジェクト内全データを情報流通管理サーバに転送する。
【０１２１】
オブジェクト内全データを受信した情報流通管理サーバの業務処理プログラムでは、転送されたオブジェクトから物件ナンバーと構成部品コード・選択データ・一次分散処理サーバのデータを抽出する。抽出した物件ナンバーと構成部品コード・選択データをデータベースに移し、物件ナンバーに基づいて、選択データを該工種の品番として変更登録する。構成部品が含まれている室内又は外観を構成する工種項目の品番等の仕様データをデータベースから検出する。検出した仕様データに対応する建築資材の生産者及び施工順位を検出すると共に、検出された建築資材の生産者に対応するサーバのアドレス及び業務処理プログラムのデータを検出する。物件ナンバーに基づいたデータを格納するオブジェクトを生成すると共に、該物件専用のデータ格納領域を確保する。施工順に、検出された仕様データとサーバアドレス・業務処理プログラムデータの配列を生成する。配列順に、仕様データと業務処理プログラムデータをオブジェクトに格納し、該サーバアドレスに、オブジェクト内の全データを転送する。
【０１２２】
物件ナンバーに対応するオブジェクトを該物件専用のデータ格納領域から取り除く。再度、物件ナンバーに基づいたデータを格納するオブジェクトを生成し、該物件専用のデータ格納領域に格納する。オブジェクトに構成部品コード・選択データを格納する。プログラムから依頼すべき業務処理プログラムのコードを抽出し、抽出したプログラムのコードをオブジェクトに格納する。抽出していた一次分散処理サーバに対応するアドレスを検出し、検出できた一次分散処理サーバのアドレスにオブジェクト内の全データを転送する。
【０１２３】
オブジェクト内全データを受信した一次分散処理サーバの業務処理プログラムでは、転送されたオブジェクトから物件ナンバー及び構成部品コード・選択データを抽出する。抽出した物件ナンバーと構成部品コード・選択データをデータベースに移す。物件ナンバーに基づいて、選択データを該工種の品番として変更登録すると共に、該工種の算出数量を検出する。選択された品番・算出数量に基づいて、該工種の変更基本価格を算出する。クライアントデータに基づいて、価格係数を検索する。価格係数を検出できない場合は、情報流通管理サーバに対応する価格係数を検出する。検出した価格係数に基づいて変更提示価格を算出する。オブジェクトを該物件専用のデータ格納領域を取り除く。
【０１２４】
クライアントデータ・顧客データ・住所地データ・建築地データに基づいて、データを格納するオブジェクトを生成すると共に、該物件専用のデータ格納領域に格納する。工種のコード及び変更提示価格をオブジェクトに格納する。プログラムから依頼すべき業務処理プログラムのコードを抽出し、抽出したプログラムのコードをオブジェクトに格納し、オブジェクト内全データを情報流通管理サーバへ転送する。
【０１２５】
オブジェクト内全データを受信した情報流通管理サーバは、転送されたオブジェクトから抽出したクライアントデータ・顧客データ・住所地データ・建築地データに基づいて物件ナンバーを検索する。物件ナンバーに基づいて、データベースの抽出した工種の基礎価格に抽出した変更提示価格を変更登録する。クライアントデータに基づいて価格係数とクライアント価格係数を検索する。検出した価格係数に基づいて変更基本価格を算出し、データベースの基本価格に変更登録する。さらに、検出したクライアント価格係数に基づいて、変更基本価格から変更提示価格を算出し、データベースの基本価格に変更登録する。オブジェクトを該物件専用のデータ格納領域から取り除く。再度、顧客データ・住所地データ・建築地データに基づいて、データを格納する新たなオブジェクトを生成し、該物件専用のデータ格納領域に格納する。生成したオブジェクトに算出された変更提示価格に格納する。また、作成されていた合成写像をオブジェクトに格納する。プログラムから依頼すべき業務処理プログラムのコードを抽出し、抽出したプログラムコードをオブジェクトに格納し、オブジェクト内全データをクライアントサーバへ転送する。
【０１２６】
オブジェクト内全データを受信したクライアントサーバの業務処理プログラムでは、転送されたオブジェクトから物件ナンバーと変更提示価格・合成写像を抽出する。抽出した物件ナンバーをデータベースに移し、該工種の提示価格として変更提示価格を変更登録する。建築資材の生産者・施工監理者及びパーツ商品の品番等を検出すると共に、提示価格を集計し、建築総額と選択された工種項目の価格を算出する。合成写像・建築総額・工種価格・建築資材の生産者・施工監理者及びパーツ商品の品番を表示すると共に、「パーツ商品の仕様変更」や「パーツ商品シリーズの変更」・「パーツ商品生産者の変更」・「施工監理者の変更」・「パーツ商品の仕様確定」等の業務処理を選択できるようにした画面を表示する。
【０１２７】
業務処理のデータとして「パーツ商品シリーズの変更」のデータを受信したクライアントサーバは、オブジェクトから物件ナンバー及び変更するパーツ商品のコードを抽出する。物件ナンバーをデータベースに移し、パーツ商品の構成部品コードに対応する品番等の仕様データを検索する。抽出されたパーツ商品コード及び仕様データをオブジェクトに格納する。プログラムから依頼すべき業務処理プログラムのコードを抽出し、抽出したプログラムコードをオブジェクトに格納する。オブジェクト内全データを情報流通管理サーバに転送する。
【０１２８】
オブジェクト内全データを受信した情報流通管理サーバの業務処理プログラムでは、転送されたオブジェクトからパーツ商品コード及び仕様データを抽出し、抽出されたパーツ商品コード及び仕様データをオブジェクトに格納する。プログラムから依頼すべき業務処理プログラムのコードを抽出し、抽出したプログラムコードをオブジェクトに格納する。データベースからパーツ商品コードに該当する一次分散処理サーバのアドレスを検索する。検出されたアドレスの一次分散処理サーバに、オブジェクト内全データを転送する。
【０１２９】
オブジェクト内全データを受信した一次分散処理サーバの業務処理プログラムでは、転送されたオブジェクトからパーツ商品コード及び仕様データを抽出する。抽出したパーツ商品コードと仕様データをデータベースに移し、該建築資材の生産者を検索する。建築資材の生産者との取引可能なパーツ商品シリーズを検索する。検出されたパーツ商品シリーズのデータをオブジェクトに格納する。プログラムから依頼すべき業務処理プログラムのコードを抽出し、抽出したプログラムコードをオブジェクトに格納する。該建築資材の生産を管理するサーバのアドレスを検索する。検出されたアドレスの建築資材の生産を管理するサーバに、オブジェクト内全データを転送する。
【０１３０】
オブジェクト内全データを受信した建築資材の生産を管理するサーバの業務処理プログラムでは、転送されたオブジェクトからパーツ商品シリーズのデータを抽出する。抽出したパーツ商品シリーズのデータに基づいて、パーツ商品シリーズの一覧を表示すると共に、パーツ商品シリーズを選択できるようにした画面を表示するデータを返信する。
【０１３１】
パーツ商品シリーズの選択データを受信したクライアントサーバの業務処理プログラムでは、受信したパーツ商品シリーズの選択データ及びパーツ商品コードをオブジェクトに格納する。プログラムから依頼すべき業務処理プログラムのコードを抽出し、抽出したプログラムコードをオブジェクトに格納する。オブジェクト内全データを情報流通管理サーバに転送する。
【０１３２】
オブジェクト内全データを受信した情報流通管理サーバの業務処理プログラムでは、転送されたオブジェクトから顧客データ・住所地データ・建築地データ、パーツ商品シリーズの選択データ及びパーツ商品コードを抽出し、抽出された顧客データ・住所地データ・建築地データ、パーツ商品シリーズの選択データをオブジェクトに格納する。受信したクライアントサーバに対応するクライアントデータを検出し、検出したクライアントデータをオブジェクトに格納する。プログラムから依頼すべき業務処理プログラムのコードを抽出し、抽出したプログラムコードをオブジェクトに格納する。データベースからパーツ商品コードに該当する一次分散処理サーバのアドレスを検索する。検出されたアドレスの一次分散処理サーバに、オブジェクト内全データを転送する。
【０１３３】
オブジェクト内全データを受信した一次分散処理サーバの業務処理プログラムでは、転送されたオブジェクトからパーツ商品シリーズの選択データ及びクライアントデータ・顧客データ・住所地データ・建築地データを抽出する。抽出したパーツ商品シリーズの選択データをデータベースに移し、パーツ商品シリーズのデフォルト仕様を検索する。検出されたデフォルト仕様に該当する工種項目の品番等の仕様データを検索する。検出された品番等の仕様データ群を該当レコードに変更登録する。検出された工種項目の品番等の仕様データに対応する価格群を検出する。クライアントデータに対応する価格係数を検出し、検出した価格係数に基づいた提示価格群を算出する。抽出した価格群を該当工種の基本価格に変更登録すると共に、算出した価格群を該当工種の提示価格に変更登録する。クライアントデータ・顧客データ・住所地データ・建築地データに基づいて、データを格納するオブジェクトを生成すると共に、該物件専用のデータ格納領域を確保する。工種項目のデータ、品番等の仕様データ、提示価格の組合せを配列としてオブジェクトに格納する。プログラムから依頼すべき業務処理プログラムのコードを抽出し、抽出したプログラムのコードをオブジェクトに格納し、オブジェクト内全データを情報流通管理サーバへ転送する。
【０１３４】
オブジェクト内全データを受信した情報流通管理サーバの業務処理プログラムでは、転送されたオブジェクトからクライアントデータ・顧客データ・住所地データ・建築地データ、及び、工種項目のデータ、品番等の仕様データ、提示価格の配列を抽出する。抽出したクライアントデータ・顧客データ・住所地データ・建築地データに基づいて物件ナンバーを検索する。検出された物件ナンバーに基づいて、抽出された工種項目に該当する仕様データを変更登録する。抽出された提示価格を工種項目に該当する変更基礎価格として変更登録する。クライアントデータに基づいて価格係数とクライアント価格係数を検索する。検出した価格係数に基づいて変更基本価格を算出し、データベースの基本価格に変更登録する。さらに、検出したクライアント価格係数に基づいて、変更基本価格から変更提示価格を算出し、データベースの提示価格に変更登録する。
【０１３５】
変更されたパーツ商品が含まれている室内又は外観を構成する工種項目の品番等の仕様データを検出する。検出した仕様データに対応する建築資材の生産者及び施工順位を検出すると共に、検出された建築資材の生産者に対応するサーバのアドレス及び業務処理プログラムのデータを検出する。物件ナンバーに基づいたデータを格納するオブジェクトを生成すると共に、該物件専用のデータ格納領域を確保する。施工順に、検出された仕様データとサーバアドレス・業務処理プログラムデータの配列を生成する。配列順に、仕様データと業務処理プログラムデータをオブジェクトに格納し、該サーバアドレスに、オブジェクト内の全データを転送する。
【０１３６】
物件ナンバーに対応するオブジェクトを該物件専用のデータ格納領域から取り除く。再度、顧客データ・住所地データ・建築地データに基づいて、データを格納する新たなオブジェクトを生成し、該物件専用のデータ格納領域に格納する。生成したオブジェクトに作成された合成写像を格納する。変更された工種項目と、それに対応する品番等の仕様データと変更提示価格の組合せを配列としてオブジェクトに格納する。プログラムから依頼すべき業務処理プログラムのコードを抽出し、抽出したプログラムコードをオブジェクトに格納する。クライアントデータからクライアントサーバのアドレスを検出し、検出されたアドレスのクライアントサーバにオブジェクト内全データを転送する。
【０１３７】
オブジェクト内全データを受信したクライアントサーバの業務処理プログラムでは、転送されたオブジェクトから顧客データ・住所地データ・建築地データ、合成写像、及び、工種項目のデータ、品番等の仕様データ、変更提示価格の配列を抽出する。抽出した顧客データ・住所地データ・建築地データに基づいて物件ナンバーを検索する。検出された物件ナンバーに基づいて、抽出された工種項目に該当する仕様データ及び提示価格を変更登録する。建築資材の生産者・施工監理者等を検出すると共に、変更登録された提示価格を集計し、建築総額と選択された工種項目の価格を算出する。合成写像・建築総額・工種価格・建築資材の生産者・施工監理者及びパーツ商品の品番を表示すると共に、「パーツ商品の仕様変更」や「パーツ商品シリーズの変更」・「パーツ商品生産者の変更」・「施工監理者の変更」・「パーツ商品の仕様確定」等の業務処理を選択できるようにした画面を表示する。
【０１３８】
業務処理のデータとして「パーツ商品生産者の変更」のデータを受信したクライアントサーバは、受信したデータから変更するパーツ商品のコードを抽出する。抽出されたパーツ商品コードをオブジェクトに格納する。プログラムから依頼すべき業務処理プログラムのコードを抽出し、抽出したプログラムコードをオブジェクトに格納する。オブジェクト内全データを情報流通管理サーバに転送する。
【０１３９】
オブジェクト内全データを受信した情報流通管理サーバの業務処理プログラムでは、転送されたオブジェクトからパーツ商品コードを抽出し、抽出されたパーツ商品コードをオブジェクトに格納する。プログラムから依頼すべき業務処理プログラムのコードを抽出し、抽出したプログラムコードをオブジェクトに格納する。データベースからパーツ商品コードに該当する一次分散処理サーバのアドレスを検索する。検出されたアドレスの一次分散処理サーバに、オブジェクト内全データを転送する。
【０１４０】
オブジェクト内全データを受信した一次分散処理サーバの業務処理プログラムでは、転送されたオブジェクトからパーツ商品コードを抽出する。抽出したパーツ商品コードをデータベースに移し、該建築資材の生産者を検索する。検索した建築資材の生産者のデータに基づいて、建築資材生産者の一覧を表示すると共に、建築資材の生産者を選択できるようにした画面を表示するデータを返信する。
【０１４１】
建築資材生産者の選択データを受信したクライアントサーバの業務処理プログラムでは、受信した選択された建築資材生産者のデータ及びパーツ商品コードをオブジェクトに格納する。プログラムから依頼すべき業務処理プログラムのコードを抽出し、抽出したプログラムコードをオブジェクトに格納する。オブジェクト内全データを情報流通管理サーバに転送する。
【０１４２】
オブジェクト内全データを受信した情報流通管理サーバの業務処理プログラムでは、転送されたオブジェクトから選択された建築資材生産者のデータ及びパーツ商品コードを抽出し、抽出された建築資材生産者のデータ及びパーツ商品コードをオブジェクトに格納する。プログラムから依頼すべき業務処理プログラムのコードを抽出し、抽出したプログラムコードをオブジェクトに格納する。データベースからパーツ商品コードに該当する一次分散処理サーバのアドレスを検索する。検出されたアドレスの一次分散処理サーバに、オブジェクト内全データを転送する。
【０１４３】
オブジェクト内全データを受信した一次分散処理サーバの業務処理プログラムでは、転送されたオブジェクトから建築資材生産者のデータ及びパーツ商品コードを抽出する。抽出した建築資材生産者のデータ及びパーツ商品コードをデータベースに移し、建築資材生産者との取引可能なパーツ商品シリーズを検索する。検出されたパーツ商品シリーズのデータをオブジェクトに格納する。プログラムから依頼すべき業務処理プログラムのコードを抽出し、抽出したプログラムコードをオブジェクトに格納する。建築資材生産者のサーバアドレスを検索する。検出されたアドレスの建築資材の生産を管理するサーバに、オブジェクト内全データを転送する。
【０１４４】
オブジェクト内全データを受信した建築資材の生産を管理するサーバの業務処理プログラムでは、転送されたオブジェクトからパーツ商品シリーズのデータを抽出する。抽出したパーツ商品シリーズのデータに基づいて、パーツ商品シリーズの一覧を表示すると共に、パーツ商品シリーズを選択できるようにした画面を表示するデータを返信する。
【０１４５】
業務処理のデータとして「施工監理者の変更」のデータを受信したクライアントサーバは、受信したデータから変更するパーツ商品のコードを抽出する。抽出されたパーツ商品コードをオブジェクトに格納する。プログラムから依頼すべき業務処理プログラムのコードを抽出し、抽出したプログラムコードをオブジェクトに格納する。オブジェクト内全データを情報流通管理サーバに転送する。
【０１４６】
オブジェクト内全データを受信した情報流通管理サーバの業務処理プログラムでは、転送されたオブジェクトからパーツ商品コードと建築地データを抽出する。抽出したパーツ商品コードと建築地データをデータベースに移し、該パーツ商品のパーツ商品シリーズを検出し、該建築地を施工範囲とするパーツ商品シリーズの施工監理者を検索する。検索した施工監理者群をリスト表示し、施工監理者を選択できるようにした画面を表示するデータを返信する。
【０１４７】
選択された施工監理者のデータを受信したクライアントサーバは、受信したデータから施工監理者のデータを抽出する。抽出した施工監理者のデータをオブジェクトに格納する。プログラムから依頼すべき業務処理プログラムのコードを抽出し、抽出したプログラムコードをオブジェクトに格納する。オブジェクト内全データを情報流通管理サーバに転送する。
【０１４８】
オブジェクト内全データを受信した情報流通管理サーバの業務処理プログラムでは、転送されたオブジェクトから施工監理者等のデータを抽出する。抽出した施工監理者等のデータをデータベースに移し、顧客データ・住所地データ・建築地データに基づいて、物件ナンバーを検出する。検出した物件ナンバーに基づいて、オブジェクトを生成し、該物件専用のデータ格納領域に格納する。また、物件ナンバーに基づいて、クライアントデータを検出し、検出されたクライアントデータと共に、顧客データ・住所地データ・建築地データをオブジェクトに格納する。該パーツ商品に登録されている施工監理者を検出し、検出された施工監理者が登録されているパーツ商品を検索する。抽出した施工監理者が該建築地を施工範囲での検出されたパーツ商品シリーズの施工監理者として登録されているか否かを確認する。施工監理者として登録されている工種は、工種のコード・品番・算出数量を検出し、工種のコード・品番・算出数量の組合せを配列としてオブジェクトに格納する。また、検出した工種の施工監理者として抽出した施工監理者を変更登録する。施工監理者として登録されていない場合は、データを変更せず、オブジェクトにも格納しない。プログラムから依頼すべき業務処理プログラムのコードを抽出し、抽出したプログラムコードをオブジェクトに格納する。データベースから、抽出した施工監理者のサーバアドレスを検索し、検出されたアドレスの一次分散処理サーバにオブジェクト内全データを転送する。
【０１４９】
オブジェクト内全データを受信した一次分散処理サーバは、転送されたオブジェクトからクライアントサーバを特定するコード及び顧客データ・住所地データ・建築地データを抽出する。抽出したデータをデータベースに移し、データに基づいて物件ナンバーを検索する。物件ナンバーを検出できない場合は、クライアントデータ・顧客データ・住所地データ・建築地データに基づいて物件ナンバーを作成し、再検索する。検出した物件ナンバーに基づいて、データを格納するオブジェクトを生成すると共に、該物件専用のデータ格納領域を確保し、受信した工種コード・品番・算出数量の配列を格納する。受信した業務処理プログラムにオブジェクトを転送する。
【０１５０】
オブジェクトを転送された業務処理プログラムでは、データベースに該工種の品番・算出数量の追加登録又は変更登録を行う。また、品番・算出数量に基づいて、基本価格を算出する。クライアントデータに基づいて、価格係数を検索する。価格係数を検出できない場合は、情報流通管理サーバに対応する価格係数を検出する。検出した価格係数に基づいて提示価格を算出する。オブジェクトを該物件専用のデータ格納領域を取り除く。
【０１５１】
クライアントデータ・顧客データ・住所地データ・建築地データに基づいて、データを格納するオブジェクトを生成すると共に、該物件専用のデータ格納領域に格納する。工種のコード及び提示価格の組合せを配列としてオブジェクトに格納する。プログラムから依頼すべき業務処理プログラムのコードを抽出し、抽出したプログラムのコードをオブジェクトに格納し、オブジェクト内全データを情報流通管理サーバへ転送する。
【０１５２】
オブジェクト内全データを受信した情報流通管理サーバは、転送されたオブジェクトからクライアントデータ・顧客データ・住所地データ・建築地データ、及び、工種のコードと提示価格の配列を抽出する。抽出したクライアントデータ・顧客データ・住所地データ・建築地データに基づいて物件ナンバーを検索する。検出された物件ナンバーに基づいて、抽出された提示価格を工種項目に該当する変更基礎価格として変更登録する。クライアントデータに基づいて価格係数とクライアント価格係数を検索する。検出した価格係数に基づいて変更基本価格を算出し、データベースの基本価格に変更登録する。さらに、検出したクライアント価格係数に基づいて、変更基本価格から変更提示価格を算出し、データベースの提示価格に変更登録する。工種のコードに該当する施工監理者のデータを検出する。顧客データ・住所地データ・建築地データに基づいて、データを格納するオブジェクトを生成すると共に、該物件専用のデータ格納領域に格納する。検出した施工監理者のデータ、及び、工種のコード及び提示価格の組合せを配列としてオブジェクトに格納する。プログラムから依頼すべき業務処理プログラムのコードを抽出し、抽出したプログラムのコードをオブジェクトに格納し、オブジェクト内全データをクライアントサーバへ転送する。
【０１５３】
オブジェクト内全データを受信したクライアントサーバの業務処理プログラムでは、転送されたオブジェクトから顧客データ・住所地データ・建築地データ、施工監理者のデータ及び、工種のコードと提示価格の配列を抽出する。抽出した顧客データ・住所地データ・建築地データに基づいて物件ナンバーを検索する。検出された物件ナンバーに基づいて、抽出した施工監理者のデータを該当する工種項目の施工監理者として変更登録すると共に、抽出された提示価格を該当する工種項目の提示価格として変更登録する。変更登録された提示価格を集計し、建築総額と選択された工種項目の価格を算出する。抽出された施工監理者・算出された建築総額・工種価格と合成写像・建築資材の生産者及びパーツ商品の品番を表示すると共に、「パーツ商品の仕様変更」や「パーツ商品シリーズの変更」・「パーツ商品生産者の変更」・「施工監理者の変更」・「パーツ商品の仕様確定」等の業務処理を選択できるようにした画面を表示する。
【０１５４】
業務処理のデータとして「パーツ商品の仕様確定」のデータを受信したクライアントサーバは、オブジェクトから物件ナンバーを検出する。検出した物件ナンバーをデータベースに移し、商品となる住宅のデータを検索する。物件ナンバーに基づいて、データベースから工種項目・品番の全組合せを取り出し、取り出した組合せをリスト化すると共に、提示価格を集計した建築価格を算出する。リストを活用して建築価格と工種項目・品番等の表示や業務処理選択のための表示と共に、変更可能な工種項目・品番には仕様変更ページへの転送機能を付加した画面を表示する。
【実施例３】
【０１５５】
業務処理のデータとして「標準外仕様の選択」を受信したクライアントサーバは、プログラムから依頼すべき業務処理プログラムのコードを抽出し、抽出したプログラムコードをオブジェクトに格納する。オブジェクト内全データを情報流通管理サーバへ転送する。
【０１５６】
オブジェクト内全データを受信した情報流通管理サーバの業務処理プログラムでは、転送されたオブジェクトからクライアントデータ・顧客データ・住所地データ・建築地データを抽出する。顧客データ・住所地データ・建築地データに基づいて物件ナンバーを検索し、検出した物件ナンバーに基づいて商品となる住宅のデータを検索する。検出された商品となる住宅のデータに基づいて、標準仕様となる工種を検索する。工種一覧データから標準仕様となる工種以外の工種データを検索し、検出された工種データに対応する建築地データに該当するデフォルト仕様データを検索する。検索されたデフォルト仕様データ群をオブジェクトに格納する。プログラムから依頼すべき業務処理プログラムのコードを抽出し、抽出したプログラムのコードをオブジェクトに格納する。オブジェクト内全データをクライアントサーバへ転送する。
【０１５７】
オブジェクト内全データを受信したクライアントサーバの業務処理プログラムでは、転送されたオブジェクトからデフォルト仕様データ群を抽出する。抽出されたデフォルト仕様データ群を選択された仕様のデータを発信する性能を持った写像・画像・映像・動画等で表示すると共に、処理業務を選択できるようにした画面を表示する。
【０１５８】
選択された仕様のデータを受信したクライアントサーバは、選択された仕様に該当する構成部品項目の数量データを検出する。構成部品項目でなんらかの数量データを検出できた場合は、検出された数量データに対応する品番等の仕様データ及び資材生産者データ・施工者データを検索すると共に、提示価格から建築総額・標準外仕様の総額・工種価格総額を算出する。算出された建築総額・標準外仕様の総額・工種価格総額と資材生産者情報・施工者（施工監理者又は施工責任者）情報、選択可能な状態でのデフォルト仕様の表示と数量を入力できるようにした画面を表示すると共に、「商品生産者の選択」・「商品シリーズの選択」・「仕様価格の計算」・「商品施工者の変更」・「仕様・数量の確定」・「仕様・数量の取消」等の業務処理を選択できるようにした画面を表示する。構成部品項目でなんらの数量データも検出できない場合は、工種項目のデータをオブジェクトに格納する。プログラムから依頼すべき業務処理プログラムのコードを抽出し、抽出したプログラムコードをオブジェクトに格納する。オブジェクト内全データを情報流通管理サーバに転送する。
【０１５９】
オブジェクト内全データを受信した情報流通管理サーバの業務処理プログラムでは、建築地に該当するデフォルトとして指定された資材生産者のデフォルトとして指定された商品シリーズの構成部品のデフォルト仕様を検出する。検出された構成部品の仕様データをオブジェクトに格納する。プログラムから依頼すべき業務処理プログラムのコードを抽出し、抽出したプログラムコードをオブジェクトに格納する。オブジェクト内全データをクライアントサーバに転送する。
【０１６０】
オブジェクト内全データを受信したクライアントサーバの業務処理プログラムでは、選択可能な状態でのデフォルト仕様の表示と数量を入力できるようにした画面を表示すると共に、「商品生産者の変更」・「商品シリーズの変更」・「仕様価格の計算」・「商品施工者の変更」等の業務処理を選択できるようにした画面を表示する。
【０１６１】
業務処理のデータとして「商品生産者の変更」のデータを受信したクライアントサーバは、受信データから変更する工種項目を抽出する。抽出された工種項目をオブジェクトに格納する。プログラムから依頼すべき業務処理プログラムのコードを抽出し、抽出したプログラムコードをオブジェクトに格納する。オブジェクト内全データを情報流通管理サーバに転送する。
【０１６２】
オブジェクト内全データを受信した情報流通管理サーバの業務処理プログラムでは、転送されたオブジェクトから工種項目と建築地データを抽出する。抽出した工種項目と建築地データをデータベースに移し、該建築資材の生産者を検索する。検索された資材生産者のデータからデフォルトとして指定された資材生産者以外の資材生産者のデータを検出できない場合は、他の資材生産者が存在しない旨を表示すると共に、「商品シリーズの変更」・「仕様・数量の変更」・「商品施工者の変更」等の業務処理を選択できるようにした画面を表示するデータを返信する。デフォルトとして指定された資材生産者以外の資材生産者のデータを検出できた場合は、検索された資材生産者群に該当するデフォルト仕様データを検索する。検索されたデフォルト仕様データ群をオブジェクトに格納する。プログラムから依頼すべき業務処理プログラムのコードを抽出し、抽出したプログラムのコードをオブジェクトに格納する。オブジェクト内全データをクライアントサーバへ転送する。
【０１６３】
オブジェクト内全データを受信したクライアントサーバの業務処理プログラムでは、転送されたオブジェクトからデフォルト仕様データ群を抽出する。抽出されたデフォルト仕様データ群を選択された資材生産者のデータを発信する性能を持った写像・画像・映像・動画等で画面表示すると共に、処理業務を変更選択できるようにした画面を表示する。
【０１６４】
選択された資材生産者のデータを受信したクライアントサーバは、受信したデータから工種項目と資材生産者のデータを抽出する。受信した資材生産者のデータをデータベースの工種項目に該当する資材生産者として追加登録・変更登録する。抽出された工種項目と資材生産者のデータをオブジェクトに格納する。プログラムから依頼すべき業務処理プログラムのコードを抽出し、抽出したプログラムコードをオブジェクトに格納する。オブジェクト内全データを情報流通管理サーバに転送する。
【０１６５】
オブジェクト内全データを受信した情報流通管理サーバの業務処理プログラムでは、転送されたオブジェクトから建築地データと工種項目・資材生産者データを抽出する。抽出した建築地データと工種項目・資材生産者データをデータベースに移し、該資材生産者が提供する商品シリーズを検索する。検索された商品シリーズのデータからデフォルトとして指定された商品シリーズ以外の商品シリーズのデータを検出できない場合は、他の商品シリーズが存在しない旨を表示すると共に、「商品シリーズの変更」・「仕様・数量の変更」・「商品施工者の変更」等の業務処理を選択できるようにした画面を表示するデータを返信する。デフォルトとして指定された商品シリーズ以外の商品シリーズのデータを検出できた場合は、検索された商品シリーズ群に該当するデフォルト仕様データを検索する。検索されたデフォルト仕様データ群をオブジェクトに格納する。プログラムから依頼すべき業務処理プログラムのコードを抽出し、抽出したプログラムのコードをオブジェクトに格納する。オブジェクト内全データをクライアントサーバへ転送する。
【０１６６】
オブジェクト内全データを受信したクライアントサーバの業務処理プログラムでは、転送されたオブジェクトからデフォルト仕様データ群を抽出する。抽出されたデフォルト仕様データ群を選択された商品シリーズのデータを発信する性能を持った写像・画像・映像・動画等で表示すると共に、処理業務を変更選択できるようにした画面を表示する。
【０１６７】
業務処理のデータとして「商品シリーズの選択」のデータを受信したクライアントサーバは、受信したデータから工種項目を抽出する。データベースから工種項目に対応する資材生産者のデータを検出する。抽出された工種項目と検出された資材生産者のデータをオブジェクトに格納する。プログラムから依頼すべき業務処理プログラムのコードを抽出し、抽出したプログラムコードをオブジェクトに格納する。オブジェクト内全データを情報流通管理サーバに転送する。
【０１６８】
オブジェクト内全データを受信した情報流通管理サーバの業務処理プログラムでは、転送されたオブジェクトから建築地データと工種項目・資材生産者データを抽出する。抽出した建築地データと工種項目・資材生産者データをデータベースに移し、該資材生産者が提供する商品シリーズを検索する。検索された商品シリーズのデータからデフォルトとして指定された商品シリーズ以外の商品シリーズのデータを検出できない場合は、他の商品シリーズが存在しない旨を表示すると共に、「商品シリーズの変更」・「仕様・数量の変更」・「商品施工者の変更」等の業務処理を選択できるようにした画面を表示するデータを返信する。デフォルトとして指定された商品シリーズ以外の商品シリーズのデータを検出できた場合は、検索された商品シリーズ群に該当するデフォルト仕様データを検索する。検索されたデフォルト仕様データ群をオブジェクトに格納する。プログラムから依頼すべき業務処理プログラムのコードを抽出し、抽出したプログラムのコードをオブジェクトに格納する。オブジェクト内全データをクライアントサーバへ転送する。
【０１６９】
オブジェクト内全データを受信したクライアントサーバの業務処理プログラムでは、転送されたオブジェクトからデフォルト仕様データ群を抽出する。抽出されたデフォルト仕様データ群を選択された商品シリーズのデータを発信する性能を持った写像・画像・映像・動画等で表示すると共に、処理業務を変更選択できるようにした画面を表示する。
【０１７０】
選択された商品シリーズのデータを受信したクライアントサーバは、受信したデータから工種項目と選択された商品シリーズのデータを抽出する。抽出した商品シリーズのデータをデータベースの工種項目に該当する商品シリーズとして追加登録・変更登録する。抽出された工種項目と抽出された商品シリーズのデータをオブジェクトに格納する。プログラムから依頼すべき業務処理プログラムのコードを抽出し、抽出したプログラムコードをオブジェクトに格納する。オブジェクト内全データを情報流通管理サーバに転送する。
【０１７１】
オブジェクト内全データを受信した情報流通管理サーバの業務処理プログラムでは、選択された商品シリーズを抽出する。抽出した商品シリーズの構成部品に対応するデフォルト仕様を検出する。検出された構成部品の仕様データをオブジェクトに格納する。プログラムから依頼すべき業務処理プログラムのコードを抽出し、抽出したプログラムコードをオブジェクトに格納する。オブジェクト内全データをクライアントサーバに転送する。
【０１７２】
オブジェクト内全データを受信したクライアントサーバの業務処理プログラムでは、受信した構成部品項目の数量データを検出する。構成部品項目でなんらの数量データも検出できない場合は、選択可能な状態でのデフォルト仕様の表示と数量を入力できるようにした画面を表示すると共に、「商品生産者の変更」・「商品シリーズの変更」・「仕様価格の計算」・「商品施工者の変更」等の業務処理を選択できるようにした画面を表示する。構成部品項目でなんらかの数量データを検出できた場合は、顧客データ、住所地データ、建築地データに基づいて、データを格納するオブジェクトを生成すると共に、該物件専用のデータ格納領域を確保する。生成されたオブジェクトに工種項目を格納する。オブジェクト内全データを情報流通管理サーバに転送する。
【０１７３】
オブジェクト内全データを受信した情報流通管理サーバの業務処理プログラムでは、転送されたオブジェクトからクライアントデータ、顧客データ、住所地データ、建築地データ、及び、工種項目を抽出する。クライアントデータ・顧客データ・住所地データ・建築地データから物件ナンバーを検出する。物件ナンバーに基づいたデータを格納するオブジェクトを生成すると共に、該物件専用のデータ格納領域を確保する。物件ナンバーと工種項目に基づいて、数量データが存在する構成部品項目・仕様データ及び数量データを検出する。検出された構成部品データ・仕様データ・数量データの配列をオブジェクトに格納する。プログラムから依頼すべき業務処理プログラムのコードを抽出し、抽出したプログラムのコードをオブジェクトに格納する。物件ナンバーに基づいて、施工者（施工監理者又は施工責任者）のデータを検索し、施工者のデータに該当する施工者のサーバアドレスを検索する。検出されたアドレスのサーバにオブジェクト内全データを転送する。
【０１７４】
オブジェクト内全データを受信した一次分散処理サーバ又は施工者の配置を管理するサーバの業務処理プログラムでは、転送されたオブジェクトからクライアントデータ・顧客データ、住所地データ、建築地データ、及び、構成部品データ・仕様データ・数量データの配列を抽出する。クライアントデータ・顧客データ・住所地データ・建築地データから物件ナンバーを検索する。物件ナンバーを検出できない場合は、クライアントデータ・顧客データ・住所地データ・建築地データから物件ナンバーを作成し、再度、物件ナンバーを検出する。検出した物件ナンバーに基づいたデータを格納するオブジェクトを生成すると共に、該物件専用のデータ格納領域を確保する。物件ナンバーに基づいて、該当構成部品項目の仕様データ・数量データをそれぞれ追加登録・変更登録する。該当構成部品項目の仕様データに基づいて検出された価格と数量データから基本価格を算出し、算出した基本価格を追加保存する。クライアントデータに基づいて価格係数を検索し、検出した価格係数と基本価格から提示価格を算出する。算出された提示価格を追加保存する。構成部品データと提示価格の組合せを配列としてオブジェクに格納する。プログラムから業務処理プログラムのコードを抽出し、抽出したプログラムのコードをオブジェクトに格納する。オブジェクト内全データを情報流通管理サーバへ転送する。
【０１７５】
オブジェクト内全データを受信した情報流通管理サーバの業務処理プログラムでは、構成部品データと提示価格の配列を抽出する。抽出した配列に基づいて、抽出した提示価格を構成部品項目の基礎価格として追加保存する。クライアントデータに基づいて価格係数とクライアント価格係数を検索する。検出した価格係数に基づいて基本価格を算出し、データベースの基本価格に追加登録する。さらに、検出したクライアント価格係数に基づいて、基本価格から提示価格を算出し、データベースの提示価格に追加登録する。顧客データ・住所地データ・建築地データに基づいて、データを格納するオブジェクトを生成すると共に、該物件専用のデータ格納領域に格納する。構成部品データと提示価格の組合せを配列として生成したオブジェクトに格納する。プログラムから依頼すべき業務処理プログラムのコードを抽出し、抽出したプログラムのコードをオブジェクトに格納し、オブジェクト内全データをクライアントサーバへ転送する。
【０１７６】
オブジェクト内全データを受信したクライアントサーバの業務処理プログラムでは、転送されたオブジェクトから顧客データ・住所地データ・建築地データ、及び、構成部品データと提示価格の配列を抽出する。抽出した顧客データ・住所地データ・建築地データに基づいて物件ナンバーを検索する。抽出された提示価格を該当する構成部品項目の提示価格として追加登録すると共に、提示価格から建築総額・標準外仕様の総額・工種価格総額を算出する。資材生産者データ・施工者（施工監理者又は施工責任者）データ、構成部品項目の品番等の仕様データ及び数量データを検索する。算出された建築総額・標準外仕様の総額・工種価格総額と検出された資材生産者情報・施工者（施工監理者又は施工責任者）情報、選択可能な状態での仕様データに基づいた情報、再入力可能な状態での数量情報を表示すると共に、「商品生産者の変更」・「商品シリーズの変更」・「仕様価格の計算」・「商品施工者の変更」・「仕様・数量の確定」・「仕様・数量の取消」等の業務処理を選択できるようにした画面を表示する。
【０１７７】
業務処理のデータとして「仕様価格の計算」のデータを受信したクライアントサーバは、受信データから選択された仕様データとそれに対応する構成部品データ、及び、入力された数量データを抽出する。抽出した構成部品データ・仕様データ・数量データの組合せを配列としてオブジェクトに格納すると共に、データベースの該当レコードに追加登録・変更登録する。プログラムから依頼すべき業務処理プログラムのコードを抽出し、抽出したプログラムのコードをオブジェクトに格納する。オブジェクト内全データを情報流通管理サーバへ転送する。
【０１７８】
オブジェクト内全データを受信した情報流通管理サーバの業務処理プログラムでは、転送されたオブジェクトからクライアントデータ、顧客データ、住所地データ、建築地データ、及び、構成部品データ・仕様データ・数量データの配列を抽出する。クライアントデータ・顧客データ・住所地データ・建築地データから物件ナンバーを検出する。検出した物件ナンバーに基づいて、該当工種の仕様データ・数量データをそれぞれ追加登録する。物件ナンバーに基づいたデータを格納するオブジェクトを生成すると共に、該物件専用のデータ格納領域を確保する。クライアントデータ、顧客データ、住所地データ、建築地データ、及び、工種項目・仕様データ・数量データの配列をオブジェクトに格納する。物件ナンバーに基づいて、施工者（施工監理者又は施工責任者）のデータを検索し、施工者のデータに該当する施工者のサーバアドレスを検索する。サーバアドレスを検出できた場合は、検出されたアドレスのサーバにオブジェクト内全データを転送する。
【０１７９】
サーバアドレスを検出できない場合は、工種項目の商品シリーズを検索する。検出した商品シリーズと建築地データに基づいて、デフォルトの施工監理者のデータを検索する。デフォルトの施工監理者のデータを検出できた場合は、検出した施工監理者を該工種項目の施工者として追加登録する。一次分散処理サーバでの業務処理プログラムのコードをプログラムから抽出し、抽出したプログラムのコードをオブジェクトに格納する。検出した施工監理者に該当する一次分散処理サーバにオブジェクト内全データを転送する。施工監理者のデータを検出できない場合は、生産を管理するサーバでの業務処理プログラムのコードをプログラムから抽出し、抽出したプログラムのコードをオブジェクトに格納する。商品シリーズに基づいた生産を管理するサーバを検索する。検出した建築資材の生産を管理するサーバにオブジェクト内全データを転送する。
【０１８０】
オブジェクト内全データを受信した建築資材の生産を管理するサーバの業務処理プログラムでは、転送されたオブジェクトから受信した全データを抽出する。抽出した商品シリーズと建築地データに基づいてデフォルトの施工責任者のデータを検出する。検出された施工責任者のデータを情報流通管理サーバに返信する。
【０１８１】
建築資材の生産を管理するサーバからの返信データを受けた情報流通管理サーバは、受信した施工責任者のデータを該工種項目の施工者として追加登録する。プログラムから施工者の配置を管理するサーバでの業務処理プログラムのコードを抽出し、抽出したプログラムのコードをオブジェクトに格納する。受信した施工責任者に該当する施工者の配置を管理するサーバにオブジェクト内全データを転送する。
【０１８２】
オブジェクト内全データを受信した一次分散処理サーバ又は施工者の配置を管理するサーバの業務処理プログラムでは、転送されたオブジェクトからクライアントデータ・顧客データ、住所地データ、建築地データ、及び、構成部品データ・仕様データ・数量データの配列を抽出する。クライアントデータ・顧客データ・住所地データ・建築地データから物件ナンバーを検索する。物件ナンバーを検出できない場合は、クライアントデータ・顧客データ・住所地データ・建築地データに基づいて物件ナンバーを作成し、再度物件ナンバーを検索する。検出した物件ナンバーに基づいたデータを格納するオブジェクトを生成すると共に、該物件専用のデータ格納領域を確保する。物件ナンバーに基づいて、該当構成部品項目の仕様データ・数量データをそれぞれ追加登録する。該当構成部品項目の仕様データに基づいて検出された価格と数量データから基本価格を算出し、算出した基本価格を追加保存する。クライアントデータに基づいて価格係数を検索し、検出した価格係数と基本価格から提示価格を算出する。算出された提示価格を追加保存する。構成部品データと提示価格の組合せを配列としてオブジェクに格納する。プログラムから業務処理プログラムのコードを抽出し、抽出したプログラムのコードをオブジェクトに格納する。オブジェクト内全データを情報流通管理サーバへ転送する。
【０１８３】
オブジェクト内全データを受信した情報流通管理サーバの業務処理プログラムでは、構成部品データと提示価格の配列を抽出する。抽出した配列に基づいて、抽出した提示価格を構成部品項目の基礎価格として追加保存する。クライアントデータに基づいて価格係数とクライアント価格係数を検索する。検出した価格係数に基づいて基本価格を算出し、データベースの基本価格に追加登録する。さらに、検出したクライアント価格係数に基づいて、基本価格から提示価格を算出し、データベースの提示価格に追加登録する。顧客データ・住所地データ・建築地データに基づいて、データを格納するオブジェクトを生成すると共に、該物件専用のデータ格納領域に格納する。構成部品項目と提示価格の組合せを配列として生成したオブジェクトに格納する。工種項目から施工者データを検出し、オブジェクトに格納する。プログラムから依頼すべき業務処理プログラムのコードを抽出し、抽出したプログラムのコードをオブジェクトに格納し、オブジェクト内全データをクライアントサーバへ転送する。
【０１８４】
オブジェクト内全データを受信したクライアントサーバの業務処理プログラムでは、転送されたオブジェクトから顧客データ・住所地データ・建築地データ、施工者のデータ、及び、構成部品データと提示価格の配列を抽出する。抽出した顧客データ・住所地データ・建築地データに基づいて物件ナンバーを検索する。検出された物件ナンバーに基づいて、抽出した施工者のデータを該当する工種項目の施工者として追加登録・変更登録する。抽出された提示価格を該当する工種項目の提示価格として追加登録・変更登録すると共に、提示価格から建築総額・標準外仕様の総額・工種価格総額を算出する。工種項目の品番等の仕様データ及び数量データを検索する。算出された建築総額・標準外仕様の総額・工種価格総額と資材生産者情報・施工者（施工監理者又は施工責任者）情報、選択可能な状態での仕様データに基づいた情報、再入力可能な状態での数量情報を表示すると共に、「商品生産者の変更」・「商品シリーズの変更」・「仕様価格の計算」・「商品施工者の変更」・「仕様・数量の確定」・「仕様・数量の取消」等の業務処理を選択できるようにした画面を表示する。
【０１８５】
業務処理のデータとして「商品施工者の変更」のデータを受信したクライアントサーバは、受信したデータから変更する工種データを抽出する。抽出された工種データをオブジェクトに格納する。プログラムから依頼すべき業務処理プログラムのコードを抽出し、抽出したプログラムコードをオブジェクトに格納する。オブジェクト内全データを情報流通管理サーバに転送する。
【０１８６】
オブジェクト内全データを受信した情報流通管理サーバの業務処理プログラムでは、転送されたオブジェクトから工種データとクライアントデータ・顧客データ・住所地データ・建築地データを抽出する。抽出した工種データとクライアントデータ・顧客データ・住所地データ・建築地データをデータベースに移し、クライアントデータ・顧客データ・住所地データ・建築地データから物件ナンバーを検出する。物件ナンバーから登録された施工者を検出する。該工種データの商品シリーズを検出し、該建築地を施工範囲とする商品シリーズの施工監理者を検索する。検出された施工監理者のデータが施工者のみの場合は、他の施工者が存在しない旨を表示すると共に、「商品生産者の選択」・「商品シリーズの変更」・「仕様・数量の変更」等の業務処理を選択できるようにした画面を表示するデータを返信する。検出された施工監理者のデータに施工者以外のデータが検出された場合は、検索した施工監理者群をリスト表示し、施工監理者を選択できるようにした画面を表示するデータを返信する。施工監理者のデータの検出できない場合は、物件ナンバーに基づいたデータを格納するオブジェクトを生成すると共に、該物件専用のデータ格納領域を確保する。検出していた商品シリーズをオブジェクトに格納する。プログラムから生産を管理するサーバでの業務処理プログラムのコードを抽出し、抽出したプログラムのコードをオブジェクトに格納する。商品シリーズに基づいた生産を管理するサーバを検索する。検出した建築資材の生産を管理するサーバにオブジェクト内全データを転送する。
【０１８７】
オブジェクト内全データを受信した建築資材の生産を管理するサーバの業務処理プログラムでは、転送されたオブジェクトから商品シリーズと建築地データを抽出する。抽出した商品シリーズと建築地データに基づいて、施工責任者のデータを検出する。検出された施工責任者のデータが施工者のみの場合は、他の施工者が存在しない旨を表示すると共に、「商品生産者の選択」・「商品シリーズの変更」・「仕様・数量の変更」等の業務処理を選択できるようにした画面を表示するデータを返信する。検出された施工責任者のデータに施工者以外のデータが検出された場合は、検索した施工責任者群をリスト表示し、施工責任者を選択できるようにした画面を表示するデータを返信する。
【０１８８】
選択された施工者のデータを受信したクライアントサーバは、受信したデータから施工者と工種項目のデータを抽出し、抽出した施工者と工種項目のデータをオブジェクトに格納すると共に、施工者（施工監理者又は施工責任者）のデータを工種項目の施工者として変更登録する。プログラムから依頼すべき業務処理プログラムのコードを抽出し、抽出したプログラムコードをオブジェクトに格納する。オブジェクト内全データを情報流通管理サーバに転送する。
【０１８９】
オブジェクト内全データを受信した情報流通管理サーバの業務処理プログラムでは、転送されたオブジェクトから施工者と工種項目のデータ及び顧客データ・住所地データ・建築地データを抽出する。抽出した顧客データ・住所地データ・建築地データに基づいて、物件ナンバーを検出する。検出した物件ナンバーに基づいて、オブジェクトを生成し、該物件専用のデータ格納領域に格納する。また、物件ナンバーに基づいて、クライアントデータを検出し、検出されたクライアントデータと共に、顧客データ・住所地データ・建築地データをオブジェクトに格納する。抽出した工種項目と物件ナンバーに基づいて、数量データが存在する構成部品データを検出し、検出された構成部品項目の仕様データ・数量データを検索する。検出された仕様データ・数量データ及び構成部品データの組合せを配列としてオブジェクトに格納する。抽出した施工者のデータに該当する施工者のサーバアドレスを検索する。サーバアドレスを検出できた場合は、施工者（施工監理者又は施工責任者）のデータを工種項目の施工者として変更登録する。施工者のデータに基づいて、施工監理者又は施工責任者それぞれに該当する業務処理プログラムのコードをプログラムから抽出し、抽出したプログラムのコードをオブジェクトに格納する。検出されたアドレスのサーバにオブジェクト内全データを転送する。サーバアドレスを検出できない場合は、施工者のデータをオブジェクトに格納し、工種項目の商品シリーズを検索する。検出した商品シリーズに基づいて、生産を管理するサーバを検索する。検出した建築資材の生産を管理するサーバにオブジェクト内全データを転送する。
【０１９０】
オブジェクト内全データを受信した建築資材の生産を管理するサーバの業務処理プログラムでは、転送されたオブジェクトから施工者のデータを抽出する。抽出した施工者のデータに対応するサーバアドレスを検出する。検出されたサーバアドレスを情報流通管理サーバに返信する。
【０１９１】
建築資材の生産を管理するサーバからの返信データを受けた情報流通管理サーバは、受信したサーバアドレスのデータを施工責任者のデータとして追加登録する。プログラムから施工責任者に該当する業務処理プログラムのコードを抽出し、抽出したプログラムのコードをオブジェクトに格納する。受信したサーバアドレスに該当する施工者の配置を管理するサーバにオブジェクト内全データを転送する。
【０１９２】
オブジェクト内全データを受信した一次分散処理サーバ又は施工者の配置を管理するサーバの業務処理プログラムでは、転送されたオブジェクトからクライアントデータ・顧客データ、住所地データ、建築地データ、及び、構成部品データ・仕様データ・数量データの配列を抽出する。クライアントデータ・顧客データ・住所地データ・建築地データから物件ナンバーを検索する。検出した物件ナンバーに基づいたデータを格納するオブジェクトを生成すると共に、該物件専用のデータ格納領域を確保する。物件ナンバーに基づいて、該当構成部品項目の仕様データ・数量データをそれぞれ追加登録・変更登録する。該当構成部品項目の仕様データに基づいて検出された価格と数量データから基本価格を算出し、算出した基本価格を追加保存・変更登録する。クライアントデータに基づいて価格係数を検索し、検出した価格係数と基本価格から提示価格を算出する。算出された提示価格を追加保存・変更登録する。構成部品データと提示価格の組合せを配列としてオブジェクに格納する。プログラムから業務処理プログラムのコードを抽出し、抽出したプログラムのコードをオブジェクトに格納し、オブジェクト内全データを情報流通管理サーバへ転送する。
【０１９３】
オブジェクト内全データを受信した情報流通管理サーバの業務処理プログラムでは、構成部品データと提示価格の配列を抽出する。抽出した配列に基づいて、抽出した提示価格を構成部品項目の基礎価格として追加保存する。クライアントデータに基づいて価格係数とクライアント価格係数を検索する。検出した価格係数に基づいて基本価格を算出し、データベースの基本価格に追加登録する。さらに、検出したクライアント価格係数に基づいて、基本価格から提示価格を算出し、データベースの提示価格に追加登録する。顧客データ・住所地データ・建築地データに基づいて、データを格納するオブジェクトを生成すると共に、該物件専用のデータ格納領域に格納する。構成部品項目と提示価格の組合せを配列として生成したオブジェクトに格納する。プログラムから依頼すべき業務処理プログラムのコードを抽出し、抽出したプログラムのコードをオブジェクトに格納し、オブジェクト内全データをクライアントサーバへ転送する。
【０１９４】
オブジェクト内全データを受信したクライアントサーバの業務処理プログラムでは、転送されたオブジェクトから顧客データ・住所地データ・建築地データ、及び、構成部品データと提示価格の配列を抽出する。抽出した顧客データ・住所地データ・建築地データに基づいて物件ナンバーを検索する。物件ナンバーに基づいて、抽出された提示価格を該当する工種項目の提示価格として追加登録・変更登録すると共に、提示価格から建築総額・標準外仕様の総額・工種価格総額を算出する。資材生産者データ・施工者データ・工種項目の品番等の仕様データ及び数量データを検索する。算出された建築総額・標準外仕様の総額・工種価格総額と資材生産者情報・施工者（施工監理者又は施工責任者）情報、選択可能な状態での仕様データに基づいた情報、再入力可能な状態での数量情報を表示すると共に、「商品生産者の変更」・「商品シリーズの変更」・「仕様価格の計算」・「商品施工者の変更」・「仕様・数量の確定」・「仕様・数量の取消」等の業務処理を選択できるようにした画面を表示する。
【０１９５】
業務処理のデータとして「仕様・数量の変更」のデータを受信したクライアントサーバは、選択された工種項目に該当する構成部品項目の品番等の仕様データ及び数量データを検出する。また、資材生産者データ・施工者データを検索すると共に、提示価格から建築総額・標準外仕様の総額・工種価格総額を算出する。算出された建築総額・標準外仕様の総額・工種価格総額と資材生産者情報・施工者（施工監理者又は施工責任者）情報、選択可能な状態での仕様データに基づいた情報、再入力可能な状態での数量情報を表示すると共に、「商品生産者の選択」・「商品シリーズの選択」・「仕様価格の計算」・「商品施工者の変更」・「仕様・数量の確定」・「仕様・数量の取消」等の業務処理を選択できるようにした画面を表示する。
【０１９６】
業務処理のデータとして「仕様・数量の確定」のデータを受信したクライアントサーバは、プログラムから依頼すべき業務処理プログラムのコードを抽出し、抽出したプログラムコードをオブジェクトに格納する。オブジェクト内全データを情報流通管理サーバへ転送する。
【０１９７】
オブジェクト内全データを受信した情報流通管理サーバの業務処理プログラムでは、転送されたオブジェクトからクライアントデータ・顧客データ・住所地データ・建築地データを抽出する。顧客データ・住所地データ・建築地データに基づいて物件ナンバーを検索し、検出した物件ナンバーに基づいて商品となる住宅のデータを検索する。検出された商品となる住宅のデータに基づいて、標準仕様となる工種を検索する。工種一覧データから標準仕様となる工種以外の工種データを検索し、検出された工種データに対応する建築地データに該当するデフォルト仕様データを検索する。検索されたデフォルト仕様データ群をオブジェクトに格納する。プログラムから依頼すべき業務処理プログラムのコードを抽出し、抽出したプログラムのコードをオブジェクトに格納する。オブジェクト内全データをクライアントサーバへ転送する。
【０１９８】
オブジェクト内全データを受信したクライアントサーバの業務処理プログラムでは、転送されたオブジェクトからデフォルト仕様データ群を抽出する。抽出されたデフォルト仕様データ群を選択された仕様のデータを発信する性能を持った写像・画像・映像・動画等で表示すると共に、処理業務を選択できるようにした画面を表示する。
【０１９９】
業務処理のデータとして「仕様・数量の取消」のデータを受信したクライアントサーバは、受信したデータから工種データを抽出する。物件ナンバーを検出し、検出した物件ナンバーの工種項目に該当する仕様データ及び数量データ等を空にする。プログラムから依頼すべき業務処理プログラムのコードを抽出し、抽出したプログラムコードと工種データをオブジェクトに格納する。オブジェクト内全データを情報流通管理サーバに転送する。
【０２００】
オブジェクト内全データを受信した情報流通管理サーバの業務処理プログラムでは、転送されたオブジェクトから工種項目を抽出する。物件ナンバーを検出し、検出した物件ナンバーの工種項目に該当する仕様データ及び数量データ等を空にする。仕様・数量のデータを削除した旨を表示すると共に、「商品生産者の選択」・「商品シリーズの変更」・「商品施工者の変更」・「仕様・数量の変更」・「仕様・数量の確定」等の業務処理を選択できるようにした画面を表示するデータを返信する。
【実施例４】
【０２０１】
業務処理のデータとして「別途工事の見積」を受信したクライアントサーバは、見積業務処理を行う工種項目を選択できると共に、処理業務を選択できるようにした画面を表示する。
【０２０２】
選択された工種項目のデータを受信したクライアントサーバは、工種項目の履歴データを検索する。履歴データを検出できない場合は、選択された工種項目のデータをオブジェクトに格納する。工種項目のデフォルト施工者（現場管理者又は施工責任者）のデータを検索する。データを検出できた場合は、検出した施工者データをオブジェクトに格納する。プログラムから依頼すべき業務処理プログラムのコードを抽出し、抽出したプログラムコードをオブジェクトに格納し、オブジェクト内全データを情報流通管理サーバに転送する。
【０２０３】
オブジェクト内全データを受信した情報流通管理サーバの業務処理プログラムでは、受信したデータから工種項目データと建築地データ・施工者データを抽出する。抽出した工種項目データと建築地データに基づいて、建築地で施工可能な施工者データを検索する。抽出した施工者データが検出した施工者データにある時は、抽出した施工者データを施工者の配列に格納し、他の施工者データを検出順に施工者の配列に格納する。抽出した施工者データが検出した施工者データにない時は、検出順に施工者の配列に格納する。施工者の配列データをクライアントサーバに返信する。
【０２０４】
施工者の配列データを受信したクライアントサーバは、受信した施工者の配列データを配列順にリスト化し選択可能な状態で表示すると共に、選択可能な状態での工種構成項目データに基づいた情報及び必要な数量を入力できるようにした情報を表示する画面と同時に、「見積項目登録」・「見積依頼」等の業務処理を選択できるようにした画面を表示する。
【０２０５】
検出された履歴データが見積項目登録済の場合は、選択された工種項目のデータをオブジェクトに格納する。工種項目のデフォルト施工者データを検索する。データを検出できた場合は、検出した施工者データをオブジェクトに格納する。プログラムから依頼すべき業務処理プログラムのコードを抽出し、抽出したプログラムコードをオブジェクトに格納し、オブジェクト内全データを情報流通管理サーバに転送する。
【０２０６】
オブジェクト内全データを受信した情報流通管理サーバの業務処理プログラムでは、受信したデータから工種項目データと建築地データ・施工者データを抽出する。抽出した工種項目データと建築地データに基づいて、建築地で施工可能な施工者データを検索する。抽出した施工者データが検出した施工者データにある時は、抽出した施工者データを施工者の配列に格納し、他の施工者データを検出順に施工者の配列に格納する。抽出した施工者データが検出した施工者データにない時は、検出順に施工者の配列に格納する。施工者の配列データをクライアントサーバに返信する。
【０２０７】
施工者の配列データを受信したクライアントサーバは、受信した施工者の配列データを配列順にリスト化し選択可能な状態で表示すると共に、再選択可能な状態での工種構成項目データに基づいた情報、必要な数量を再入力できるようにした情報、及び、工種構成項目の選択情報、入力済数量情報を表示する画面と同時に、「見積項目修正」・「見積依頼」等の業務処理を選択できるようにした画面を表示する。
【０２０８】
検出された履歴データが見積依頼済の場合は、選択された工種項目のデータをオブジェクトに格納する。プログラムから依頼すべき業務処理プログラムのコードを抽出し、抽出したプログラムコードをオブジェクトに格納し、オブジェクト内全データを情報流通管理サーバに転送する。
【０２０９】
オブジェクト内全データを受信した情報流通管理サーバの業務処理プログラムでは、受信したデータから物件ナンバーを検出すると共に、工種項目データを抽出する。物件ナンバーと工種項目データに基づいて、見積を依頼した施工者データを検索し、検出順に施工者の配列に格納する。施工者の配列データをクライアントサーバに返信する。
【０２１０】
施工者の配列データを受信したクライアントサーバは、受信した施工者の配列データを配列順にリスト化し選択可能な状態で表示すると共に、工種構成項目の選択情報、入力済数量情報を表示する画面と同時に、「見積項目の変更」・「見積依頼業者の追加」・「見積受信」等の業務処理を選択できるようにした画面を表示する。
【０２１１】
検出された履歴データが見積受信済の場合は、選択された工種項目の暫定施工者として登録された施工者のデータと選択された工種項目のデータをオブジェクトに格納する。プログラムから依頼すべき業務処理プログラムのコードを抽出し、抽出したプログラムコードをオブジェクトに格納し、オブジェクト内全データを情報流通管理サーバに転送する。
【０２１２】
オブジェクト内全データを受信した情報流通管理サーバの業務処理プログラムでは、受信したデータから物件ナンバーを検出すると共に、工種項目データ・施工者データを抽出する。物件ナンバーと工種項目データに基づいて、見積を依頼した施工者データを検索する。抽出した暫定施工者データを施工者の配列に格納し、他の施工者データを検出順に施工者の配列に格納する。暫定施工者の提示価格データを検出し、検出された提示価格データに該当する工種構成項目データを検出する。検出された提示価格データと工種構成項目データを配列に格納する。提示価格・工種構成項目の配列データと施工者の配列データをクライアントサーバに返信する。
【０２１３】
施工者の配列データを受信したクライアントサーバは、受信した施工者の配列データを配列順にリスト化し選択可能な状態で表示すると共に、提示価格・工種構成項目の配列データに基づいた暫定施工者の提示価格及び工種構成項目の情報を表示する画面と同時に、「見積依頼業者の追加」・「見積表示業者の変更」・「検討業者決定」等の業務処理を選択できるようにした画面を表示する。
【０２１４】
検出された履歴データが検討業者決定済の場合は、検討業者として登録されたデータに基づいて工種構成項目データと提示価格データを検出する。提示価格から建築総額を算出する。算出された建築総額、提示価格データに基づいた情報及び検出した工種構成項目データを選択可能な状態で表示すると共に、「見積金額の計算」・「検討業者変更」等の業務処理を選択できるようにした画面を表示する。
【０２１５】
検出された履歴データが構成項目選択済の場合は、検討業者として登録されたデータに基づいて工種構成項目データと提示価格データを検出する。提示価格から建築総額・工種価格総額を算出する。選択されている工種構成項目を検出する。算出された建築総額・工種価格総額の情報、工種構成項目の選択情報、提示価格情報とそれに対応する選択可能状態での工種構成項目の表示と共に、「見積金額の計算」・「検討業者変更」・「工種構成項目・業者確定」等の業務処理を選択できるようにした画面を表示する。
【０２１６】
検出された履歴データが工種構成項目・業者確定済の場合は、選択された工種項目が確定済である旨を表示する画面を、見積業務処理を行う工種項目を選択できる画面、処理業務を選択できるようにした画面と共に表示する。
【０２１７】
業務処理のデータとして「見積項目登録」のデータを受信したクライアントサーバは、受信したデータから工種項目と選択された工種構成項目のデータ、入力された数量データを抽出する。物件ナンバーを検出し、物件ナンバーと抽出した工種項目に該当する工種構成項目に抽出した工種構成のデータを、数量項目に抽出した数量データを追加登録する。工種項目の履歴データとして見積項目登録済を追加登録する。見積業務処理を行う工種項目を選択できると共に、処理業務を選択できるようにした画面を表示する。
に該当する
【０２１８】
業務処理のデータとして「見積項目修正」のデータを受信したクライアントサーバは、受信したデータから工種項目と選択された工種構成項目のデータ、入力された数量データを抽出する。物件ナンバーを検出し、物件ナンバーと抽出した工種項目に該当する工種構成項目に抽出した工種構成のデータを、数量項目に抽出した数量データを変更登録する。見積業務処理を行う工種項目を選択できると共に、処理業務を選択できるようにした画面を表示する。
【０２１９】
業務処理のデータとして「見積依頼」のデータを受信したクライアントサーバは、受信したデータから工種項目と選択された工種構成項目のデータ、入力された数量データ及び選択された施工者データを抽出する。物件ナンバーを検出し、物件ナンバーと抽出した工種項目に該当する工種構成項目に抽出した工種構成のデータを、数量項目に抽出した数量データを、施工者項目に抽出した施工者データを追加登録する。工種項目の履歴データとして見積依頼済を追加登録・変更登録する。抽出したデータをオブジェクトに格納する。プログラムから依頼すべき業務処理プログラムのコードを抽出し、抽出したプログラムコードをオブジェクトに格納し、オブジェクト内全データを情報流通管理サーバに転送する。
【０２２０】
オブジェクト内全データを受信した情報流通管理サーバの業務処理プログラムでは、オブジェクトから工種項目データ・工種構成のデータ・数量データ・施工者データ・建築地データを抽出すると共に、物件ナンバーを検出する。検出した物件ナンバーと抽出した工種項目に該当する工種構成項目に抽出した工種構成のデータを、数量項目に抽出した数量データを、施工者項目に抽出した施工者データを追加登録する。工種項目の履歴データに見積依頼済を追加登録・変更登録すると共に、該施工者の履歴データに見積依頼済を追加登録する。抽出した施工者に提示価格の算出を依頼する旨のメールをインターネット回線・モバイル通信の両方のインフラを利用して通知する。抽出した工種項目データと建築地データに基づいて、建築地で施工可能な施工者データを検索する。抽出した施工者データを施工者の配列に格納し、他の施工者データを検出順に施工者の配列に格納する。施工者の配列データをクライアントサーバに返信する。
【０２２１】
施工者の配列データを受信したクライアントサーバは、受信した施工者の配列データを配列順にリスト化し選択可能な状態で表示すると共に、工種構成項目の選択情報、入力済数量情報を表示する画面と同時に、「見積項目の変更」・「見積依頼業者の追加」・「見積受信」等の業務処理を選択できるようにした画面を表示する。
【０２２２】
業務処理のデータとして「見積依頼業者の追加」のデータを受信したクライアントサーバは、受信したデータから工種項目と選択された施工者データを抽出する。抽出した工種項目と選択された施工者データをオブジェクトに格納する。プログラムから依頼すべき業務処理プログラムのコードを抽出し、抽出したプログラムコードをオブジェクトに格納し、オブジェクト内全データを情報流通管理サーバに転送する。
【０２２３】
オブジェクト内全データを受信した情報流通管理サーバの業務処理プログラムでは、工種項目と施工者データ・建築地データを抽出すると共に、物件ナンバーを検出する。検出した物件ナンバーと抽出した工種項目・施工者データに基づいて新たなレコードを生成する。新たなレコードに該当する工種構成のデータと数量データを転写する。該施工者の履歴データに見積依頼済を追加登録する。抽出した施工者に提示価格の算出を依頼する旨のメールをインターネット回線・モバイル通信の両方のインフラを利用して通知する。抽出した工種項目データと建築地データに基づいて、建築地で施工可能な施工者データを検索する。抽出した施工者データを施工者の配列に格納し、他の施工者データを検出順に施工者の配列に格納する。施工者の配列データをクライアントサーバに返信する。
【０２２４】
施工者の配列データを受信したクライアントサーバは、受信した施工者の配列データを配列順にリスト化し選択可能な状態で表示すると共に、工種構成項目の選択情報、入力済数量情報を表示する画面と同時に、「見積項目の変更」・「見積依頼業者の追加」・「見積受信」等の業務処理を選択できるようにした画面を表示する。
【０２２５】
業務処理のデータとして「見積項目の変更」のデータを受信したクライアントサーバは、受信したデータから工種項目と選択された工種構成項目のデータ、入力された数量データを抽出し、抽出したデータをオブジェクトに格納する。施工者のデータを検出し、オブジェクトに格納する。プログラムから依頼すべき業務処理プログラムのコードを抽出し、抽出したプログラムコードをオブジェクトに格納し、オブジェクト内全データを情報流通管理サーバに転送する。
【０２２６】
オブジェクト内全データを受信した情報流通管理サーバの業務処理プログラムでは、オブジェクトから工種項目データを抽出すると共に、物件ナンバーを検出する。物件ナンバーに該当する工種項目の履歴データを検索する。検出された履歴データが見積送信済の場合は、見積中であり見積項目の変更はできない旨の表示をする画面と同時に、「見積依頼業者の追加」・「見積受信」等の業務処理を選択できるようにした画面を表示するデータを返信する。検出された履歴データが見積受信可の場合は、見積の受信が可能であり見積項目の変更はできない旨の表示をする画面と同時に、「見積依頼業者の追加」・「見積受信」等の業務処理を選択できるようにした画面を表示するデータを返信する。
【０２２７】
検出された履歴データが見積依頼済の場合は、履歴データを見積依頼中断に変更登録する。工種構成のデータ・数量データ・施工者のデータを抽出する。検出した物件ナンバーと抽出した工種項目に該当する工種構成項目に抽出した工種構成のデータを、数量項目に抽出した数量データを、変更登録する。履歴データを見積依頼済に変更登録する。物件ナンバーに基づいて、データを格納するオブジェクトを生成すると共に、該物件専用のデータ格納領域に格納する。工種構成のデータ・数量データをオブジェクトに格納する。抽出した施工者のデータを施工者の配列に格納する。物件ナンバーと工種項目データに基づいた見積を依頼した施工者データを検索し、検出順に施工者の配列に格納する。施工者の配列をオブジェクトに格納する。プログラムから依頼すべき業務処理プログラムのコードを抽出し、抽出したプログラムコードをオブジェクトに格納し、オブジェクト内全データをクライアントサーバに転送する。
【０２２８】
オブジェクト内全データを受信したクライアントサーバの業務処理プログラムでは、オブジェクトから工種項目データ・工種構成項目データ・数量データ・施工者の配列を抽出すると共に、物件ナンバーを検出する。物件ナンバーと工種項目データに基づいて、工種構成項目に抽出した工種構成のデータを、数量項目に抽出した数量データを、変更登録する。抽出した施工者の配列データを配列順にリスト化し選択可能な状態で表示すると共に、工種構成項目の選択情報、入力済数量情報を表示する画面と同時に、「見積項目の変更」・「見積依頼業者の追加」・「見積受信」等の業務処理を選択できるようにした画面を表示する。
【０２２９】
業務処理のデータとして「見積受信」のデータを受信したクライアントサーバは、受信したデータから工種項目と見積受信を希望する施工者のデータを抽出し、抽出したデータをオブジェクトに格納する。施工者のデータを暫定施工者として変更登録する。プログラムから依頼すべき業務処理プログラムのコードを抽出し、抽出したプログラムコードをオブジェクトに格納し、オブジェクト内全データを情報流通管理サーバに転送する。
【０２３０】
オブジェクト内全データを受信した情報流通管理サーバの業務処理プログラムでは、オブジェクトから工種項目データと施工者データを抽出すると共に、物件ナンバーを検出する。物件ナンバーに該当する工種項目の履歴データを検索する。検出された履歴データが見積依頼済の場合は、見積依頼中であり見積の受信はできないが見積項目の変更は可能である旨の表示をする画面と同時に、「見積項目の変更」・「見積依頼業者の追加」等の業務処理を選択できるようにした画面を表示するデータを返信する。検出された履歴データが見積送信済の場合は、見積中であり見積を受信できない旨の表示をする画面と同時に、「見積項目の変更」・「見積依頼業者の追加」等の業務処理を選択できるようにした画面を表示するデータを返信する。
【０２３１】
検出された履歴データが見積受信可の場合は、履歴データを見積受信済に変更登録する。物件ナンバーに基づいて、データを格納するオブジェクトを生成すると共に、該物件専用のデータ格納領域に格納する。物件ナンバーと工種項目データに基づいて、該施工者の履歴データを検出する。検出された履歴データが見積依頼済又は見積送信済の場合は、見積中であり見積受信はできない旨の表示をする画面と同時に、「見積項目の変更」・「見積依頼業者の追加」等の業務処理を選択できるようにした画面を表示するデータを返信する。検出された履歴データが見積受信可の場合は、該施工者の履歴データを見積受信済に変更登録し、構成項目の提示価格を検出する。構成項目データと検出した提示価格の組合せを配列として取得し、オブジェクトに格納する。抽出した施工者のデータを施工者の配列に格納する。物件ナンバーと工種項目データに基づいた見積を依頼した施工者データを検索し、検出順に施工者の配列に格納する。施工者の配列をオブジェクトに格納する。プログラムから依頼すべき業務処理プログラムのコードを抽出し、抽出したプログラムコードをオブジェクトに格納し、オブジェクト内全データをクライアントサーバに転送する。
【０２３２】
オブジェクト内全データを受信したクライアントサーバの業務処理プログラムでは、オブジェクトから工種項目データ・構成項目データと提示価格の配列・施工者の配列を抽出すると共に、物件ナンバーを検出する。物件ナンバーと工種項目データに基づいて、抽出した提示価格を工種構成項目の提示価格として追加登録する。履歴データを見積受信済に変更登録する。受信した施工者の配列データを配列順にリスト化し選択可能な状態で表示すると共に、提示価格・工種構成項目の配列データに基づいた暫定施工者の提示価格及び工種構成項目の情報を表示する画面と同時に、「見積依頼業者の追加」・「見積表示業者の変更」・「検討業者決定」等の業務処理を選択できるようにした画面を表示する。
【０２３３】
業務処理のデータとして「見積表示業者の変更」のデータを受信したクライアントサーバは、受信したデータから工種項目と見積表示を希望する施工者のデータを抽出し、抽出したデータをオブジェクトに格納する。施工者のデータを暫定施工者として変更登録する。プログラムから依頼すべき業務処理プログラムのコードを抽出し、抽出したプログラムコードをオブジェクトに格納し、オブジェクト内全データを情報流通管理サーバに転送する。
【０２３４】
オブジェクト内全データを受信した情報流通管理サーバの業務処理プログラムでは、オブジェクトから工種項目データと施工者データを抽出すると共に、物件ナンバーを検出する。物件ナンバーと工種項目データに基づいて、該施工者の履歴データを検出する。検出された履歴データが見積依頼済又は見積送信済の場合は、見積中であり見積受信はできない旨の表示をする画面と同時に、「見積依頼業者の追加」・「見積表示業者の変更」等の業務処理を選択できるようにした画面を表示するデータを返信する。検出された履歴データが見積受信可の場合は、該施工者の履歴データを見積受信済に変更登録し、構成項目の提示価格を検出する。構成項目データと検出した提示価格の組合せを配列として取得し、オブジェクトに格納する。抽出した施工者のデータを施工者の配列に格納する。物件ナンバーと工種項目データに基づいた見積を依頼した施工者データを検索し、検出順に施工者の配列に格納する。施工者の配列をオブジェクトに格納する。プログラムから依頼すべき業務処理プログラムのコードを抽出し、抽出したプログラムコードをオブジェクトに格納し、オブジェクト内全データをクライアントサーバに転送する。
【０２３５】
オブジェクト内全データを受信したクライアントサーバの業務処理プログラムでは、オブジェクトから工種項目データ・構成項目データと提示価格の配列・施工者の配列を抽出すると共に、物件ナンバーを検出する。物件ナンバーと工種項目データに基づいて、抽出した提示価格を工種構成項目の提示価格として追加登録する。受信した施工者の配列データを配列順にリスト化し選択可能な状態で表示すると共に、提示価格・工種構成項目の配列データに基づいた暫定施工者の提示価格及び工種構成項目の情報を表示する画面と同時に、「見積依頼業者の追加」・「見積表示業者の変更」・「検討業者決定」等の業務処理を選択できるようにした画面を表示する。
【０２３６】
業務処理のデータとして「検討業者決定」のデータを受信したクライアントサーバは、受信した工種項目データを抽出すると共に、物件ナンバーを検出する。物件ナンバーと工種項目データに基づいて、工種項目に該当する施工者のデータ及び提示価格データを検出する。提示価格データが検出された工種構成項目のデータを検出すると共に、他の工種の提示価格を集計し建築総額を算出する。履歴データを検討業者決定済に変更登録する。算出された建築総額、提示価格データに基づいた情報及び検出した工種構成項目データを選択可能な状態で表示すると共に、「見積金額の計算」・「検討業者変更」等の業務処理を選択できるようにした画面を表示する。
【０２３７】
業務処理のデータとして「見積金額の計算」のデータを受信したクライアントサーバは、受信した工種項目データ・工種構成項目の選択データを抽出すると共に、物件ナンバーを検出する。物件ナンバーと工種項目データに基づいて、抽出された工種構成項目の選択データを追加登録・変更登録する。選択された構成項目の提示価格データを集計用テーブルに追加登録・変更登録する。工種項目に該当する施工者のデータ及び提示価格データを検出すると共に、提示価格を集計し建築総額・工種価格総額を算出する。履歴データを構成項目選択済に変更登録する。算出された建築総額・工種価格総額の情報、抽出された工種構成項目の選択情報、提示価格情報とそれに対応する選択可能状態での工種構成項目の表示と共に、「見積金額の計算」・「検討業者変更」・「工種構成項目・業者確定」等の業務処理を選択できるようにした画面を表示する。
【０２３８】
業務処理のデータとして「検討業者変更」のデータを受信したクライアントサーバは、受信した工種項目データを抽出すると共に、物件ナンバーを検出する。物件ナンバーと工種項目データに基づいて、施工者のデータを検出する。抽出していた工種項目データと検出した施工者データをオブジェクトに格納する。プログラムから依頼すべき業務処理プログラムのコードを抽出し、抽出したプログラムコードをオブジェクトに格納し、オブジェクト内全データを情報流通管理サーバに転送する。
【０２３９】
オブジェクト内全データを受信した情報流通管理サーバの業務処理プログラムでは、受信したデータから物件ナンバーを検出すると共に、工種項目データ・施工者データを抽出する。物件ナンバーと工種項目データに基づいて、見積を依頼した施工者データを検索する。抽出した施工者データを施工者の配列に格納し、他の施工者データを検出順に施工者の配列に格納し、施工者の配列データをクライアントサーバに返信する。
【０２４０】
施工者の配列データを受信したクライアントサーバは、該工種項目の提示価格データを検出し、検出された提示価格データに該当する工種構成項目データを検出する。提示価格データ及び施工者のデータを空にすると共に、履歴データを見積受信済に変更登録する。受信した施工者の配列データを配列順にリスト化し選択可能な状態で表示すると共に、提示価格・工種構成項目の配列データに基づいた暫定施工者の提示価格及び工種構成項目の情報を表示する画面と同時に、「見積依頼業者の追加」・「見積表示業者の変更」・「検討業者決定」等の業務処理を選択できるようにした画面を表示する。
【０２４１】
業務処理のデータとして「工種構成項目・業者確定」のデータを受信したクライアントサーバは、履歴データを工種構成項目・業者確定済に変更登録する。見積業務処理を行う工種項目を選択できると共に、処理業務を選択できるようにした画面を表示する。
【０２４２】
次に、別途工事等のように現地確認とそれに基づく個別見積を要し、データベース化ができない場合の見積依頼を受ける側の実施形態につき説明し、本発明の理解に供する。
【０２４３】
施工者（現場管理者又は施工責任者）のサーバにアクセスしようとする場合、アクセスしようとするコンピュータと同一のコンピュータに内蔵されたサーバのIDナンバーとパスワードの入力画面を表示させる。受信したIDナンバーとパスワードが該コンピュータに内蔵されたサーバのIDナンバー及びパスワードと合致するかを確認する。合致しない場合は、再度IDナンバーとパスワードの入力画面を表示すると共に、以後の処理を停止する。
【０２４４】
合致した場合は、施工者のサーバへのアクセスプログラムへ転送する。アクセスプログラムから該コンピュータに内蔵されたサーバを特定するコードを抽出する。データを格納するオブジェクトを生成すると共に、該物件専用のデータ格納領域を確保する。抽出した内蔵されたサーバを特定するコードを生成されたオブジェクトに格納する。プログラムから業務依頼するプログラムのデータを抽出し、抽出したプログラムのデータをオブジェクトに格納する。オブジェクト内全データを施工者のサーバに転送する。
【０２４５】
オブジェクト内全データを受信した施工者のサーバは、転送されたオブジェクトから内蔵されたサーバを特定するコードを抽出し、抽出したコードをデータベースに移し、施工者のサーバに対する入力者ナンバーを検索する。入力者ナンバーを検出できない場合は、以後の処理を停止する。入力者ナンバーを検出できた場合は、入力者のデータを格納するオブジェクトを生成すると共に、該入力者専用のデータ格納領域を確保する。また、情報流通管理サーバ・一次分散処理サーバ等や他のアクセスプログラムからのアクセスに対してスレッド起動可能状態で待機する。
【０２４６】
入力者のアクセスプログラムに対応するオブジェクトを生成した施工者のサーバは、すべての入力者に対して共有されるデータ格納領域から施工者のサーバを特定するコードを抽出する。抽出した施工者のサーバを特定するコードをオブジェクトに格納する。プログラムから業務依頼するプログラムのデータを抽出し、抽出したプログラムのデータをオブジェクトに格納する。オブジェクト内全データを情報流通管理サーバに転送する。
【０２４７】
オブジェクト内全データを受信した情報流通管理サーバの業務処理プログラムでは、施工者のサーバを特定するコードを抽出する。抽出した施工者のサーバを特定するコードに基づいて、施工者データを検出すると共に、施工者に対応する登録された工種項目を検出する。施工者データと工種項目に基づいて、該施工者の履歴データが見積依頼済の顧客データを検出し、見積依頼物件の配列に格納する。履歴データが見積送信済の顧客データを検出し、見積依頼受信済物件の配列に格納する。履歴データが見積受信可の顧客データを検出し、見積価格登録物件の配列に格納する。見積依頼物件、見積依頼受信済物件、及び見積価格登録物件の配列データを施工者のサーバに返信する。
【０２４８】
見積依頼物件、見積依頼受信済物件、及び見積価格登録物件の配列データを受信した施工者サーバは、受信した見積依頼物件の配列データを未受信見積依頼物件としてリスト化し選択可能な状態で表示すると共に、見積依頼受信済物件の配列データを見積価格未登録物件としてリスト化し選択可能な状態で表示し、見積価格登録物件の配列データを見積価格修正可能物件としてリスト化し選択可能な状態にした画面を表示する。
【０２４９】
未受信見積依頼物件から選択された顧客データを受信した施工者サーバは、受信したデータから顧客データを抽出する。抽出した顧客データをオブジェクトに格納する。プログラムから業務依頼するプログラムのデータを抽出し、抽出したプログラムのデータをオブジェクトに格納する。オブジェクト内全データを情報流通管理サーバに転送する。
【０２５０】
オブジェクト内全データを受信した情報流通管理サーバの業務処理プログラムでは、転送されたオブジェクトから顧客データを抽出し、抽出した顧客データに基づいて、物件ナンバーを検出する。物件ナンバーに基づいて、工種項目の履歴データを検出する。検出した履歴データが見積依頼済の場合は、見積送信済に変更登録する。該施工者の履歴データを見積送信済に変更登録する。物件ナンバーに対応するデータ保存用のオブジェクトを生成し、該物件専用のデータ格納領域を確保する。オブジェクトを物件ナンバーと工種項目に基づいて、工種構成項目の選択データと入力された数量データを検出する。検出された工種構成項目の選択データと入力された数量データを生成したオブジェクに格納する。建築地データ・クライアントデータ・顧客データ・住所地データ・工種項目データを検出して、オブジェクに格納する。プログラムから業務依頼するプログラムのデータを抽出し、抽出したプログラムのデータをオブジェクトに格納する。オブジェクト内全データを施工者サーバに転送する。
【０２５１】
オブジェクト内全データを受信した施工者サーバの業務処理プログラムでは、転送されたオブジェクトから顧客データ・クライアントデータ・建築地データ・工種項目データ・工種構成項目の選択データ・数量データを抽出する。抽出した顧客データ・クライアントデータ・建築地データ・住所地データに基づいて、物件ナンバーを検索する。物件ナンバーを検出できない場合は、顧客データ・クライアントデータ・建築地データ・住所地データに基づいた物件ナンバーを生成し、物件ナンバーを再検索する。検出された物件ナンバーと抽出された工種項目データに基づいたレコードを生成する。生成したレコードの工種構成項目に選択データを、数量項目に数量データを追加登録する。顧客データ・クライアントデータ・建築地データ・工種項目データに基づいた情報、選択された工種構成項目・数量データに基づいた情報、見積金額の入力を可能とする金額入力欄と共に、「保留登録」・「送信登録」・「物件検索」等の業務処理を選択できるようにした画面を表示する。
【０２５２】
見積価格未登録物件から選択された顧客データを受信した施工者サーバは、受信したデータから顧客データを抽出する。抽出した顧客データをデータベースに移し、顧客データ・クライアントデータ・建築地データ・工種項目データ、及び工種構成項目の選択データ・数量データを検出する。選択された工種構成項目に該当する提示価格データを検索する。提示価格データを検出できない場合は、顧客データ・クライアントデータ・建築地データ・工種項目データに基づいた情報、選択された工種構成項目・数量データに基づいた情報、見積金額の入力を可能とする金額入力欄と共に、「保留登録」・「送信登録」等の業務処理を選択できるようにした画面を表示する。提示価格データを検出できた場合は、顧客データ・クライアントデータ・建築地データ・工種項目データに基づいた情報、選択された工種構成項目・数量データに基づいた情報、見積金額の入力を可能とする金額入力欄に検出した提示価格データを表示すると共に、「保留登録」・「送信登録」・「物件検索」等の業務処理を選択できるようにした画面を表示する。
【０２５３】
見積価格修正可能物件から選択された顧客データを受信した施工者サーバは、受信したデータから顧客データを抽出する。抽出した顧客データに基づいて、顧客データ・クライアントデータ・建築地データ・住所地データ・工種項目データを検出し、オブジェクトに格納する。プログラムから業務依頼するプログラムのデータを抽出し、抽出したプログラムのデータをオブジェクトに格納する。オブジェクト内全データを情報流通管理サーバに転送する。
【０２５４】
オブジェクト内全データを受信した情報流通管理サーバの業務処理プログラムでは、顧客データ・クライアントデータ・建築地データ・住所地データ・工種項目データを抽出する。抽出した顧客データ・クライアントデータ・建築地データ・住所地データに基づいて、物件ナンバーを検出する。物件ナンバーに基づいて、施工者の履歴データを検出する。検出した履歴データが見積受信済の時は、見積は受信済であり変更できない旨を表示すると共に、「物件検索」等の業務処理を選択できるようにした画面を表示するデータを返信する。検出した履歴データが見積受信可の時は、施工者の履歴データを見積変更中に変更登録する。物件ナンバーに対応するデータ保存用のオブジェクトを生成し、該物件専用のデータ格納領域を確保する。物件ナンバーと工種項目に基づいて、選択された工種構成項目に該当する基礎価格データを検索する。検出した基礎価格データと工種構成項目データの組合せを配列としてオブジェクトに格納する。顧客データ・クライアントデータ・建築地データ・住所地データ・工種項目データをオブジェクトに格納する。プログラムから業務依頼するプログラムのデータを抽出し、抽出したプログラムのデータをオブジェクトに格納する。オブジェクト内全データを施工者サーバに転送する。
【０２５５】
オブジェクト内全データを受信した施工者サーバの業務処理プログラムでは、転送されたオブジェクトから顧客データ・クライアントデータ・建築地データ・住所地データ・工種項目データ及び構成項目配列データを抽出する。工種構成項目の選択データ・数量データを検出する。顧客データ・クライアントデータ・建築地データ・工種項目データに基づいた情報、選択された工種構成項目・数量データに基づいた情報、見積金額の入力を可能とする金額入力欄に受信した配列から抽出した価格データを表示すると共に、「送信登録」・「物件検索」等の業務処理を選択できるようにした画面を表示する。
【０２５６】
業務処理のデータとして「保留登録」のデータを受信した施工者サーバは、受信した金額入力欄に入力データを構成項目データとの組合せで抽出すると共に、工種項目データを抽出する。物件ナンバーを検出し、検出された物件ナンバーと工種項目データに基づいて、構成項目データに該当する提示価格項目に金額入力欄に入力されたデータを追加登録・変更登録する。オブジェクトを該入力者専用のデータ格納領域から取り除く。新たにデータを格納するオブジェクトを生成し、該入力者専用のデータ格納領域に格納する。すべての入力者に対して共有されるデータ格納領域から施工者のサーバを特定するコードを抽出する。抽出した施工者のサーバを特定するコードを生成したオブジェクトに格納する。プログラムから業務依頼するプログラムのデータを抽出し、抽出したプログラムのデータをオブジェクトに格納する。オブジェクト内全データを情報流通管理サーバに転送する。
【０２５７】
オブジェクト内全データを受信した情報流通管理サーバの業務処理プログラムでは、施工者のサーバを特定するコードを抽出する。抽出した施工者のサーバを特定するコードに基づいて、施工者データを検出すると共に、施工者に対応する登録された工種項目を検出する。施工者データと工種項目に基づいて、該施工者の履歴データが見積依頼済の顧客データを検出し、見積依頼物件の配列に格納する。履歴データが見積送信済の顧客データを検出し、見積依頼受信済物件の配列に格納する。履歴データが見積受信可の顧客データを検出し、見積価格登録物件の配列に格納する。見積依頼物件、見積依頼受信済物件、及び見積価格登録物件の配列データを施工者のサーバに返信する。
【０２５８】
見積依頼物件、見積依頼受信済物件、及び見積価格登録物件の配列データを受信した施工者サーバは、受信した見積依頼物件の配列データを未受信見積依頼物件としてリスト化し選択可能な状態で表示すると共に、見積依頼受信済物件の配列データを見積価格未登録物件としてリスト化し選択可能な状態で表示し、見積価格登録物件の配列データを見積価格修正可能物件としてリスト化し選択可能な状態にした画面を表示する。
【０２５９】
業務処理のデータとして「送信登録」のデータを受信した施工者サーバは、受信した工種項目データを抽出し、抽出した工種項目データをオブジェクトに格納する。金額入力欄に入力されたデータを構成項目コードとの組合せで抽出し、抽出された組合せを提示価格配列としてオブジェクトに格納する。プログラムから業務依頼するプログラムのデータを抽出し、抽出したプログラムのデータをオブジェクトに格納する。オブジェクト内全データを情報流通管理サーバに転送する。
【０２６０】
オブジェクト内全データを受信した情報流通管理サーバの業務処理プログラムでは、顧客データ・クライアントデータ・建築地データ・住所地データ・工種項目データ及び提示価格配列を抽出する。抽出した顧客データ・クライアントデータ・建築地データ・住所地データに基づいて、物件ナンバーを検出する。検出した物件ナンバーと工種項目データ・提示価格配列に基づいて、抽出した提示価格を工種構成項目の基礎価格として追加登録・変更登録する。クライアントデータに基づいて価格係数とクライアント価格係数を検索する。検出した価格係数に基づいて基本価格を算出し、データベースの基本価格に追加登録する。さらに、検出したクライアント価格係数に基づいて、基本価格から提示価格を算出し、データベースの提示価格に追加登録する。物件ナンバーに基づいて、施工者の履歴データを検出する。検出した履歴データが見積送信済又は見積変更中の時は、履歴データを見積受信可に変更登録する。工種項目の履歴データを検出する。検出した履歴データが見積送信済の時は、履歴データを見積受信可に変更登録する。
【０２６１】
オブジェクト内全データを情報流通管理サーバに転送した施工者サーバは、オブジェクトを該入力者専用のデータ格納領域から取り除く。新たにデータを格納するオブジェクトを生成し、該入力者専用のデータ格納領域に格納する。すべての入力者に対して共有されるデータ格納領域から施工者のサーバを特定するコードを抽出する。抽出した施工者のサーバを特定するコードを生成したオブジェクトに格納する。プログラムから業務依頼するプログラムのデータを抽出し、抽出したプログラムのデータをオブジェクトに格納する。オブジェクト内全データを情報流通管理サーバに転送する。
【０２６２】
オブジェクト内全データを受信した情報流通管理サーバの業務処理プログラムでは、施工者のサーバを特定するコードを抽出する。抽出した施工者のサーバを特定するコードに基づいて、施工者データを検出すると共に、施工者に対応する登録された工種項目を検出する。施工者データと工種項目に基づいて、該施工者の履歴データが見積依頼済の顧客データを検出し、見積依頼物件の配列に格納する。履歴データが見積送信済の顧客データを検出し、見積依頼受信済物件の配列に格納する。履歴データが見積受信可の顧客データを検出し、見積価格登録物件の配列に格納する。見積依頼物件、見積依頼受信済物件、及び見積価格登録物件の配列データを施工者のサーバに返信する。
【０２６３】
見積依頼物件、見積依頼受信済物件、及び見積価格登録物件の配列データを受信した施工者サーバは、受信した見積依頼物件の配列データを未受信見積依頼物件としてリスト化し選択可能な状態で表示すると共に、見積依頼受信済物件の配列データを見積価格未登録物件としてリスト化し選択可能な状態で表示し、見積価格登録物件の配列データを見積価格修正可能物件としてリスト化し選択可能な状態にした画面を表示する。
【０２６４】
業務処理のデータとして「物件検索」のデータを受信した施工者サーバは、オブジェクトを該入力者専用のデータ格納領域から取り除く。新たにデータを格納するオブジェクトを生成し、該入力者専用のデータ格納領域に格納する。すべての入力者に対して共有されるデータ格納領域から施工者のサーバを特定するコードを抽出する。抽出した施工者のサーバを特定するコードを生成したオブジェクトに格納する。プログラムから業務依頼するプログラムのデータを抽出し、抽出したプログラムのデータをオブジェクトに格納する。オブジェクト内全データを情報流通管理サーバに転送する。
【０２６５】
オブジェクト内全データを受信した情報流通管理サーバの業務処理プログラムでは、施工者のサーバを特定するコードを抽出する。抽出した施工者のサーバを特定するコードに基づいて、施工者データを検出すると共に、施工者に対応する登録された工種項目を検出する。施工者データと工種項目に基づいて、該施工者の履歴データが見積依頼済の顧客データを検出し、見積依頼物件の配列に格納する。履歴データが見積送信済の顧客データを検出し、見積依頼受信済物件の配列に格納する。履歴データが見積受信可の顧客データを検出し、見積価格登録物件の配列に格納する。見積依頼物件、見積依頼受信済物件、及び見積価格登録物件の配列データを施工者のサーバに返信する。
【０２６６】
見積依頼物件、見積依頼受信済物件、及び見積価格登録物件の配列データを受信した施工者サーバは、受信した見積依頼物件の配列データを未受信見積依頼物件としてリスト化し選択可能な状態で表示すると共に、見積依頼受信済物件の配列データを見積価格未登録物件としてリスト化し選択可能な状態で表示し、見積価格登録物件の配列データを見積価格修正可能物件としてリスト化し選択可能な状態にした画面を表示する。
【０２６７】
次に、添付した図面を参照しつつ、建築工事の電子商取引システムの具体的な実施形態につき説明し、本発明の理解に供する。
【実施例５】
【０２６８】
図１は、前記見積業務システムで発注予定工事を確定した建築工事の電子商取引を実施する業務形態の概要図である。なお、図１の１は、顧客との打合せ状況に合わせた情報を受発信するクライアントサーバ群であり、２は情報流通管理サーバ、３は一次分散処理サーバ群、４は建築資材の生産を管理するサーバ群、５は施工者の配置を管理するサーバ群である。６は各種住宅ローンの代理受領や自己資金のプールを前提とし、集金代行・振込申込事務代行等を業務とする資金管理者（又は同様に機能する元請企業・住宅販売会社）に電子的又はその他の方法で申込のあった物件についての建築資金に関するデータを受発信する独立分散処理サーバである。７は建築基準法・都市計画法の各種法令・条例や建築協定に基づいた許認可の管理者（又は建築確認業務を実施する企業・公的機関、設計事務所、元請企業・住宅販売会社）に電子的又はその他の方法で申込のあった建築確認申請についての適否等のデータを受発信する独立分散処理サーバである。８は住宅性能保証関連を管理する現場管理者（又は設計監理者）の一次分散処理サーバである。
【０２６９】
業務処理のデータとして「契約の申込」を受信したクライアントサーバ１は、物件ナンバーを検出し、検出した物件ナンバーに基づいた契約手続の履歴データを検索する。履歴データを検出できない場合は、資金管理者のデータ・許認可管理者のデータの入力画面と「契約手続開始」のアクション、及び、処理業務を選択できるようにした画面を表示する。建築資金手続中の履歴データを検出した場合は、建築資金手続き中である旨の表示と「建築資金の確認から契約手続継続」のアクション、及び、処理業務を選択できるようにした画面を表示する。建築確認提出中の履歴データを検出した場合は、建築資金は確定し建築申請中である旨の表示と「建築確認申請の確認から契約手続継続」のアクション、及び、処理業務を選択できるようにした画面を表示する。性能保証手続中の履歴データを検出した場合は、建築資金は確定し建築確認申請も許可になった旨の表示と「契約手続の確認」アクション、及び、処理業務を選択できるようにした画面を表示する。契約申込中の履歴データを検出した場合は、契約停止条件が解除された旨の表示と「契約手続の確認」アクション、及び、処理業務を選択できるようにした画面を表示する。契約成立の履歴データを検出した場合は、建築工事の電子商取引は完了し着工可能である旨を表示する。
【０２７０】
アクションデータとして「契約手続開始」を受信したクライアントサーバ１は、受信したデータから資金管理者のデータ及び許認可管理者のデータを抽出する。物件ナンバーを検出し、検出した物件ナンバーに基づいて資金管理者データ及び許認可管理者データを追加登録・変更登録すると共に、オブジェクトに格納する。プログラムから依頼すべき業務処理プログラムのコードを抽出し、抽出したプログラムコードをオブジェクトに格納し、オブジェクト内全データを情報流通管理サーバ２に転送する。
【０２７１】
オブジェクト内全データを受信した情報流通管理サーバ２の業務処理プログラムでは、転送されたオブジェクトから資金管理者データと許認可管理者データを抽出する。物件ナンバーを検出し、物件ナンバーに基づいて資金管理者データと許認可管理者データを追加登録・変更登録する。プログラムから依頼すべき業務処理プログラムのコードを抽出し、抽出したプログラムコードをオブジェクトに格納する。資金管理者データに基づいて建築資金に関する独立分散処理サーバ６のアドレスを検索し、検出したアドレスの建築資金に関する独立分散処理サーバ６にオブジェクト内全データを転送する。
【０２７２】
オブジェクト内全データを受信した建築資金に関する独立分散処理サーバ６の業務処理プログラムでは、転送されたオブジェクトのデータに基づいて物件ナンバーを検索する。物件ナンバーを検出できない場合は、該当物件が存在しないので再入力を依頼する旨を表示すると共に、資金管理者のデータ・許認可管理者のデータの入力画面と「契約手続開始」のアクション画面を表示するデータを返信する。物件ナンバーを検出できた場合は、物件ナンバーの資金確定データを検索する。検出されたデータが資金不確定の場合は、資金的に無理があり再考を要する旨を表示すると共に、処理業務を選択できるようにした画面を表示するデータを返信する。
【０２７３】
資金確定データを検出できない場合は、建築資金手続中の履歴データをオブジェクトに格納する。プログラムから依頼すべき業務処理プログラムのコードを抽出し、抽出したプログラムコードをオブジェクトに格納し、オブジェクト内全データを情報流通管理サーバ２に転送する。
【０２７４】
オブジェクト内全データを受信した情報流通管理サーバ２の業務処理プログラムでは、検出した物件ナンバーに基づいて契約手続の履歴データに建築資金手続中の履歴データを追加登録・変更登録すると共に、建築資金手続中の履歴データをオブジェクトに格納する。クライアントデータからクライアントサーバ１のデータを検出し、検出したアドレスのクライアントサーバ１にオブジェクト内全データを転送する。
【０２７５】
オブジェクト内全データを受信したクライアントサーバ１の業務処理プログラムでは、検出した物件ナンバーに基づいて契約手続の履歴データに建築資金手続中の履歴データを追加登録・変更登録する。建築資金手続き中である旨の表示と処理業務を選択できるようにした画面を表示する。
【０２７６】
検出されたデータが資金確定の場合は、プログラムから依頼すべき業務処理プログラムのコードを抽出し、抽出したプログラムコードをオブジェクトに格納し、オブジェクト内全データを情報流通管理サーバ２に転送する。
【０２７７】
オブジェクト内全データを受信した情報流通管理サーバ２の業務処理プログラムでは、検出した物件ナンバーに基づいて許認可管理者データを検出する。プログラムから依頼すべき業務処理プログラムのコードを抽出し、抽出したプログラムコードをオブジェクトに格納する。許認可管理者データに基づいて許認可を管理する独立分散処理サーバ７のアドレスを検索し、検出したアドレスの許認可を管理する独立分散処理サーバ７にオブジェクト内全データを転送する。
【０２７８】
オブジェクト内全データを受信した許認可を管理する独立分散処理サーバ７の業務処理プログラムでは、転送されたオブジェクトのデータに基づいて物件ナンバーを検索する。物件ナンバーを検出できない場合は、該当物件が存在しないので再入力を依頼する旨を表示すると共に、許認可管理者のデータの入力画面と「建築確認許認可管理者再登録」のアクション画面を表示するデータを返信する。物件ナンバーを検出できた場合は、物件ナンバーの許認可取得データを検索する。検出されたデータが建築確認不許可の場合は、建築計画に法的等の無理があり再考を要する旨を表示すると共に、処理業務を選択できるようにした画面を表示するデータを返信する。
【０２７９】
許認可取得データを検出できない場合は、建築確認提出中の履歴データをオブジェクトに格納する。プログラムから依頼すべき業務処理プログラムのコードを抽出し、抽出したプログラムコードをオブジェクトに格納し、オブジェクト内全データを情報流通管理サーバ２に転送する。
【０２８０】
オブジェクト内全データを受信した情報流通管理サーバ２の業務処理プログラムでは、検出した物件ナンバーに基づいて契約手続の履歴データに建築確認提出中の履歴データを追加登録・変更登録すると共に、建築確認提出中の履歴データをオブジェクトに格納する。クライアントデータからクライアントサーバ１のデータを検出し、検出したアドレスのクライアントサーバ１にオブジェクト内全データを転送する。
【０２８１】
オブジェクト内全データを受信したクライアントサーバ１の業務処理プログラムでは、検出した物件ナンバーに基づいて契約手続の履歴データに建築確認提出中の履歴データを追加登録・変更登録する。建築確認提出中である旨の表示と処理業務を選択できるようにした画面を表示する。
【０２８２】
検出されたデータが建築確認取得の場合は、プログラムから依頼すべき業務処理プログラムのコードを抽出し、抽出したプログラムコードをオブジェクトに格納し、オブジェクト内全データを情報流通管理サーバ２に転送する。
【０２８３】
オブジェクト内全データを受信した情報流通管理サーバ２の業務処理プログラムでは、検出した物件ナンバーに基づいて現場管理者データを検出する。プログラムから依頼すべき業務処理プログラムのコードを抽出し、抽出したプログラムコードをオブジェクトに格納する。現場管理者データに基づいて現場管理者の一次分散処理サーバ８のアドレスを検索し、検出したアドレスの現場管理者の一次分散処理サーバ８にオブジェクト内全データを転送する。物件ナンバーに基づいて契約手続の履歴データに性能保証手続中の履歴データを追加登録・変更登録する。性能保証手続中の履歴データをオブジェクトに格納する。プログラムから依頼すべき業務処理プログラムのコードを抽出し、抽出したプログラムコードをオブジェクトに格納する。クライアントデータからクライアントサーバ１のデータを検出し、検出したアドレスのクライアントサーバ１にオブジェクト内全データを転送する。
【０２８４】
オブジェクト内全データを受信したクライアントサーバ１の業務処理プログラムでは、検出した物件ナンバーに基づいて契約手続の履歴データに性能保証手続中の履歴データを追加登録・変更登録する。性能保証手続中である旨の表示と処理業務を選択できるようにした画面を表示する。
【０２８５】
オブジェクト内全データを受信した現場管理者の一次分散処理サーバ８の業務処理プログラムでは、転送されたオブジェクトのデータに基づいて物件ナンバーを検出する。物件ナンバーの契約手続の履歴データに性能保証手続依頼の履歴データを追加登録・変更登録する。物件ナンバーと住宅性能保証会社への手続きを依頼する旨のメールをインターネット回線・モバイル通信の両方のインフラを利用して通知し、以後の処理を中断する。
【０２８６】
アクションデータとして「建築資金の確認から契約手続継続」を受信したクライアントサーバ１は、プログラムから依頼すべき業務処理プログラムのコードを抽出し、抽出したプログラムコードをオブジェクトに格納し、オブジェクト内全データを情報流通管理サーバ２に転送する。
【０２８７】
オブジェクト内全データを受信した情報流通管理サーバ２の業務処理プログラムでは、物件ナンバーを検出し、物件ナンバーに基づいて資金管理者データを検出する。検出した資金管理者データをオブジェクトに格納する。プログラムから依頼すべき業務処理プログラムのコードを抽出し、抽出したプログラムコードをオブジェクトに格納する。資金管理者データに基づいて建築資金に関する独立分散処理サーバ６のアドレスを検索し、検出したアドレスの建築資金に関する独立分散処理サーバ６にオブジェクト内全データを転送する。
【０２８８】
オブジェクト内全データを受信した建築資金に関する独立分散処理サーバ６の業務処理プログラムでは、転送されたオブジェクトのデータに基づいて物件ナンバーを検出する。物件ナンバーに基づいて資金確定データを検索する。資金確定データを検出できない場合は、建築資金手続き中である旨の表示と処理業務を選択できるようにした画面を表示するデータを返信する。検出されたデータが資金不確定の場合は、資金的に無理があり再考を要する旨を表示すると共に、処理業務を選択できるようにした画面を表示するデータを返信する。
【０２８９】
検出されたデータが資金確定の場合は、プログラムから依頼すべき業務処理プログラムのコードを抽出し、抽出したプログラムコードをオブジェクトに格納し、オブジェクト内全データを情報流通管理サーバ２に転送する。
【０２９０】
オブジェクト内全データを受信した情報流通管理サーバ２の業務処理プログラムでは、検出した物件ナンバーに基づいて許認可管理者データを検出する。検出した許認可管理者データをオブジェクトに格納する。プログラムから依頼すべき業務処理プログラムのコードを抽出し、抽出したプログラムコードをオブジェクトに格納する。許認可管理者データに基づいて許認可を管理する独立分散処理サーバ７のアドレスを検索し、検出したアドレスの許認可を管理する独立分散処理サーバ７にオブジェクト内全データを転送する。
【０２９１】
アクションデータとして「建築確認許認可管理者再登録」を受信したクライアントサーバ１は、受信したデータから許認可管理者のデータを抽出する。物件ナンバーを検出し、検出した物件ナンバーに基づいて許認可管理者データを変更登録すると共に、オブジェクトに格納する。プログラムから依頼すべき業務処理プログラムのコードを抽出し、抽出したプログラムコードをオブジェクトに格納し、オブジェクト内全データを情報流通管理サーバ２に転送する。
【０２９２】
オブジェクト内全データを受信した情報流通管理サーバ２の業務処理プログラムでは、転送されたオブジェクトから許認可管理者データを抽出する。物件ナンバーを検出し、物件ナンバーに基づいて許認可管理者データを変更登録する。プログラムから依頼すべき業務処理プログラムのコードを抽出し、抽出したプログラムコードをオブジェクトに格納する。許認可管理者データに基づいて許認可を管理する独立分散処理サーバ７のアドレスを検索し、検出したアドレスの許認可を管理する独立分散処理サーバ７にオブジェクト内全データを転送する。
【０２９３】
オブジェクト内全データを受信した許認可を管理する独立分散処理サーバ７の業務処理プログラムでは、転送されたオブジェクトのデータに基づいて物件ナンバーを検索する。物件ナンバーを検出できない場合は、該当物件が存在しないので再入力を依頼する旨を表示すると共に、許認可管理者のデータの入力画面と「建築確認許認可管理者再登録」のアクション画面を表示するデータを返信する。物件ナンバーを検出できた場合は、物件ナンバーの許認可取得データを検索する。検出されたデータが建築確認不許可の場合は、建築計画に法的等の無理があり再考を要する旨を表示すると共に、処理業務を選択できるようにした画面を表示するデータを返信する。
【０２９４】
許認可取得データを検出できない場合は、建築確認提出中の履歴データをオブジェクトに格納する。プログラムから依頼すべき業務処理プログラムのコードを抽出し、抽出したプログラムコードをオブジェクトに格納し、オブジェクト内全データを情報流通管理サーバ２に転送する。
【０２９５】
オブジェクト内全データを受信した情報流通管理サーバ２の業務処理プログラムでは、検出した物件ナンバーに基づいて契約手続の履歴データに建築確認提出中の履歴データを追加登録・変更登録すると共に、建築確認提出中の履歴データをオブジェクトに格納する。クライアントデータからクライアントサーバ１のデータを検出し、検出したアドレスのクライアントサーバ１にオブジェクト内全データを転送する。
【０２９６】
オブジェクト内全データを受信したクライアントサーバ１の業務処理プログラムでは、検出した物件ナンバーに基づいて契約手続の履歴データに建築確認提出中の履歴データを追加登録・変更登録する。建築確認提出中である旨の表示と処理業務を選択できるようにした画面を表示する。
【０２９７】
検出されたデータが建築確認取得の場合は、プログラムから依頼すべき業務処理プログラムのコードを抽出し、抽出したプログラムコードをオブジェクトに格納し、オブジェクト内全データを情報流通管理サーバ２に転送する。
【０２９８】
アクションデータとして「建築確認申請の確認から契約手続継続」を受信したクライアントサーバ１は、プログラムから依頼すべき業務処理プログラムのコードを抽出し、抽出したプログラムコードをオブジェクトに格納し、オブジェクト内全データを情報流通管理サーバ２に転送する。
【０２９９】
オブジェクト内全データを受信した情報流通管理サーバ２の業務処理プログラムでは、検出した物件ナンバーに基づいて許認可管理者データを検出する。プログラムから依頼すべき業務処理プログラムのコードを抽出し、抽出したプログラムコードをオブジェクトに格納する。許認可管理者データに基づいて許認可を管理する独立分散処理サーバ７のアドレスを検索し、検出したアドレスの許認可を管理する独立分散処理サーバ７にオブジェクト内全データを転送する。
【０３００】
オブジェクト内全データを受信した許認可を管理する独立分散処理サーバ７の業務処理プログラムでは、検出した物件ナンバーに基づいて許認可取得データを検索する。許認可取得データを検出できない場合は、建築確認提出中である旨の表示と処理業務を選択できるようにした画面を表示するデータを返信する。検出されたデータが建築確認不許可の場合は、建築計画に法的等の無理があり再考を要する旨を表示すると共に、処理業務を選択できるようにした画面を表示するデータを返信する。
【０３０１】
検出されたデータが建築確認取得の場合は、プログラムから依頼すべき業務処理プログラムのコードを抽出し、抽出したプログラムコードをオブジェクトに格納し、オブジェクト内全データを情報流通管理サーバ２に転送する。
【０３０２】
オブジェクト内全データを受信した情報流通管理サーバ２の業務処理プログラムでは、検出した物件ナンバーに基づいて現場管理者データを検出する。プログラムから依頼すべき業務処理プログラムのコードを抽出し、抽出したプログラムコードをオブジェクトに格納する。現場管理者データに基づいて現場管理者の一次分散処理サーバ８のアドレスを検索し、検出したアドレスの現場管理者の一次分散処理サーバ８にオブジェクト内全データを転送する。物件ナンバーに基づいて契約手続の履歴データに性能保証手続中の履歴データを追加登録・変更登録する。性能保証手続中の履歴データをオブジェクトに格納する。プログラムから依頼すべき業務処理プログラムのコードを抽出し、抽出したプログラムコードをオブジェクトに格納する。クライアントデータからクライアントサーバ１のデータを検出し、検出したアドレスのクライアントサーバ１にオブジェクト内全データを転送する。
【０３０３】
アクションデータとして「契約手続の確認」を受信したクライアントサーバ１は、プログラムから依頼すべき業務処理プログラムのコードを抽出し、抽出したプログラムコードをオブジェクトに格納し、オブジェクト内全データを情報流通管理サーバ２に転送する。
【０３０４】
オブジェクト内全データを受信した情報流通管理サーバ２の業務処理プログラムでは、検出した物件ナンバーに基づいた契約手続の履歴データを検出する。検出した契約手続の履歴データが性能保証手続中の場合は、建築資金は確定し建築確認申請も許可となり性能保証手続中である旨の表示と、処理業務を選択できるようにした画面を表示するデータを返信する。
【０３０５】
検出した契約手続の履歴データが契約申込中の場合は、プログラムから依頼すべき業務処理プログラムのコードを抽出し、抽出したプログラムコードをオブジェクトに格納する。クライアントデータからクライアントサーバ１のアドレスを検出し、検出したアドレスのクライアントサーバ１にオブジェクト内全データを転送する。
【０３０６】
オブジェクト内全データを受信したクライアントサーバ１の業務処理プログラムでは、契約手続の履歴データを契約申込中に変更登録すると共に、契約停止条件が解除され関係各社との契約手続中である旨の表示と、処理業務を選択できるようにした画面を表示する。
【０３０７】
検出した契約手続の履歴データが契約受諾の場合は、契約手続の履歴データを契約成立に変更登録する。契約成立の履歴データをオブジェクトに格納する。検出した物件ナンバーに基づいて、物件ナンバーに対応する一次分散処理サーバ群３・資金管理者の独立分散処理サーバ６・許認可管理者の独立分散処理サーバ７・現場管理者の一次分散処理サーバ８・クライアントサーバ１のアドレスを検出し、検出したアドレスのサーバにオブジェクト内全データを転送する。
【０３０８】
オブジェクト内全データを受信した資金管理者の独立分散処理サーバ６・許認可管理者の独立分散処理サーバ７の業務処理プログラムでは、契約手続の履歴データを契約成立に変更登録する。
【０３０９】
オブジェクト内全データを受信した一次分散処理サーバ群３の業務処理プログラムでは、契約手続の履歴データを契約成立に変更登録すると共に、契約成立の履歴データをオブジェクトに格納する。建築資材の生産を管理するサーバ群４・施工者の配置を管理するサーバ群５のアドレスを検出し、検出したアドレスのサーバにオブジェクト内全データを転送する。
【０３１０】
オブジェクト内全データを受信した建築資材の生産を管理するサーバ群４・施工者の配置を管理するサーバ群５では、契約手続の履歴データを契約成立に変更登録する。
【０３１１】
オブジェクト内全データを受信した現場管理者の一次分散処理サーバ８の業務処理プログラムでは、契約手続の履歴データを契約成立に変更登録すると共に、住宅性能保証会社・施工者群へ契約が成立した旨をメール等の手段で通知する。
【０３１２】
オブジェクト内全データを受信したクライアントサーバ１の業務処理プログラムでは、契約手続の履歴データを契約成立に変更登録すると共に、建築工事の電子商取引は完了し着工可能である旨を表示する。
【０３１３】
次に、住宅性能保証の手続を依頼された現場管理者サーバ８の業務処理形態につき説明し、本発明の理解に供する。
【０３１４】
現場管理者のサーバ８にアクセスしようとする場合、アクセスしようとするコンピュータと同一のコンピュータに内蔵されたサーバのIDナンバーとパスワードの入力画面を表示させる。受信したIDナンバーとパスワードが該コンピュータに内蔵されたサーバのIDナンバー及びパスワードと合致するかを確認する。合致しない場合は、再度IDナンバーとパスワードの入力画面を表示すると共に、以後の処理を停止する。
【０３１５】
合致した場合は、現場管理者のサーバ８へのアクセスプログラムへ転送する。アクセスプログラムから該コンピュータに内蔵されたサーバを特定するコードを抽出する。データを格納するオブジェクトを生成すると共に、該物件専用のデータ格納領域を確保する。抽出した内蔵されたサーバを特定するコードを生成されたオブジェクトに格納する。プログラムから業務依頼するプログラムのデータを抽出し、抽出したプログラムのデータをオブジェクトに格納する。オブジェクト内全データを現場管理者のサーバ８に転送する。
【０３１６】
オブジェクト内全データを受信した現場管理者のサーバ８は、転送されたオブジェクトから内蔵されたサーバを特定するコードを抽出し、抽出したコードをデータベースに移し、現場管理者のサーバ８に対する入力者ナンバーを検索する。入力者ナンバーを検出できない場合は、以後の処理を停止する。入力者ナンバーを検出できた場合は、入力者のデータを格納するオブジェクトを生成すると共に、該入力者専用のデータ格納領域を確保する。また、情報流通管理サーバ２や他のアクセスプログラムからのアクセスに対してスレッド起動可能状態で待機する。
【０３１７】
入力者のアクセスプログラムに対応するオブジェクトを生成した現場管理者のサーバ８は、すべての入力者に対して共有されるデータ格納領域から現場管理者のサーバ８を特定するコードを抽出する。抽出した現場管理者のサーバ８を特定するコードをオブジェクトに格納する。契約手続の履歴データが性能保証手続依頼の顧客データを検出し、未受信手続依頼物件としてリスト化し選択可能な状態で表示する。契約手続の履歴データが性能保証手続中の顧客データを検出し、手続結果未登録物件としてリスト化し選択可能な状態で表示する。
【０３１８】
未受信手続依頼物件から選択された顧客データを受信した現場管理者のサーバ８は、受信したデータから顧客データを抽出する。抽出した顧客データに基づいて、手続きに必要な情報を検出し表示すると共に、「手続開始」・「物件検索」等のアクションを起動できるようにした画面を表示する。
【０３１９】
手続結果未登録物件から選択された顧客データを受信した現場管理者のサーバ８は、受信したデータから顧客データを抽出する。抽出した顧客データに基づいて、物件概要を表示すると共に、「手続完了」・「物件検索」等のアクションを起動できるようにした画面を表示する。
【０３２０】
アクションデータとして「手続開始」を受信した現場管理者のサーバ８は、受信したデータから顧客ナンバーを抽出する。抽出した顧客ナンバーに基づいて、契約手続の履歴データを性能保証手続中に変更登録する。契約手続の履歴データが性能保証手続依頼の顧客データを検出し、未受信手続依頼物件として選択可能な状態でリスト表示すると共に、契約手続の履歴データが性能保証手続中の顧客データを検出し、手続結果未登録物件として選択可能な状態でリスト表示する画面を表示する。
【０３２１】
アクションデータとして「物件検索」を受信した現場管理者のサーバ８は、契約手続の履歴データが性能保証手続依頼の顧客データを検出し、未受信手続依頼物件として選択可能な状態でリスト表示すると共に、契約手続の履歴データが性能保証手続中の顧客データを検出し、手続結果未登録物件として選択可能な状態でリスト表示する画面を表示する。
【０３２２】
アクションデータとして「手続完了」を受信した現場管理者のサーバ８は、受信したデータから顧客ナンバーを抽出し、抽出した顧客ナンバーに基づいて、クライアントデータ・顧客データ・住所地データ・建築地データを検出し、検出されたクライアントデータ・顧客データ・住所地データ・建築地データをオブジェクトに格納する。プログラムから業務依頼するプログラムのデータを抽出し、抽出したプログラムのデータをオブジェクトに格納する。オブジェクト内全データを情報流通管理サーバ２に転送する。
【０３２３】
オブジェクト内全データを受信した情報流通管理サーバ２の業務処理プログラムでは、転送されたオブジェクトからクライアントデータ・顧客データ・住所地データ・建築地データを抽出すると共に、施工者データを検出する。抽出したクライアントデータ・顧客データ・住所地データ・建築地データから物件ナンバーを検出し、検出した物件ナンバーに基づいて、契約手続の履歴データを契約申込中に変更登録する。該現場管理者に該当する工種項目を検索する。検出した工種項目の施工者の履歴データに契約受諾を追加登録・変更登録する。物件ナンバーに基づいて、データを格納するオブジェクトを生成すると共に、該物件専用のデータ格納領域を確保する。オブジェクトに契約申込中の履歴データを格納する。プログラムから現場管理者のサーバ８での業務依頼するプログラムのデータを抽出し、抽出したプログラムのデータをオブジェクトに格納する。オブジェクト内全データを現場管理者のサーバ８に転送する。
【０３２４】
オブジェクト内全データを受信した現場管理者のサーバ８の業務処理プログラムでは、物件ナンバーを検出する。検出した物件ナンバーに基づいて、契約手続の履歴データを契約受諾に変更登録する。オブジェクトを該入力者専用のデータ格納領域から取り除く。データを格納する新たなオブジェクトを生成し、該入力者専用のデータ格納領域に格納する。すべての入力者に対して共有されるデータ格納領域から現場管理者のサーバ８を特定するコードを抽出する。抽出した現場管理者のサーバ８を特定するコードをオブジェクトに格納する。契約手続の履歴データが性能保証手続依頼の顧客データを検出し、未受信手続依頼物件として選択可能な状態でリスト表示すると共に、契約手続の履歴データが性能保証手続中の顧客データを検出し、手続結果未登録物件として選択可能な状態でリスト表示する画面を表示する。
【０３２５】
オブジェクト内全データを現場管理者のサーバ８に転送した情報流通管理サーバ２の業務処理プログラムでは、プログラムから一次分散処理サーバ群３での業務依頼するプログラムのデータを抽出し、抽出したプログラムのデータをオブジェクトのプログラムデータに変更格納する。オブジェクト内全データを一次分散処理サーバ群３に転送する。
【０３２６】
オブジェクト内全データを受信した一次分散処理サーバ３の業務処理プログラムでは、転送されたオブジェクトのデータに基づいて物件ナンバーを検出する。物件ナンバーの契約手続の履歴データを契約申込に追加登録・変更登録する。物件ナンバーと契約の申込があった旨のメールをインターネット回線・モバイル通信の両方のインフラを利用して通知し、以後の処理を中断する。
【０３２７】
次に、契約申込の履歴データを受信した一次分散処理サーバ３の業務処理形態につき説明し、本発明の理解に供する。
【０３２８】
一次分散処理サーバ３にアクセスしようとする場合、アクセスしようとするコンピュータと同一のコンピュータに内蔵されたサーバのIDナンバーとパスワードの入力画面を表示させる。受信したIDナンバーとパスワードが該コンピュータに内蔵されたサーバのIDナンバー及びパスワードと合致するかを確認する。合致しない場合は、再度IDナンバーとパスワードの入力画面を表示すると共に、以後の処理を停止する。
【０３２９】
合致した場合は、一次分散処理サーバ３へのアクセスプログラムへ転送する。アクセスプログラムから該コンピュータに内蔵されたサーバを特定するコードを抽出する。データを格納するオブジェクトを生成すると共に、該物件専用のデータ格納領域を確保する。抽出した内蔵されたサーバを特定するコードを生成されたオブジェクトに格納する。プログラムから業務依頼するプログラムのデータを抽出し、抽出したプログラムのデータをオブジェクトに格納する。オブジェクト内全データを一次分散処理サーバ３に転送する。
【０３３０】
オブジェクト内全データを受信した一次分散処理サーバ３の業務処理プログラムでは、転送されたオブジェクトから内蔵されたサーバを特定するコードを抽出し、抽出したコードをデータベースに移し、一次分散処理サーバ３に対する入力者ナンバーを検索する。入力者ナンバーを検出できない場合は、以後の処理を停止する。入力者ナンバーを検出できた場合は、入力者のデータを格納するオブジェクトを生成すると共に、該入力者専用のデータ格納領域を確保する。また、情報流通管理サーバ２・建築資材の生産を管理するサーバ群４・施工者の配置を管理するサーバ群５や他のアクセスプログラムからのアクセスに対してスレッド起動可能状態で待機する。
【０３３１】
入力者のアクセスプログラムに対応するオブジェクトを生成した一次分散処理サーバ３は、すべての入力者に対して共有されるデータ格納領域から一次分散処理サーバ３を特定するコードを抽出する。抽出した一次分散処理サーバ３を特定するコードをオブジェクトに格納する。契約手続の履歴データが契約申込の顧客データを検出し、未受信契約申込物件としてリスト化し選択可能な状態で表示する。契約手続の履歴データが申込受信の顧客データを検出し、受信済契約申込物件としてリスト化し選択可能な状態で表示する。
【０３３２】
未受信契約申込物件から選択された顧客データを受信した一次分散処理サーバ３は、受信したデータから顧客ナンバーを検出する。検出した顧客ナンバーに基づいて、契約手続の履歴データを申込受信に変更登録する。抽出した顧客データに基づいて、物件概要を表示すると共に、「契約受諾」・「物件検索」等のアクションを起動できるようにした画面を表示する。
【０３３３】
受信済契約申込物件から選択された顧客データを受信した一次分散処理サーバ３は、受信したデータから顧客ナンバーを検出する。検出した顧客ナンバーに基づいて、物件概要を表示すると共に、「契約受諾」・「物件検索」等のアクションを起動できるようにした画面を表示する。
【０３３４】
アクションデータとして「物件検索」を受信した一次分散処理サーバ３は、契約手続の履歴データが契約申込の顧客データを検出し、未受信契約申込物件としてリスト化し選択可能な状態で表示する。契約手続の履歴データが申込受信の顧客データを検出し、受信済契約申込物件としてリスト化し選択可能な状態で表示する。
【０３３５】
アクションデータとして「契約受諾」を受信した一次分散処理サーバ３は、受信したデータから顧客ナンバーを検出する。検出した顧客ナンバーに基づいて、発注施工数量等のデータを検出し、検出したデータをオブジェクトに格納する。プログラムから施工者の配置を管理するサーバ５での業務依頼するプログラムのデータを抽出し、抽出したプログラムのデータをオブジェクトに格納する。オブジェクト内全データを施工者の配置を管理するサーバ５に転送する。
【０３３６】
施工者の配置を管理するサーバ５にオブジェクト内全データを転送した一次分散処理サーバ３は、オブジェクトを該入力者専用のデータ格納領域から取り除く。顧客ナンバーに基づいて、データを格納する新たなオブジェクトを生成すると共に、該入力者専用のデータ格納領域に格納する。すべての入力者に対して共有されるデータ格納領域から一次分散処理サーバ３を特定するコードを抽出する。抽出した一次分散処理サーバ３を特定するコードをオブジェクトに格納する。顧客ナンバーに基づいて、発注資材数量等のデータを検出し、検出したデータをオブジェクトに格納する。プログラムから建築資材の生産を管理するサーバ４での業務依頼するプログラムのデータを抽出し、抽出したプログラムのデータをオブジェクトに格納する。オブジェクト内全データを建築資材の生産を管理するサーバ４に転送する。
【０３３７】
建築資材の生産を管理するサーバ４にオブジェクト内全データを転送した一次分散処理サーバ３は、オブジェクトを該入力者専用のデータ格納領域から取り除く。顧客ナンバーに基づいて、データを格納する新たなオブジェクトを生成すると共に、該入力者専用のデータ格納領域に格納する。すべての入力者に対して共有されるデータ格納領域から一次分散処理サーバ３を特定するコードを抽出する。抽出した一次分散処理サーバ３を特定するコードをオブジェクトに格納する。プログラムから情報流通管理サーバ２での業務依頼するプログラムのデータを抽出し、抽出したプログラムのデータをオブジェクトに格納する。オブジェクト内全データを情報流通管理サーバ２に転送する。
【０３３８】
オブジェクト内全データを受信した施工者の配置を管理するサーバ５の業務処理プログラムでは、転送されたオブジェクトから発注施工数量等のデータを抽出すると共に、物件ナンバーを検出する。検出した物件ナンバーに基づいて、抽出した発注施工数量等のデータを追加登録・変更登録すると共に、契約手続の履歴データに契約受諾を変更登録する。物件ナンバーと施工依頼があった旨のメールをインターネット回線・モバイル通信の両方のインフラを利用して通知する。
【０３３９】
オブジェクト内全データを受信した建築資材の生産を管理するサーバ４の業務処理プログラムでは、発注資材数量等のデータを抽出すると共に、物件ナンバーを検出する。検出した物件ナンバーに基づいて、抽出した発注資材数量等のデータを追加登録・変更登録すると共に、契約手続の履歴データに契約受諾を変更登録する。建築資材の生産を管理するサーバ４から建築資材生産管理者のアクセス可能なデータベース等があれば、アクセス可能なデータベースにデータを転送する。
【０３４０】
オブジェクト内全データを受信した情報流通管理サーバ２の業務処理プログラムでは、物件ナンバーを検出する。検出した物件ナンバーに基づいて、該一次分散処理サーバ３に該当する工種項目を検索する。検出した工種項目の施工者の履歴データに契約受諾を変更登録する。物件ナンバーに基づいて、該当する全工種項目の履歴データから契約申込のデータを検索する。最初の該当データ検出時に、次の処理にジャンプする。該当するデータを検出できない場合は、契約手続の履歴データに契約受諾を変更登録する。検出した物件ナンバーに基づいて、データを格納する新たなオブジェクトを生成すると共に、該物件専用のデータ格納領域を確保する。プログラムから一次分散処理サーバ３での業務依頼するプログラムのデータを抽出し、抽出したプログラムのデータをオブジェクトに格納する。オブジェクト内全データを一次分散処理サーバ３に転送する。
【０３４１】
オブジェクト内全データを受信した一次分散処理サーバ３の業務処理プログラムでは、物件ナンバーを検出する。検出した物件ナンバーに基づいて、契約手続の履歴データに契約受諾を変更登録する。契約手続の履歴データが契約申込の顧客データを検出し、未受信契約申込物件としてリスト化し選択可能な状態で表示する。契約手続の履歴データが申込受信の顧客データを検出し、受信済契約申込物件としてリスト化し選択可能な状態で表示する。
【０３４２】
次に、リフォーム工事等での材工一式資材等の調達に関する電子商取引システムの具体的な実施形態につき説明し、本発明の理解に供する。
【実施例６】
【０３４３】
業務処理のデータとして「選択的契約の申込」を受信したクライアントサーバは、プログラムから依頼すべき業務処理プログラムのコードを抽出し、抽出したプログラムコードをオブジェクトに格納する。オブジェクト内全データを情報流通管理サーバへ転送する。
【０３４４】
オブジェクト内全データを受信した情報流通管理サーバの業務処理プログラムでは、個別に電子商取引システムが利用可能な工種項目のデータを検出する。検出された工種項目データをクライアントサーバに返信する。
【０３４５】
工種項目データを受信したクライアントサーバは、受信した工種項目を表示すると共に、表示された工種項目には、選択された工種項目の業務処理ページへの転送機能を付加した画面を表示する。
【０３４６】
選択された工種項目のデータを受信したクライアントサーバは、顧客データ・住所地データ・建築地データに基づいて物件ナンバーを検索する。物件ナンバーを検出できない場合は、顧客データ・住所地データ・建築地データに基づいて物件ナンバーを追加登録し、商品となる住宅のデータに工種別業務処理を追加登録すると共に、再度物件ナンバーを検索する。検出された物件ナンバーを検出できた場合は、物件ナンバーに基づいて商品となる住宅のデータを検索する。検出された商品となる住宅のデータが工種別業務処理の場合は、受信した工種項目データをオブジェクトに格納し、オブジェクトを転送業務処理プログラムへ転送する。検出された商品となる住宅のデータが工種別業務処理以外の場合は、契約手続の履歴データを検索する。契約手続の履歴データが検出できない場合は、受信した工種項目データをオブジェクトに格納し、オブジェクトを転送業務処理プログラムへ転送する。契約手続の履歴データが契約成立以外の場合は、契約手続中である旨を表示すると共に、履歴データに対応するアクション及び業務処理を選択できるようにした画面を表示する。契約手続の履歴データが契約成立の場合は、工種の契約手続履歴データを検索する。工種の契約手続履歴データを検出できないか契約成立の場合は、受信した工種項目データをオブジェクトに格納し、オブジェクトを転送業務処理プログラムへ転送する。
【０３４７】
工種項目データを格納したオブジェクトを受信した転送業務処理プログラムは、プログラムから依頼すべき業務処理プログラムのコードを抽出し、抽出したプログラムコードをオブジェクトに格納する。オブジェクト内全データを情報流通管理サーバへ転送する。
【０３４８】
オブジェクト内全データを受信した情報流通管理サーバの業務処理プログラムでは、受信したオブジェクトから工種項目データを抽出する。抽出した工種項目データが契約手続の履歴データを検出できない結果に基づいたデータの場合、変更仕様販売価格の算出・標準外仕様の選択・別途工事の見積等の見積業務処理等の該当プログラムにオブジェクト内全データを転送する。抽出した工種項目データが契約手続の履歴データが契約成立であった結果に基づいたデータの場合、追加発注処理プログラムにオブジェクト内全データを転送する。抽出した工種項目データが工種別業務処理に基づいたデータの場合、顧客データ・住所地データ・建築地データに基づいて物件ナンバーを検索する。物件ナンバーを検出できない場合は、クライアントデータ・顧客データ・住所地データ・建築地データに基づいて物件ナンバーを追加登録し、商品となる住宅のデータに工種別業務処理を追加登録すると共に、再度物件ナンバーを検索する。物件ナンバーに基づいてオブジェクトを生成し、該物件専用のデータ領域を確保する。工種項目データをオブジェクトに格納する。工種別業務処理プログラムにオブジェクトを転送する。
【０３４９】
情報流通管理サーバの追加発注処理プログラムでは、転送されたオブジェクト内全データから工種項目データを抽出すると共に、物件ナンバーを検出する。検出した物件ナンバーに基づいて商品となる住宅のデータを検出する。検出された商品となる住宅のデータに基づいて、工種一覧データの標準仕様データを検出する。検出された標準仕様データに抽出した工種項目データが含まれている場合は、標準仕様追加発注処理プログラムへ工種項目データを転送する。検出された標準仕様データに抽出した工種項目データが含まれていない場合は、工種一覧データから標準外仕様データを検出する。検出された標準外仕様データに抽出した工種項目データが含まれている場合は、標準外仕様追加発注処理プログラムへ工種項目データを転送する。検出された標準外仕様データに抽出した工種項目データが含まれていない場合は、別途工事追加発注処理プログラムへ工種項目データを転送する。
【０３５０】
情報流通管理サーバの工種別業務処理プログラムでは、転送されたオブジェクト内全データから工種項目データを抽出する。デフォルトの工種一覧データの標準仕様データを検出する。検出された標準仕様データに抽出した工種項目データが含まれている場合は、工種別標準仕様業務処理プログラムへ工種項目データを転送する。検出された標準仕様データに抽出した工種項目データが含まれていない場合は、デフォルトの工種一覧データから標準外仕様データを検出する。検出された標準外仕様データに抽出した工種項目データが含まれている場合は、工種別標準外仕様業務処理プログラムへ工種項目データを転送する。検出された標準外仕様データに抽出した工種項目データが含まれていない場合は、工種別別途工事業務処理プログラムへ工種項目データを転送する。
【０３５１】
情報流通管理サーバの標準仕様追加発注処理プログラムでは、選択された工種項目が含まれている室内又は外観を構成する工種項目の品番等の仕様データを検出する。検出されたデータに対応する建築資材の生産者及び施工順位を検出すると共に、検出された建築資材の生産者に対応するサーバのアドレス及び業務処理プログラムのデータを検出する。施工順に、検出された仕様データとサーバアドレス・業務処理プログラムデータの配列を生成する。配列順に、仕様データと業務処理プログラムデータをオブジェクトに格納し、該サーバアドレスに、オブジェクト内の全データを転送する。
【０３５２】
オブジェクト内全データを受信した建築資材の生産を管理するサーバの業務処理プログラムでは、仕様データに対応する写像作成プログラムのコードをデータベースから検出する。オブジェクトに写像作成プログラムのコードを格納する。プログラムから依頼すべき業務処理プログラムのコードを抽出し、抽出したプログラムコードをオブジェクトに格納する。オブジェクト内全データを、情報流通管理サーバへ転送する。
【０３５３】
オブジェクト内全データを受信した情報流通管理サーバの業務処理プログラムでは、転送されたオブジェクトから写像作成プログラムコードと物件ナンバーを抽出する。物件ナンバーに対応するオブジェクトから作成写像を抽出する。物件ナンバーに対応するオブジェクトを該物件専用のデータ格納領域から取り除く。再度、物件ナンバーに基づいたデータを格納するオブジェクトを生成し、該物件専用のデータ格納領域に格納する。作成写像を抽出できない場合は、写像作成プログラムコードに対応する建築資材の生産を管理するサーバの写像作成プログラムを受信し、作成された写像をオブジェクトに格納する。作成写像を抽出できた場合は、写像作成プログラムコードに対応する建築資材の生産を管理するサーバの写像作成プログラムを受信する。抽出していた作成写像に対して、受信した写像作成プログラムに基づいて合成処理を実施し合成写像を作成する。作成された合成写像をオブジェクトに格納する。配列数の合成処理の完了後、プログラムから依頼すべき業務処理プログラムのコードを抽出し、抽出したプログラムコードをオブジェクトに格納する。クライアントデータからクライアントサーバのアドレスを検出し、検出されたクライアントサーバにオブジェクト内全データを転送する。
【０３５４】
オブジェクト内全データを受信したクライアントサーバの業務処理プログラムでは、転送されたオブジェクトから合成写像を抽出する。建築資材の生産者・施工監理者及びパーツ商品の品番等のデータを検出すると共に、提示価格を集計し、建築総額を算出する。合成写像・建築総額・建築資材の生産者・施工監理者及びパーツ商品の品番を表示すると共に、「追加するオプション仕様の選択」等の業務処理を選択できるようにした画面を表示する。
【０３５５】
情報流通管理サーバの標準外仕様追加発注処理プログラムでは、個別に電子商取引システムが利用可能な工種項目のデータを検出する。検出された工種項目データをオブジェクトに格納する。プログラムから依頼すべき業務処理プログラムのコードを抽出し、抽出したプログラムコードをオブジェクトに格納し、オブジェクト内全データをクライアントサーバに転送する。
【０３５６】
オブジェクト内全データを受信したクライアントサーバの業務処理プログラムでは、未発注の提示価格データを検索する。未発注の提示価格データを検出できない場合は、オブジェクトから個別に電子商取引システムが利用可能な工種項目のデータを抽出し、未発注の項目が存在しない旨の表示と選択された工種項目業務処理ページへの転送機能を付加した工種項目を表示した画面を表示する。未発注の提示価格データを検出できた場合は、未発注の構成部品項目データと提示価格データ及び成約済の構成部品項目データと提示価格データを検出する。提示価格から建築総額等を算出する。未発注構成部品項目の提示価格情報とそれに対応する選択可能状態での構成部品項目の表示と共に、算出された建築総額、成約済の構成部品項目の情報、提示価格情報を表示すると同時に、「標準外仕様の追加発注」・「選択的契約の申込」等の業務処理を選択できるようにした画面を表示する。
【０３５７】
情報流通管理サーバの別途工事追加発注処理プログラムでは、個別に電子商取引システムが利用可能な工種項目のデータを検出する。検出された工種項目データをオブジェクトに格納する。プログラムから依頼すべき業務処理プログラムのコードを抽出し、抽出したプログラムコードをオブジェクトに格納し、オブジェクト内全データをクライアントサーバに転送する。
【０３５８】
オブジェクト内全データを受信したクライアントサーバの業務処理プログラムでは、未発注の提示価格データを検索する。未発注の提示価格データを検出できない場合は、オブジェクトから個別に電子商取引システムが利用可能な工種項目のデータを抽出し、未発注の項目が存在しない旨の表示と選択された工種項目業務処理ページへの転送機能を付加した工種項目を表示した画面を表示する。未発注の提示価格データを検出できた場合は、未発注の工種構成項目データと提示価格データ及び成約済の工種構成項目データと提示価格データを検出する。提示価格から建築総額等を算出する。未発注工種構成項目の提示価格情報とそれに対応する選択可能状態での工種構成項目の表示と共に、算出された建築総額、成約済の工種構成項目の情報、提示価格情報を表示すると同時に、「別途工事の追加発注」・「選択的契約の申込」等の業務処理を選択できるようにした画面を表示する。
【０３５９】
情報流通管理サーバの工種別標準仕様業務処理プログラムでは、転送されたオブジェクトから物件ナンバーと工種項目データを抽出する。物件ナンバーと工種項目データに基づいて、工種の契約手続履歴データを検索する。検出された履歴データが契約成立以外の場合は、個別に電子商取引システムが利用可能な工種項目のデータを検出する。契約手続中である旨を表示すると共に、選択された工種項目業務処理ページへの転送機能を付加した工種項目を表示した画面を表示するデータを返信する。
【０３６０】
検出された履歴データが契約成立の場合は、抽出した工種項目が含まれている室内又は外観を構成する工種項目の品番等の仕様データを検出する。検出されたデータに対応する建築資材の生産者及び施工順位を検出すると共に、検出された建築資材の生産者に対応するサーバのアドレス及び業務処理プログラムのデータを検出する。施工順に、検出された仕様データとサーバアドレス・業務処理プログラムデータの配列を生成する。配列順に、仕様データと業務処理プログラムデータをオブジェクトに格納し、該サーバアドレスに、オブジェクト内の全データを転送する。
【０３６１】
オブジェクト内全データを受信した建築資材の生産を管理するサーバの業務処理プログラムでは、仕様データに対応する写像作成プログラムのコードをデータベースから検出する。オブジェクトに写像作成プログラムのコードを格納する。プログラムから依頼すべき業務処理プログラムのコードを抽出し、抽出したプログラムコードをオブジェクトに格納する。オブジェクト内全データを、情報流通管理サーバへ転送する。
【０３６２】
オブジェクト内全データを受信した情報流通管理サーバの業務処理プログラムでは、転送されたオブジェクトから写像作成プログラムコードと物件ナンバーを抽出する。物件ナンバーに対応するオブジェクトから作成写像を抽出する。物件ナンバーに対応するオブジェクトを該物件専用のデータ格納領域から取り除く。再度、物件ナンバーに基づいたデータを格納するオブジェクトを生成し、該物件専用のデータ格納領域に格納する。作成写像を抽出できない場合は、写像作成プログラムコードに対応する建築資材の生産を管理するサーバの写像作成プログラムを受信し、作成された写像をオブジェクトに格納する。作成写像を抽出できた場合は、写像作成プログラムコードに対応する建築資材の生産を管理するサーバの写像作成プログラムを受信する。抽出していた作成写像に対して、受信した写像作成プログラムに基づいて合成処理を実施し合成写像を作成する。作成された合成写像をオブジェクトに格納する。配列数の合成処理の完了後、プログラムから依頼すべき業務処理プログラムのコードを抽出し、抽出したプログラムコードをオブジェクトに格納する。クライアントデータからクライアントサーバのアドレスを検出し、検出されたクライアントサーバにオブジェクト内全データを転送する。
【０３６３】
オブジェクト内全データを受信したクライアントサーバの業務処理プログラムでは、転送されたオブジェクトから合成写像のデータを抽出する。建築資材の生産者・施工監理者及びパーツ商品の品番等のデータを検出する。提示価格を集計し、建築総額を算出する。合成写像・建築総額・建築資材の生産者・施工監理者及びパーツ商品の品番を表示すると共に、「追加するオプション仕様の選択」等の業務処理を選択できるようにした画面を表示する。
【０３６４】
契約手続の履歴データが検出できない場合は、物件ナンバーと工種項目データに基づいて、抽出した工種項目が含まれている室内又は外観を構成する工種項目の品番等の仕様データを検索する。仕様データを検出できない場合は、クライアントデータに該当するデフォルトの仕様データを検索する。仕様データを検出できない場合は、工種項目に該当するデフォルトの仕様データを検索する。検出された登録仕様データ又はデフォルト仕様データに対応する建築資材の生産者及び施工順位を検出すると共に、検出された建築資材の生産者に対応するサーバのアドレス及び業務処理プログラムのデータを検出する。施工順に、検出された仕様データとサーバアドレス・業務処理プログラムデータの配列を生成する。配列順に、仕様データと業務処理プログラムデータをオブジェクトに格納し、該サーバアドレスに、オブジェクト内の全データを転送する。
【０３６５】
オブジェクト内全データを受信した建築資材の生産を管理するサーバの業務処理プログラムでは、仕様データに対応する写像作成プログラムのコードをデータベースから検出する。オブジェクトに写像作成プログラムのコードを格納する。プログラムから依頼すべき業務処理プログラムのコードを抽出し、抽出したプログラムコードをオブジェクトに格納する。オブジェクト内全データを、情報流通管理サーバへ転送する。
【０３６６】
オブジェクト内全データを受信した情報流通管理サーバの業務処理プログラムでは、転送されたオブジェクトから写像作成プログラムコードと物件ナンバーを抽出する。物件ナンバーに対応するオブジェクトから作成写像を抽出する。物件ナンバーに対応するオブジェクトを該物件専用のデータ格納領域から取り除く。再度、物件ナンバーに基づいたデータを格納するオブジェクトを生成し、該物件専用のデータ格納領域に格納する。作成写像を抽出できない場合は、写像作成プログラムコードに対応する建築資材の生産を管理するサーバの写像作成プログラムを受信し、作成された写像をオブジェクトに格納する。作成写像を抽出できた場合は、写像作成プログラムコードに対応する建築資材の生産を管理するサーバの写像作成プログラムを受信する。抽出していた作成写像に対して、受信した写像作成プログラムに基づいて合成処理を実施し合成写像を作成する。作成された合成写像をオブジェクトに格納する。配列数の合成処理の完了後、物件ナンバーと工種項目データに基づいて、建築資材の生産者・施工監理者及びパーツ商品の品番等の仕様データを検索する。データを検出できない場合は、クライアントデータに該当するデフォルトの建築資材生産者・施工監理者及び仕様データを検索する。仕様データを検出できない場合は、工種項目に該当するデフォルトの建築資材生産者・施工監理者及び仕様データを検索する。検出された建築資材生産者・施工監理者及び仕様データをオブジェクトに格納する。プログラムから依頼すべき業務処理プログラムのコードを抽出し、抽出したプログラムコードをオブジェクトに格納する。クライアントデータからクライアントサーバのアドレスを検出し、検出されたクライアントサーバにオブジェクト内全データを転送する。
【０３６７】
オブジェクト内全データを受信したクライアントサーバの業務処理プログラムでは、転送されたオブジェクトから合成写像・建築資材の生産者・施工監理者及びパーツ商品の品番等のデータを抽出する。提示価格を集計し、建築総額と工種項目の価格を算出する。合成写像・建築総額・工種価格・建築資材の生産者・施工監理者及びパーツ商品の品番を表示すると共に、「パーツ商品の仕様変更」や「パーツ商品シリーズの変更」・「パーツ商品生産者の変更」・「施工監理者の変更」・「工種別契約申込」等の業務処理を選択できるようにした画面を表示する。
【０３６８】
情報流通管理サーバの工種別標準外仕様業務処理プログラムでは、転送されたオブジェクトから物件ナンバーと工種項目データを抽出する。物件ナンバーと工種項目データに基づいて、工種の契約手続履歴データを検索する。検出された履歴データが契約成立以外の場合は、個別に電子商取引システムが利用可能な工種項目のデータを検出する。契約手続中である旨を表示すると共に、選択された工種項目業務処理ページへの転送機能を付加した工種項目を表示した画面を表示するデータを返信する。
【０３６９】
検出された履歴データが契約成立の場合は、抽出した工種項目データをオブジェクトに格納する。個別に電子商取引システムが利用可能な工種項目のデータを検出する。検出された工種項目データをオブジェクトに格納する。プログラムから依頼すべき業務処理プログラムのコードを抽出し、抽出したプログラムコードをオブジェクトに格納し、オブジェクト内全データをクライアントサーバに転送する。
【０３７０】
オブジェクト内全データを受信したクライアントサーバの業務処理プログラムでは、転送されたオブジェクトから工種項目データを抽出すると共に、物件ナンバーを検出する。抽出した工種項目データと検出した物件ナンバーに基づいて、未発注の提示価格データを検索する。未発注の提示価格データを検出できない場合は、オブジェクトから個別に電子商取引システムが利用可能な工種項目のデータを抽出し、未発注の項目が存在しない旨の表示と選択された工種項目業務処理ページへの転送機能を付加した工種項目を表示した画面を表示する。未発注の提示価格データを検出できた場合は、未発注の構成部品項目データと提示価格データ及び成約済の構成部品項目データと提示価格データを検出する。提示価格から建築総額等を算出する。未発注構成部品項目の提示価格情報とそれに対応する選択可能状態での構成部品項目の表示と共に、算出された建築総額、成約済の構成部品項目の情報、提示価格情報を表示すると同時に、「標準外仕様の追加発注」・「選択的契約の申込」等の業務処理を選択できるようにした画面を表示する。
【０３７１】
情報流通管理サーバで契約手続の履歴データを検出できない時は、工種項目データに該当する構成部品項目の数量データを検索する。構成部品項目でなんらの数量データも検出できない場合は、建築地に該当するデフォルトとして指定された資材生産者のデフォルトとして指定された商品シリーズの構成部品のデフォルト仕様を検出する。検出された構成部品の仕様データをオブジェクトに格納する。デフォルトとして指定された資材生産者・施工者データのデータをオブジェクトに格納する。プログラムから依頼すべき業務処理プログラムのコードを抽出し、抽出したプログラムコードをオブジェクトに格納する。オブジェクト内全データをクライアントサーバに転送する。
【０３７２】
オブジェクト内全データを受信したクライアントサーバの業務処理プログラムでは、工種項目データを抽出すると共に、物件ナンバーを検出する。検出した物件ナンバーに基づいて、工種項目データに該当する構成部品項目の数量データを検索する。構成部品項目でなんらかの数量データを検出できた場合は、検出された数量データに対応する品番等の仕様データ及び資材生産者データ・施工者データを検出すると共に、提示価格から建築総額・工種価格総額を算出する。算出された建築総額・工種価格総額と資材生産者情報・施工者情報、選択可能な状態での構成部品項目の仕様情報、再入力可能な状態での数量情報を表示する。構成部品項目でなんらの数量データも検出できない場合は、オブジェクトから構成部品項目の品番等の仕様データ及び資材生産者データ・施工者データを抽出する。物件ナンバーに基づいて、構成部品項目の品番等の仕様データ及び資材生産者データ・施工者データを追加登録する。提示価格から建築総額を算出する。算出された建築総額と資材生産者情報・施工者情報、選択可能な状態でのデフォルト仕様の表示と数量の入力欄を表示する。同時に、「商品生産者の選択」・「商品シリーズの選択」・「仕様価格の計算」・「商品施工者の変更」・「工種別契約申込」等の業務処理を選択できるようにした画面を表示する。
【０３７３】
情報流通管理サーバで構成部品項目のなんらかの数量データが検出できた場合は、プログラムから依頼すべき業務処理プログラムのコードを抽出し、抽出したプログラムコードをオブジェクトに格納する。オブジェクト内全データをクライアントサーバに転送する。
【０３７４】
オブジェクト内全データを受信したクライアントサーバの業務処理プログラムでは、検出された数量データに対応する品番等の仕様データ及び資材生産者データ・施工者データを検出すると共に、提示価格から建築総額・工種価格総額を算出する。算出された建築総額・工種価格と資材生産者情報・施工者情報、選択可能な状態での構成部品項目の仕様情報、再入力可能な状態での数量情報を表示すると同時に、「商品生産者の選択」・「商品シリーズの選択」・「仕様価格の計算」・「商品施工者の変更」・「工種別契約申込」等の業務処理を選択できるようにした画面を表示する。
【０３７５】
情報流通管理サーバの工種別別途工事業務処理プログラムでは、転送されたオブジェクトから物件ナンバーと工種項目データを抽出する。物件ナンバー工種項目データに基づいて、工種の契約手続履歴データを検索する。検出された履歴データが契約成立以外の場合は、個別に電子商取引システムが利用可能な工種項目のデータを検出する。契約手続中である旨を表示すると共に、選択された工種項目業務処理ページへの転送機能を付加した工種項目を表示した画面を表示するデータを返信する。
【０３７６】
検出された履歴データが契約成立の場合は、抽出した工種項目データをオブジェクトに格納する。個別に電子商取引システムが利用可能な工種項目のデータを検出する。検出された工種項目データをオブジェクトに格納する。プログラムから依頼すべき業務処理プログラムのコードを抽出し、抽出したプログラムコードをオブジェクトに格納し、オブジェクト内全データをクライアントサーバに転送する。
【０３７７】
オブジェクト内全データを受信したクライアントサーバの業務処理プログラムでは、転送されたオブジェクトから工種項目データを抽出すると共に、物件ナンバーを検出する。抽出した工種項目データと検出した物件ナンバーに基づいて、未発注の提示価格データを検索する。未発注の提示価格データを検出できない場合は、オブジェクトから個別に電子商取引システムが利用可能な工種項目のデータを抽出し、未発注の項目が存在しない旨の表示と選択された工種項目業務処理ページへの転送機能を付加した工種項目を表示した画面を表示する。未発注の提示価格データを検出できた場合は、未発注の工種構成項目データと提示価格データ及び成約済の工種構成項目データと提示価格データを検出する。提示価格から建築総額等を算出する。未発注工種構成項目の提示価格情報とそれに対応する選択可能状態での工種構成項目の表示と共に、算出された建築総額、成約済の工種構成項目の情報、提示価格情報を表示すると同時に、「別途工事の追加発注」・「選択的契約の申込」等の業務処理を選択できるようにした画面を表示する。
【０３７８】
情報流通管理サーバで契約手続の履歴データを検出できない時は、工種項目の履歴データを検索する。履歴データを検出できない場合は、工種項目データと建築地データに基づいて、建築地で施工可能な施工者データを検出する。検出順に施工者の配列に格納し、施工者の配列データをオブジェクトに格納する。プログラムから依頼すべき業務処理プログラムのコードを抽出し、抽出したプログラムコードをオブジェクトに格納し、オブジェクト内全データをクライアントサーバに転送する。
【０３７９】
オブジェクト内全データを受信したクライアントサーバの業務処理プログラムでは、施工者の配列データを抽出すると共に、工種項目のデフォルト施工者のデータを検索する。検出されたデフォルト施工者データが抽出した施工者の配列データに含まれている時は、施工者リストの最初のデータとして格納し、他の配列データを抽出順に格納する。検出された施工者データが抽出した施工者の配列データに含まれていない時やデフォルト施工者データを検出できない時は、施工者リストに配列データの抽出順に格納する。工種項目の履歴データを検索する。履歴データを検出できない場合は、作成されたリストを選択可能な状態で表示すると共に、選択可能な状態での工種構成項目データに基づいた情報及び必要な数量を入力できるようにした情報を表示する画面と同時に、「見積項目登録」・「見積依頼」等の業務処理を選択できるようにした画面を表示する。検出された履歴データが見積項目登録済の場合は、作成されたリストを選択可能な状態で表示すると共に、再選択可能な状態での工種構成項目データに基づいた情報、必要な数量を再入力できるようにした情報、及び、工種構成項目の選択情報、入力済数量情報を表示する画面と同時に、「見積項目修正」・「見積依頼」等の業務処理を選択できるようにした画面を表示する。
【０３８０】
情報流通管理サーバの検出された履歴データが見積依頼済の場合は、物件ナンバーと工種項目データに基づいて、見積を依頼した施工者データを検索し、検出順に施工者の配列としてオブジェクトに格納する。プログラムから依頼すべき業務処理プログラムのコードを抽出し、抽出したプログラムコードをオブジェクトに格納し、オブジェクト内全データをクライアントサーバに転送する。
【０３８１】
オブジェクト内全データを受信したクライアントサーバの業務処理プログラムでは、受信した施工者の配列データを配列順にリスト化し選択可能な状態で表示すると共に、工種構成項目の選択情報、入力済数量情報を表示する画面と同時に、「見積項目の変更」・「見積依頼業者の追加」・「見積受信」等の業務処理を選択できるようにした画面を表示する。
【０３８２】
情報流通管理サーバの検出された履歴データが見積受信済の場合は、工種項目の暫定施工者を検出する。物件ナンバーと工種項目データに基づいて、見積を依頼した施工者データを検索する。抽出した暫定施工者データを施工者の配列に格納し、他の施工者データを検出順に施工者の配列に格納する。暫定施工者の提示価格データを検出し、検出された提示価格データに該当する工種構成項目データを検出する。検出された提示価格データと工種構成項目データを配列に格納する。提示価格・工種構成項目の配列データと施工者の配列データをオブジェクトに格納する。オブジェクト内全データをクライアントサーバに転送する。
【０３８３】
オブジェクト内全データを受信したクライアントサーバの業務処理プログラムでは、工種項目の履歴データを検索する。検出された履歴データが見積受信済の場合は、受信した施工者の配列データを配列順にリスト化し選択可能な状態で表示すると共に、提示価格・工種構成項目の配列データに基づいた暫定施工者の提示価格及び工種構成項目の情報を表示する画面と同時に、「見積依頼業者の追加」・「見積表示業者の変更」・「検討業者決定」等の業務処理を選択できるようにした画面を表示する。
【０３８４】
クライアントサーバで検出された履歴データが検討業者決定済の場合は、検討業者として登録されたデータに基づいて工種構成項目データと提示価格データを検出する。提示価格から建築総額を算出する。算出された建築総額、提示価格データに基づいた情報及び検出した工種構成項目データを選択可能な状態で表示すると共に、「見積金額の計算」・「検討業者変更」等の業務処理を選択できるようにした画面を表示する。
【０３８５】
クライアントサーバで検出された履歴データが構成項目選択済の場合は、検討業者として登録されたデータに基づいて工種構成項目データと提示価格データを検出する。提示価格から建築総額・工種価格総額を算出する。選択されている工種構成項目を検出する。算出された建築総額・工種価格総額の情報、工種構成項目の選択情報、提示価格情報とそれに対応する選択可能状態での工種構成項目の表示と共に、「見積金額の計算」・「検討業者変更」・「工種別契約申込」等の業務処理を選択できるようにした画面を表示する。
【０３８６】
業務処理のデータとして「工種別契約申込」のデータを受信したクライアントサーバは、受信したデータから工種項目のデータを抽出する。抽出した工種項目データをオブジェクトに格納する。プログラムから依頼すべき業務処理プログラムのコードを抽出し、抽出したプログラムコードをオブジェクトに格納する。オブジェクト内全データを情報流通管理サーバへ転送する。
【０３８７】
オブジェクト内全データを受信した情報流通管理サーバの業務処理プログラムでは、転送されたオブジェクトから工種項目データを抽出すると共に、物件ナンバーを検出する。検出した物件ナンバーに基づいて、建築資金手続・建築確認申請・性能保証手続等の停止条件管理項目のデータを検索する。検出された建築資金手続・建築確認申請・性能保証手続等の停止条件管理項目のデータと抽出した工種項目データをオブジェクトに格納する。個別に電子商取引システムが利用可能な工種項目のデータを検出する。検出された利用可能な工種項目のデータをオブジェクトに格納する。クライアントデータからクライアントサーバのアドレスを検出し、検出したアドレスのクライアントサーバにオブジェクト内全データを転送する。
【０３８８】
オブジェクト内全データを受信したクライアントサーバの業務処理プログラムでは、転送されたオブジェクトから建築資金手続・建築確認申請・性能保証手続等の停止条件管理項目のデータ及び工種項目データを抽出する。建築資金手続の停止条件管理項目のデータとして停止条件解除以外のデータを検出された時は、建築資金手続き中である旨の表示と選択された停止条件の情報、「建築資金の確認から契約手続継続」のアクション、及び、処理業務を選択できるようにした画面を表示する。建築確認申請の停止条件管理項目のデータとして停止条件解除以外のデータを検出された時は、建築確認申請中である旨の表示と選択された停止条件の情報、「建築確認申請の確認から契約手続継続」のアクション、及び、処理業務を選択できるようにした画面を表示する。性能保証手続の停止条件管理項目のデータとして停止条件解除以外のデータを検出された時は、選択された停止条件の情報と「工種の契約手続確認」アクション、及び、処理業務を選択できるようにした画面を表示する。建築資金手続・建築確認申請・性能保証手続等の停止条件管理項目のデータが停止条件解除の場合は、物件ナンバーを検出し、検出した物件ナンバーと抽出した工種項目データに基づいた工種の契約手続履歴データを検索する。工種の契約手続履歴データを検出できない場合は、解除された停止条件の情報と「契約手続開始」のアクション、及び、業務処理ページへの転送機能を付加した工種項目の画面を表示する。契約申込中の履歴データを検出した場合は、解除された停止条件の情報と「工種の契約手続確認」アクション、及び、処理業務を選択できるようにした画面を表示する。契約成立の履歴データを検出した場合は、工種項目の電子商取引は完了した旨を表示すると共に、業務処理ページへの転送機能を付加した工種項目の画面を表示する。建築資金手続・建築確認申請・性能保証手続等の停止条件管理項目のデータを検出できない場合は、資金管理者のデータ・許認可管理者のデータの入力と建築資金手続・建築確認申請・性能保証手続等の停止条件の選択、「契約手続開始」のアクション、及び、業務処理ページへの転送機能を付加した工種項目の画面を表示する。
【０３８９】
アクションデータとして「契約手続開始」を受信したクライアントサーバは、受信したデータから選択された停止条件のデータを抽出すると共に、物件ナンバーを検出する。建築資金手続の停止条件を抽出した場合は、資金管理者データを抽出する。資金管理者データを抽出できない場合は、資金管理者のデータ・許認可管理者のデータの入力と建築資金手続・建築確認申請・性能保証手続等の停止条件の選択、「契約手続開始」のアクション、及び、業務処理ページへの転送機能を付加した工種項目の画面を再表示する。資金管理者データを抽出できた場合は、物件ナンバーに基づいて解除すべき停止条件データに建築資金手続を追加登録すると共に、抽出した資金管理者データを追加登録する。建築確認申請の停止条件を抽出した場合は、許認可管理者データを抽出する。許認可管理者データを抽出できない場合は、資金管理者のデータ・許認可管理者のデータの入力と建築資金手続・建築確認申請・性能保証手続等の停止条件の選択、「契約手続開始」のアクション、及び、業務処理ページへの転送機能を付加した工種項目の画面を再表示する。許認可管理者データを抽出できた場合は、物件ナンバーに基づいて解除すべき停止条件データに建築確認申請を追加登録すると共に、抽出した許認可管理者データを追加登録する。性能保証手続の停止条件を抽出した場合は、物件ナンバーに基づいて解除すべき停止条件データに性能保証手続を追加登録する。解除すべき停止条件データ及び資金管理者データ・許認可管理者データをオブジェクトに格納する。プログラムから依頼すべき業務処理プログラムのコードを抽出し、抽出したプログラムコードをオブジェクトに格納し、オブジェクト内全データを情報流通管理サーバに転送する。
【０３９０】
オブジェクト内全データを受信した情報流通管理サーバの業務処理プログラムでは、転送されたオブジェクトから解除すべき停止条件データを抽出すると共に、物件ナンバーを検出する。抽出した解除すべき停止条件データに建築確認申請が含まれている場合は、許認可管理者データを抽出する。物件ナンバーに基づいて、建築確認申請の停止条件管理項目に要管理を追加登録すると共に、抽出した許認可管理者データを追加登録する。抽出した解除すべき停止条件データに建築確認申請が含まれていない場合は、建築確認申請の停止条件管理項目に停止条件解除のデータを追加登録する。抽出した解除すべき停止条件データに性能保証手続が含まれている場合は、建築確認申請の停止条件管理項目に要管理のデータを追加登録する。抽出した解除すべき停止条件データに性能保証手続が含まれていない場合は、性能保証手続の停止条件管理項目に停止条件解除のデータを追加登録する。抽出した解除すべき停止条件データに建築資金手続が含まれている場合は、資金管理者データを抽出する。物件ナンバーに基づいて、抽出した資金管理者データを追加登録する。プログラムから依頼すべき業務処理プログラムのコードを抽出し、抽出したプログラムコードを物件ナンバーに基づいて生成されたオブジェクトに格納する。資金管理者データに基づいて建築資金に関する独立分散処理サーバのアドレスを検索し、検出したアドレスの建築資金に関する独立分散処理サーバにオブジェクト内全データを転送する。抽出した解除すべき停止条件データに建築資金手続が含まれていない場合は、建築資金手続の停止条件管理項目に停止条件解除のデータを追加登録し、建築確認申請の停止条件管理データを検出する。
【０３９１】
建築資金に関する独立分散処理サーバから資金確定のデータを受信した情報流通管理サーバの業務処理プログラムでは、建築資金手続の停止条件管理項目に停止条件解除のデータを追加登録・変更登録する。建築確認申請の停止条件管理データを検出する。
【０３９２】
検出された建築確認申請の停止条件管理データが要管理の場合は、物件ナンバーに基づいて許認可管理者データを検出する。プログラムから依頼すべき業務処理プログラムのコードを抽出し、抽出したプログラムコードをオブジェクトに格納する。許認可管理者データに基づいて許認可を管理する独立分散処理サーバのアドレスを検索し、検出したアドレスの許認可を管理する独立分散処理サーバにオブジェクト内全データを転送する。検出された停止条件管理データが停止条件解除の場合は、性能保証手続の停止条件管理データを検出する。
【０３９３】
許認可を管理する独立分散処理サーバから建築確認取得のデータを受信した情報流通管理サーバの業務処理プログラムでは、建築確認申請の停止条件管理項目に停止条件解除のデータを追加登録・変更登録する。性能保証手続の停止条件管理データを検出する。
【０３９４】
検出された性能保証手続の停止条件管理データが要管理の場合は、物件ナンバーに基づいて現場管理者データを検出する。プログラムから依頼すべき業務処理プログラムのコードを抽出し、抽出したプログラムコードをオブジェクトに格納する。現場管理者データに基づいて現場管理者の一次分散処理サーバのアドレスを検索し、検出したアドレスの現場管理者の一次分散処理サーバにオブジェクト内全データを転送する。物件ナンバーに基づいて性能保証手続の停止条件管理データに性能保証手続中の履歴データを追加登録・変更登録する。性能保証手続中の履歴データをオブジェクトに格納する。プログラムから依頼すべき業務処理プログラムのコードを抽出し、抽出したプログラムコードをオブジェクトに格納する。クライアントデータからクライアントサーバのデータを検出し、検出したアドレスのクライアントサーバにオブジェクト内全データを転送する。検出された性能保証手続の停止条件管理データが停止条件解除の場合は、工種の契約手続履歴データを契約申込中に変更登録する。
【０３９５】
現場管理者の一次分散処理サーバから性能保証手続完了のデータを受信した情報流通管理サーバの業務処理プログラムでは、性能保証手続の停止条件管理項目を停止条件解除に変更登録すると共に、工種の契約手続履歴データを契約申込中に変更登録する。
【０３９６】
工種の契約手続履歴データを契約申込中に変更登録した情報流通管理サーバの業務処理プログラムでは、業務中の工種データに該当する一次分散処理サーバを検出する。検出された一次分散処理サーバのデータに基づいて、プログラムから業務依頼するプログラムのデータを抽出し、抽出したプログラムのデータをオブジェクトに格納する。オブジェクト内全データを一次分散処理サーバに転送する。
【０３９７】
一次分散処理サーバから契約受諾のデータを受信した情報流通管理サーバの業務処理プログラムでは、物件ナンバーを検出する。検出した物件ナンバーに基づいて、工種の契約手続履歴データを契約受諾に変更登録する。検出した物件ナンバーに基づいて、データを格納する新たなオブジェクトを生成すると共に、該物件専用のデータ格納領域を確保する。プログラムから一次分散処理サーバでの業務依頼するプログラムのデータを抽出し、抽出したプログラムのデータをオブジェクトに格納する。オブジェクト内全データを一次分散処理サーバに転送する。
【０３９８】
アクションデータとして「工種の契約手続確認」を受信したクライアントサーバは、受信したデータから選択された工種項目を抽出し、抽出した工種項目をオブジェクトに格納する。プログラムから依頼すべき業務処理プログラムのコードを抽出し、抽出したプログラムコードをオブジェクトに格納し、オブジェクト内全データを情報流通管理サーバに転送する。
【０３９９】
オブジェクト内全データを受信した情報流通管理サーバの業務処理プログラムでは、工種項目を抽出すると共に、物件ナンバーを検出する。抽出した工種項目と検出した物件ナンバーに基づいて、工種の契約手続履歴データを検出する。検出した工種の契約手続履歴データが性能保証手続中の場合は、性能保証手続中である旨の表示と、業務処理ページへの転送機能を付加した工種項目の画面を表示するデータを返信する。検出した工種の契約手続履歴データが契約申込中の場合は、プログラムから依頼すべき業務処理プログラムのコードを抽出し、抽出したプログラムコードをオブジェクトに格納する。クライアントデータからクライアントサーバのアドレスを検出し、検出したアドレスのクライアントサーバにオブジェクト内全データを転送する。
【０４００】
オブジェクト内全データを受信したクライアントサーバの業務処理プログラムでは、工種の契約手続履歴データを契約申込中に変更登録すると共に、関係各社との契約手続中である旨の表示と、業務処理ページへの転送機能を付加した工種項目の画面を表示する。
【０４０１】
検出した工種の契約手続履歴データが契約受諾の場合は、工種の契約手続履歴データを契約成立に変更登録する。契約成立の履歴データをオブジェクトに格納する。物件ナンバーと工種項目に基づいて、工種に対応する一次分散処理サーバのアドレスを検出し、検出したアドレスのサーバにオブジェクト内全データを転送する。資金管理者のデータ及び許認可管理者のデータを検索する。資金管理者のデータが検出された場合は、資金管理者の独立分散処理サーバのアドレスを検出し、検出したアドレスのサーバにオブジェクト内全データを転送する。許認可管理者のデータが検出された場合は、許認可管理者の独立分散処理サーバのアドレスを検出し、検出したアドレスのサーバにオブジェクト内全データを転送する。現場管理者の一次分散処理サーバのアドレスを検出し、検出したアドレスのサーバにオブジェクト内全データを転送する。クライアントデータからクライアントサーバのアドレスを検出し、検出したアドレスのクライアントサーバにオブジェクト内全データを転送する。
【０４０２】
オブジェクト内全データを受信した資金管理者の独立分散処理サーバ・許認可管理者の独立分散処理サーバの業務処理プログラムでは、契約手続の履歴データを契約成立に変更登録する。
【０４０３】
オブジェクト内全データを受信した一次分散処理サーバの業務処理プログラムでは、工種の契約手続履歴データを検出する。検出した工種の契約手続履歴データが契約受諾の場合は、工種の契約手続履歴データを契約成立に変更登録すると共に、契約成立の履歴データをオブジェクトに格納する。建築資材の生産を管理するサーバ・施工者の配置を管理するサーバのアドレスを検出し、検出したアドレスのサーバにオブジェクト内全データを転送する。
【０４０４】
オブジェクト内全データを受信した建築資材の生産を管理するサーバ・施工者の配置を管理するサーバでは、工種の契約手続履歴データを契約成立に変更登録する。
【０４０５】
オブジェクト内全データを受信した現場管理者の一次分散処理サーバの業務処理プログラムでは、工種の契約手続履歴データを検出する。検出した工種の契約手続履歴データが契約受諾の場合は、工種の契約手続履歴データを契約成立に変更登録すると共に、該等する住宅性能保証会社・施工者群へ契約が成立した旨をメール等の手段で通知する。
【０４０６】
オブジェクト内全データを受信したクライアントサーバの業務処理プログラムでは、工種の契約手続履歴データを契約成立に変更登録すると共に、工種項目の電子商取引は完了した旨を表示すると共に、業務処理ページへの転送機能を付加した工種項目の画面を表示する。
【０４０７】
業務処理のデータとして「追加するオプション仕様の選択」のデータを受信したクライアントサーバは、受信したデータから工種項目を抽出し、オブジェクトに格納する。プログラムから依頼すべき業務処理プログラムのコードを抽出し、抽出したプログラムコードをオブジェクトに格納し、オブジェクト内全データを情報流通管理サーバに転送する。
【０４０８】
オブジェクト内全データを受信した情報流通管理サーバの業務処理プログラムでは、転送されたオブジェクトから工種項目データを抽出すると共に、物件ナンバーを検出する。検出された物件ナンバーに基づいてデータを格納するオブジェクトを生成し、該物件専用のデータ格納領域に格納する。抽出されていた工種項目データをオブジェクトに格納する。プログラムから依頼すべき業務処理プログラムのコードを抽出し、抽出したプログラムコードをオブジェクトに格納する。物件ナンバーと工種項目データに基づいて一次分散処理サーバのアドレスを検出する。検出されたアドレスの一次分散処理サーバにオブジェクト内全データを転送する。
【０４０９】
オブジェクト内全データを受信した一次分散処理サーバの業務処理プログラムでは、転送されたオブジェクトから工種項目データを抽出すると共に、物件ナンバーを検出する。検出された物件ナンバーに基づいてデータを格納するオブジェクトを生成し、該物件専用のデータ格納領域に格納する。プログラムから依頼すべき業務処理プログラムのコードを抽出し、抽出したプログラムコードをオブジェクトに格納する。抽出された工種項目データに基づいて建築資材の生産を管理するサーバのアドレスを検出する。検出されたアドレスの建築資材の生産を管理するサーバにオブジェクト内全データを転送する。
【０４１０】
オブジェクト内全データを受信した建築資材の生産を管理するサーバの業務処理プログラムでは、転送されたオブジェクトから工種項目データを抽出すると共に、物件ナンバーを検出する。検出された物件ナンバーと抽出した工種項目データに基づいてデータを格納するオブジェクトを生成し、該物件専用のデータ格納領域に格納する。物件ナンバーと工種項目データに基づいて、成約されている商品シリーズを検出する。商品シリーズの構成部品から受注済の構成部品を除く構成部品を検索する。検出した構成部品データをオブジェクトに格納する。構成部品を検出できない時は、残構成部品なしのデータをオブジェクトに格納する。プログラムから依頼すべき業務処理プログラムのコードを抽出し、抽出したプログラムコードをオブジェクトに格納する。物件ナンバーに基づいて、一次分散処理サーバのアドレスを検出し、検出されたアドレスの一次分散処理サーバにオブジェクト内全データを転送する。
【０４１１】
オブジェクト内全データを受信した一次分散処理サーバの業務処理プログラムでは、転送されたオブジェクトから工種項目データ、構成部品を抽出すると共に、物件ナンバーを検出する。検出した物件ナンバーに基づいてオブジェクトを生成し、該物件に対応するデータ格納領域に格納する。抽出した仕様構成パーツのデータが残構成部品なしの場合、残構成部品なしのデータをオブジェクトに格納する。プログラムから依頼すべき業務処理プログラムのコードを抽出し、抽出したプログラムコードをオブジェクトに格納し、オブジェクト内全データを情報流通管理サーバに転送する。
【０４１２】
オブジェクト内全データを受信した情報流通管理サーバの業務処理プログラムでは、転送されたオブジェクトから工種項目データを抽出すると共に、物件ナンバーを検出する。個別に電子商取引システムが利用可能な工種項目のデータを検出する。検出された工種項目データをオブジェクトに格納する。プログラムから依頼すべき業務処理プログラムのコードを抽出し、抽出したプログラムコードをオブジェクトに格納する。物件ナンバーに基づいて、クライアントサーバのアドレスを検出し、検出されたアドレスのクライアントサーバにオブジェクト内全データを転送する。
【０４１３】
オブジェクト内全データを受信したクライアントサーバの業務処理プログラムでは、追加できるオプション仕様はない旨の表示と選択された工種項目業務処理ページへの転送機能を付加した工種項目を表示した画面を表示する。
【０４１４】
構成部品のデータを抽出できた一次分散処理サーバの業務処理プログラムでは、構成部品に該等する基本単価を検出する。クライアントデータに基づいて、価格係数を検索する。価格係数を検出できない場合は、情報流通管理サーバに対応する価格係数を検出する。検出した価格係数に基づいて提示単価を算出する。抽出した構成部品のデータとそれに対応する提示単価の組合せを配列としてオブジェクトに格納する。プログラムから依頼すべき業務処理プログラムのコードを抽出し、抽出したプログラムコードをオブジェクトに格納し、オブジェクト内全データを情報流通管理サーバに転送する。
【０４１５】
オブジェクト内全データを受信した情報流通管理サーバの業務処理プログラムでは、構成部品のデータとそれに対応する提示単価データの配列を抽出すると共に、物件ナンバーを検出する。検出した物件ナンバーに基づいてオブジェクトを生成し、該物件に対応するデータ格納領域に格納する。クライアントデータに基づいて価格係数とクライアント価格係数を検出し、抽出した提示単価データと価格係数・クライアント価格係数に基づいて提示単価を算出する。算出された提示単価データと構成部品データの組合せを配列としてオブジェクトに格納する。プログラムから依頼すべき業務処理プログラムのコードを抽出し、抽出したプログラムコードをオブジェクトに格納する。物件ナンバーに基づいて、クライアントサーバのアドレスを検出し、検出されたアドレスのクライアントサーバにオブジェクト内全データを転送する。
【０４１６】
オブジェクト内全データを受信したクライアントサーバの業務処理プログラムでは、構成部品のデータとそれに対応する提示単価データの配列を抽出する。成約済の提示価格から成約総額等を算出する。抽出した構成部品データを選択可能なオプション仕様商品として、抽出した提示単価をオプション仕様商品の単価として表示すると共に、追加発注する数量の入力欄・算出された成約総額等を表示すると同時に、「標準工事の追加発注」・「選択的契約の申込」等の業務処理を選択できるようにした画面を表示する。
【０４１７】
次に、添付した図面を参照しつつ、成約後の追加発注等に関する電子商取引システムの具体的な実施形態につき説明し、本発明の理解に供する。
【実施例７】
【０４１８】
図２は、前記建築工事の電子商取引の追加発注に関する電子商取引を実施する業務形態の概要図である。なお、図２の１は、顧客との打合せ状況に合わせた情報を受発信するクライアントサーバ群であり、２は情報流通管理サーバ、３は一次分散処理サーバ群、４は建築資材の生産を管理するサーバ、５は施工者の配置を管理するサーバ、８は現場の進捗を管理する現場管理者の一次分散処理サーバ、９は別途工事施工者（施工者配置の管理、現場管理者）のサーバである。
【０４１９】
業務処理のデータとして「標準工事の追加発注」のデータを受信したクライアントサーバ１は、受信したデータから追加発注する数量データとそれに該当する構成部品データ及び工種項目を抽出する。抽出した数量データと構成部品データの組合せを配列としてオブジェクトに格納すると共に、工種項目をオブジェクトに格納する。プログラムから依頼すべき業務処理プログラムのコードを抽出し、抽出したプログラムコードをオブジェクトに格納し、オブジェクト内全データを情報流通管理サーバ２に転送する。
【０４２０】
オブジェクト内全データを受信した情報流通管理サーバ２の業務処理プログラムでは、数量データと構成部品データの配列及び工種項目を抽出すると共に、物件ナンバーを検出する。抽出した数量データと構成部品データの配列及び工種項目をオブジェクトに格納する。プログラムから依頼すべき業務処理プログラムのコードを抽出し、抽出したプログラムコードをオブジェクトに格納する。物件ナンバーと工種項目データに基づいて一次分散処理サーバ３のアドレスを検出する。検出されたアドレスの一次分散処理サーバ３にオブジェクト内全データを転送する。
【０４２１】
オブジェクト内全データを受信した一次分散処理サーバ３の業務処理プログラムでは、転送されたオブジェクトから数量データと構成部品データの配列及び工種項目を抽出すると共に、物件ナンバーを検出する。プログラムから依頼すべき業務処理プログラムのコードを抽出し、抽出したプログラムコードをオブジェクトに格納する。抽出された工種項目データに基づいて建築資材の生産を管理するサーバ４のアドレスを検出する。検出されたアドレスの建築資材の生産を管理するサーバ４にオブジェクト内全データを転送する。
【０４２２】
オブジェクト内全データを受信した建築資材の生産を管理するサーバ４の業務処理プログラムでは、転送されたオブジェクトから数量データと構成部品データの配列及び工種項目を抽出すると共に、物件ナンバーを検出する。検出された物件ナンバーと抽出した工種項目データに基づいてデータを格納するオブジェクトを生成し、該物件専用のデータ格納領域に格納する。物件ナンバーに関連する各種データを出荷管理データベースに移し、資材の出荷予定日を検出する。構成部品データを生産管理データベースに移し、追加発注された構成部品の可能出荷日を検出する。可能出荷日と出荷予定日を比較して同時出荷が不可能な場合は、工事追加不可のデータをオブジェクトに格納する。可能出荷日と出荷予定日を比較して同時出荷が可能な場合は、工事追加可能のデータをオブジェクトに格納すると共に、数量データと構成部品データの配列及び工種項目データをオブジェクトに格納する。プログラムから依頼すべき業務処理プログラムのコードを抽出し、抽出したプログラムコードをオブジェクトに格納する。物件ナンバーに基づいて一次分散処理サーバ３のアドレスを検出する。検出されたアドレスの一次分散処理サーバ３にオブジェクト内全データを転送する。
【０４２３】
オブジェクト内全データを受信した一次分散処理サーバ３の業務処理プログラムでは、転送されたオブジェクトから工事追加可否のデータと工種項目を抽出すると共に、物件ナンバーを検出する。検出した物件ナンバーに基づいてオブジェクトを生成し、該物件に対応するデータ格納領域に格納する。抽出した工事追加可否データが工事追加不可の場合は、工事追加不可のデータをオブジェクトに格納する。プログラムから依頼すべき業務処理プログラムのコードを抽出し、抽出したプログラムコードをオブジェクトに格納し、オブジェクト内全データを情報流通管理サーバ２に転送する。
【０４２４】
オブジェクト内全データを受信した情報流通管理サーバ２の業務処理プログラムでは、個別に電子商取引システムが利用可能な工種項目のデータを検出する。工事日程上追加できない旨の表示と選択された工種項目業務処理ページへの転送機能を付加した工種項目を表示した画面を表示するデータを返信する。
【０４２５】
工事追加可否データとして工事追加可能のデータを抽出した一次分散処理サーバ３の業務処理プログラムでは、数量データと構成部品データの配列及び工種項目データをオブジェクトに格納する。プログラムから依頼すべき業務処理プログラムのコードを抽出し、抽出したプログラムコードをオブジェクトに格納する。物件ナンバーと工種項目データから施工者の配置を管理するサーバ５のアドレスを検出する。検出されたアドレスの施工者の配置を管理するサーバ５にオブジェクト内全データを転送する。
【０４２６】
オブジェクト内全データを受信した施工者の配置を管理するサーバ５の業務処理プログラムでは、転送されたオブジェクトから数量データと構成部品データの配列及び工種項目を抽出すると共に、物件ナンバーを検出する。検出された物件ナンバーと抽出した工種項目データに基づいてデータを格納するオブジェクトを生成し、該物件専用のデータ格納領域に格納する。施工追加予定項目と数量から必要施工時間数を検出する。施工管理データベースから該施工時における余裕施工時間数を検出する。必要施工時間数と余裕施工時間を比較して連続施工が不可能な場合は、工事追加不可のデータをオブジェクトに格納する。連続施工が可能な場合は、工事追加可能のデータと必要施工時間数をオブジェクトに格納する。数量データと構成部品データの配列及び工種項目データをオブジェクトに格納すると共に、構成部品の施工数量に追加登録・変更登録する。プログラムから依頼すべき業務処理プログラムのコードを抽出し、抽出したプログラムコードをオブジェクトに格納する。物件ナンバーに基づいて一次分散処理サーバのアドレス３を検出する。検出されたアドレスの一次分散処理サーバ３にオブジェクト内全データを転送する。
【０４２７】
オブジェクト内全データを受信した一次分散処理サーバ３の業務処理プログラムでは、転送されたオブジェクトから工事追加可否のデータと必要施工時間数及び数量データと構成部品データの配列・工種項目データを抽出すると共に、物件ナンバーを検出する。検出した物件ナンバーに基づいてオブジェクトを生成し、該物件に対応するデータ格納領域に格納する。抽出した工事追加可否のデータと必要施工時間数及び数量データと構成部品データの配列・工種項目データをオブジェクトに格納する。抽出した工種項目データに基づいて検出した基本単価と抽出した数量から基本価格を算出する。クライアントデータに基づいて、価格係数を検索する。価格係数を検出できない場合は、情報流通管理サーバに対応する価格係数を検出する。検出した価格係数に基づいて提示価格を算出する。抽出した構成部品のデータ・数量データとそれに対応する提示価格の組合せを配列としてオブジェクトに格納する。プログラムから依頼すべき業務処理プログラムのコードを抽出し、抽出したプログラムコードをオブジェクトに格納し、オブジェクト内全データを情報流通管理サーバ２に転送する。
【０４２８】
オブジェクト内全データを受信した情報流通管理サーバ２の業務処理プログラムでは、転送されたオブジェクトから工事追加可否のデータを抽出すると共に、物件ナンバーを検出する。抽出した工事追加可否データが工事追加不可の場合は、個別に電子商取引システムが利用可能な工種項目のデータを検出する。工事日程上追加できない旨の表示と選択された工種項目業務処理ページへの転送機能を付加した工種項目を表示した画面を表示するデータを返信する。抽出した工事追加可否データが工事追加可能の場合は、必要施工時間数と数量データ・構成部品データ・提示価格の配列・工種項目データを抽出する。必要施工時間数と数量データ・構成部品データ・提示価格の配列・工種項目データをオブジェクトに格納する。プログラムから依頼すべき業務処理プログラムのコードを抽出し、抽出したプログラムコードをオブジェクトに格納する。物件ナンバーから現場管理者の一次分散処理サーバ８のアドレスを検出する。検出されたアドレスの現場管理者サーバ８にオブジェクト内全データを転送する。
【０４２９】
オブジェクト内全データを受信した現場管理者サーバ８の業務処理プログラムでは、転送されたオブジェクトから必要施工時間数データと工種項目データ及び数量データ・構成部品データ・提示価格の配列を抽出すると共に、物件ナンバーを検出する。検出された物件ナンバーに基づいた限界工程管理システムに必要施工時間数データを移し、工程的な無理の有無に関するデータを検出する。物件ナンバーに基づいて、データを格納するオブジェクトを生成し、該物件専用のデータ格納領域に格納する。工程に無理があるというデータを検出した場合は、無理の有無に関するデータ及び工種項目データを生成したオブジェクトに格納する。工程に無理がないというデータを検出した場合は、無理の有無に関するデータと工種項目データ及び数量データ・構成部品データ・提示価格の配列をオブジェクトに格納する。プログラムから依頼すべき業務処理プログラムのコードを抽出し、抽出したプログラムコードをオブジェクトに格納し、オブジェクト内全データを情報流通管理サーバ２に転送する。
【０４３０】
オブジェクト内全データを受信した情報流通管理サーバ２の業務処理プログラムでは、無理の有無に関するデータを抽出する。工程に無理があるというデータを抽出した時は、個別に電子商取引システムが利用可能な工種項目のデータを検出する。工事日程上無理があり工事追加をできない旨の表示と選択された工種項目業務処理ページへの転送機能を付加した工種項目を表示した画面を表示するデータを返信する。工程に無理がないというデータを抽出した時は、工種項目データと数量データ・構成部品データ・提示価格の配列を抽出すると共に、物件ナンバーを検出する。物件ナンバーと工種項目データに基づいて、数量データを構成部品の数量項目に、提示価格を構成部品の基礎価格に追加登録・変更登録する。クライアントデータに基づいて価格係数とクライアント価格係数を検出する。抽出した提示価格と検出した価格係数に基づいて算出した価格を、物件ナンバーに基づいた基本価格として追加登録・変更登録する。さらに、検出したクライアント価格係数と基本価格に基づいて算出した価格を、物件ナンバーに基づいた提示価格として追加登録・変更登録する。物件ナンバーに基づいて、データを格納するオブジェクトを生成し、該物件専用のデータ格納領域を確保する。数量データと構成部品データの組合せを配列としてオブジェクトに格納する。工種項目データをオブジェクトに格納する。プログラムから一次分散処理サーバ３の依頼すべき業務処理プログラムのコードを抽出し、抽出したプログラムコードをオブジェクトに格納する。物件ナンバーと工種項目データから一次分散処理サーバ３のアドレスを検出する。検出されたアドレスの一次分散処理サーバ３にオブジェクト内全データを転送する。オブジェクトを該物件専用のデータ格納領域から取り除く。物件ナンバーに基づいて、データを格納する新たなオブジェクトを生成し、該物件専用のデータ格納領域に格納する。数量データ・構成部品データ・提示価格の組合せを配列としてオブジェクトに格納する。工種項目データをオブジェクトに格納する。個別に電子商取引システムが利用可能な工種項目のデータを検出し、オブジェクトに格納する。プログラムからクライアントサーバ１の依頼すべき業務処理プログラムのコードを抽出し、抽出したプログラムコードをオブジェクトに格納する。物件ナンバーと工種項目データから一次分散処理サーバ３のアドレスを検出する。検出されたアドレスのクライアントサーバ１にオブジェクト内全データを転送する。
【０４３１】
オブジェクト内全データを受信した一次分散処理サーバ３の業務処理プログラムでは、数量データと構成部品データの配列と工種項目のデータを抽出すると共に、物件ナンバーを検出する。物件ナンバーと工種項目データに基づいて、数量データを構成部品の数量項目に追加登録・変更登録する。物件ナンバーに基づいて、データを格納するオブジェクトを生成し、該物件専用のデータ格納領域を確保する。抽出した数量データと構成部品データの配列と工種項目のデータをオブジェクトに格納する。プログラムから建築資材の生産を管理するサーバ４の依頼すべき業務処理プログラムのコードを抽出し、抽出したプログラムコードをオブジェクトに格納する。物件ナンバーと工種項目データから建築資材の生産を管理するサーバ４のアドレスを検出する。検出されたアドレスの建築資材の生産を管理するサーバ４にオブジェクト内全データを転送する。プログラムから施工者の配置を管理するサーバ５の依頼すべき業務処理プログラムのコードを抽出し、オブジェクト内のプログラムコードを抽出したプログラムコードに置換する。物件ナンバーと工種項目データから施工者の配置を管理するサーバ５のアドレスを検出する。検出されたアドレスの施工者の配置を管理するサーバ５にオブジェクト内全データを転送する。
【０４３２】
オブジェクト内全データを受信した建築資材の生産を管理するサーバ４の業務処理プログラムでは、数量データと構成部品データの配列及び工種項目データを抽出すると共に、物件ナンバーを検出する。検出された物件ナンバーに基づいて、抽出した数量データを該当する構成部品データの数量項目に追加登録・変更登録する。
【０４３３】
オブジェクト内全データを受信した施工者の配置を管理するサーバ５の業務処理プログラムでは、数量データと構成部品データの配列及び工種項目データを抽出すると共に、物件ナンバーを検出する。検出された物件ナンバーに基づいて、抽出した数量データを該当する施工数量に追加登録・変更登録する。
【０４３４】
オブジェクト内全データを受信したクライアントサーバ１の業務処理プログラムでは、転送されたオブジェクトから構成部品データ・数量データ・提示価格データの配列及び工種項目データを抽出すると共に、物件ナンバーを検出する。検出した物件ナンバーと抽出した工種項目データに基づいて、抽出した数量データを構成部品の数量として、抽出した提示価格データを構成部品の価格として追加登録・変更登録する。オブジェクトから個別に電子商取引システムが利用可能な工種項目のデータを抽出し、追加発注・成約が完了した旨の表示と選択された工種項目業務処理ページへの転送機能を付加した工種項目を表示した画面を表示する。
【０４３５】
業務処理のデータとして「標準外仕様の追加発注」のデータを受信したクライアントサーバ１は、受信したデータから選択された工種項目のデータと構成部品項目のデータを抽出する。抽出した工種項目データと構成部品項目データをオブジェクトに格納する。プログラムから依頼すべき業務処理プログラムのコードを抽出し、抽出したプログラムコードをオブジェクトに格納し、オブジェクト内全データを情報流通管理サーバ２に転送する。
【０４３６】
オブジェクト内全データを受信した情報流通管理サーバ２の業務処理プログラムでは、構成部品項目データ及び工種項目データを抽出すると共に、物件ナンバーを検出する。抽出した構成部品項目データ及び工種項目データをオブジェクトに格納する。プログラムから依頼すべき業務処理プログラムのコードを抽出し、抽出したプログラムコードをオブジェクトに格納する。物件ナンバーと工種項目データに基づいて一次分散処理サーバ３のアドレスを検出する。検出されたアドレスの一次分散処理サーバ３にオブジェクト内全データを転送する。
【０４３７】
オブジェクト内全データを受信した一次分散処理サーバ３の業務処理プログラムでは、転送されたオブジェクトから構成部品項目データ及び工種項目データを抽出すると共に、物件ナンバーを検出する。検出された物件ナンバーと抽出した工種項目データに基づいてデータを格納するオブジェクトを生成し、該物件専用のデータ格納領域に格納する。物件ナンバーに基づいて、抽出された構成部品項目データ（選択された構成部品項目）に対応する数量のデータを検出する。抽出された構成部品項目データと対応する数量データの組合せを配列として生成されたオブジェクトに格納する。プログラムから依頼すべき業務処理プログラムのコードを抽出し、抽出したプログラムコードをオブジェクトに格納する。抽出された工種項目データに基づいて建築資材の生産を管理するサーバ４のアドレスを検出する。検出されたアドレスの建築資材の生産を管理するサーバ４にオブジェクト内全データを転送する。
【０４３８】
オブジェクト内全データを受信した建築資材の生産を管理するサーバ４の業務処理プログラムでは、転送されたオブジェクトから構成部品項目データと数量の配列及び工種項目データを抽出すると共に、物件ナンバーを検出する。検出された物件ナンバーと抽出した工種項目データに基づいてデータを格納するオブジェクトを生成し、該物件専用のデータ格納領域に格納する。物件ナンバーに関連する各種データを出荷管理データベースに移し、資材の出荷予定日を検出する。構成部品項目データを生産管理データベースに移し、追加発注された構成部品の可能出荷日を検出する。可能出荷日と出荷予定日を比較して同時出荷が不可能な場合は、工事追加不可のデータをオブジェクトに格納する。可能出荷日と出荷予定日を比較して同時出荷が可能な場合は、構成部品項目データと数量の配列及び工種項目データをオブジェクトに格納する。プログラムから依頼すべき業務処理プログラムのコードを抽出し、抽出したプログラムコードをオブジェクトに格納する。物件ナンバーに基づいて一次分散処理サーバ３のアドレスを検出する。検出されたアドレスの一次分散処理サーバ３にオブジェクト内全データを転送する。
【０４３９】
オブジェクト内全データを受信した一次分散処理サーバ３の業務処理プログラムでは、転送されたオブジェクトから工事追加可否のデータと工種項目を抽出すると共に、物件ナンバーを検出する。検出した物件ナンバーに基づいてオブジェクトを生成し、該物件に対応するデータ格納領域に格納する。抽出した工事追加可否データが工事追加不可の場合は、工事追加不可のデータをオブジェクトに格納する。プログラムから依頼すべき業務処理プログラムのコードを抽出し、抽出したプログラムコードをオブジェクトに格納し、オブジェクト内全データを情報流通管理サーバ２に転送する。
【０４４０】
オブジェクト内全データを受信した情報流通管理サーバ２の業務処理プログラムでは、個別に電子商取引システムが利用可能な工種項目のデータを検出する。工事日程上追加できない旨の表示と選択された工種項目業務処理ページへの転送機能を付加した工種項目を表示した画面を表示するデータを返信する。
【０４４１】
工事追加可否データとして工事追加可能のデータを抽出した一次分散処理サーバ３の業務処理プログラムでは、構成部品項目データと数量の配列及び工種項目データをオブジェクトに格納する。プログラムから依頼すべき業務処理プログラムのコードを抽出し、抽出したプログラムコードをオブジェクトに格納する。物件ナンバーと工種項目データから施工者の配置を管理するサーバ５のアドレスを検出する。検出されたアドレスの施工者の配置を管理するサーバ５にオブジェクト内全データを転送する。
【０４４２】
オブジェクト内全データを受信した施工者の配置を管理するサーバ５の業務処理プログラムでは、転送されたオブジェクトから構成部品項目データと数量の配列及び工種項目データを抽出すると共に、物件ナンバーを検出する。検出された物件ナンバーと抽出した工種項目データに基づいてデータを格納するオブジェクトを生成し、該物件専用のデータ格納領域に格納する。施工追加予定項目と数量から必要施工時間数を検出する。施工管理データベースから該施工時における余裕施工時間数を検出する。必要施工時間数と余裕施工時間を比較して連続施工が不可能な場合は、工事追加不可のデータをオブジェクトに格納する。連続施工が可能な場合は、工事追加可能のデータと必要施工時間数をオブジェクトに格納する。物件ナンバーと工種項目データに基づいて、受注施工数量を追加された施工数量を加算した施工数量に変更登録する。構成部品項目データと工種項目データをオブジェクトに格納する。プログラムから依頼すべき業務処理プログラムのコードを抽出し、抽出したプログラムコードをオブジェクトに格納する。物件ナンバーに基づいて一次分散処理サーバ３のアドレスを検出する。検出されたアドレスの一次分散処理サーバ３にオブジェクト内全データを転送する。
【０４４３】
オブジェクト内全データを受信した一次分散処理サーバ３の業務処理プログラムでは、転送されたオブジェクトから工事追加可否のデータと工種項目データ・構成部品項目データを抽出すると共に、物件ナンバーを検出する。検出した物件ナンバーに基づいてオブジェクトを生成し、該物件に対応するデータ格納領域に格納する。プログラムから依頼すべき業務処理プログラムのコードを抽出し、抽出したプログラムコードをオブジェクトに格納し、オブジェクト内全データを情報流通管理サーバ２に転送する。
【０４４４】
オブジェクト内全データを受信した情報流通管理サーバ２の業務処理プログラムでは、転送されたオブジェクトから工事追加可否のデータを抽出すると共に、物件ナンバーを検出する。抽出した工事追加可否データが工事追加不可の場合は、個別に電子商取引システムが利用可能な工種項目のデータを検出する。工事日程上追加できない旨の表示と選択された工種項目業務処理ページへの転送機能を付加した工種項目を表示した画面を表示するデータを返信する。抽出した工事追加可否データが工事追加可能の場合は、必要施工時間数・工種項目データと構成部品項目データを抽出する。抽出した工種項目と必要施工時間数・構成部品項目データをオブジェクトに格納する。プログラムから依頼すべき業務処理プログラムのコードを抽出し、抽出したプログラムコードをオブジェクトに格納する。物件ナンバーから現場管理者の一次分散処理サーバ８のアドレスを検出する。検出されたアドレスの現場管理者サーバ８にオブジェクト内全データを転送する。
【０４４５】
オブジェクト内全データを受信した現場管理者サーバ８の業務処理プログラムでは、転送されたオブジェクトから必要施工時間数データ、工種項目データと構成部品項目データを抽出すると共に、物件ナンバーを検出する。検出された物件ナンバーに基づいた限界工程管理システムに必要施工時間数データを移し、工程的な無理の有無に関するデータを検出する。物件ナンバーに基づいて、データを格納するオブジェクトを生成し、該物件専用のデータ格納領域に格納する。無理があるというデータを検出した時は、無理の有無に関するデータ及び工種項目データを生成したオブジェクトに格納する。無理がないというデータを検出した時は、無理の有無に関するデータ、工種項目データと構成部品項目データをオブジェクトに格納する。プログラムから依頼すべき業務処理プログラムのコードを抽出し、抽出したプログラムコードをオブジェクトに格納し、オブジェクト内全データを情報流通管理サーバ２に転送する。
【０４４６】
オブジェクト内全データを受信した情報流通管理サーバ２の業務処理プログラムでは、無理の有無に関するデータを抽出する。工程に無理があるというデータを抽出した時は、個別に電子商取引システムが利用可能な工種項目のデータを検出する。工事日程上無理があり工事追加をできない旨の表示と選択された工種項目業務処理ページへの転送機能を付加した工種項目を表示した画面を表示するデータを返信する。工程に無理がないというデータを抽出した時は、工種項目データと構成部品項目データを抽出すると共に、物件ナンバーを検出する。物件ナンバーと工種項目データに基づいて、抽出された構成部品項目を成約済構成部品として追加登録する。物件ナンバーに基づいてオブジェクトを生成し、該物件に対応するデータ格納領域に格納する。工種項目データと構成部品項目データをオブジェクトに格納する。プログラムから一次分散処理サーバ３の依頼すべき業務処理プログラムのコードを抽出し、抽出したプログラムコードをオブジェクトに格納する。物件ナンバーと工種項目データから一次分散処理サーバ３のアドレスを検出する。検出されたアドレスの一次分散処理サーバ３にオブジェクト内全データを転送する。オブジェクトを該物件専用のデータ格納領域から取り除く。物件ナンバーに基づいて、データを格納する新たなオブジェクトを生成し、該物件専用のデータ格納領域に格納する。構成部品データと工種項目データをオブジェクトに格納する。個別に電子商取引システムが利用可能な工種項目のデータを検出し、オブジェクトに格納する。プログラムからクライアントサーバ１の依頼すべき業務処理プログラムのコードを抽出し、抽出したプログラムコードをオブジェクトに格納する。検出されたアドレスのクライアントサーバ１にオブジェクト内全データを転送する。
【０４４７】
オブジェクト内全データを受信した一次分散処理サーバ３の業務処理プログラムでは、構成部品データと工種項目のデータを抽出すると共に、物件ナンバーを検出する。物件ナンバーと工種項目データに基づいて、抽出された構成部品項目を成約済構成部品として追加登録する。物件ナンバーに基づいて、データを格納するオブジェクトを生成し、該物件専用のデータ格納領域を確保する。工種項目データをオブジェクトに格納する。物件ナンバーと工種項目データに基づいて、抽出した構成部品項目データに対応する数量データを検出する。検出した数量データと構成部品項目データの組合せを配列としてオブジェクトに格納する。プログラムから建築資材の生産を管理するサーバ４の依頼すべき業務処理プログラムのコードを抽出し、抽出したプログラムコードをオブジェクトに格納する。物件ナンバーと工種項目データから建築資材の生産を管理するサーバ４のアドレスを検出する。検出されたアドレスの建築資材の生産を管理するサーバ４にオブジェクト内全データを転送する。プログラムから施工者の配置を管理するサーバ５の依頼すべき業務処理プログラムのコードを抽出し、オブジェクト内のプログラムコードを抽出したプログラムコードに置換する。物件ナンバーと工種項目データから施工者の配置を管理するサーバ５のアドレスを検出する。検出されたアドレスの施工者の配置を管理するサーバ５にオブジェクト内全データを転送する。
【０４４８】
オブジェクト内全データを受信した建築資材の生産を管理するサーバ４の業務処理プログラムでは、数量データと構成部品項目データの配列及び工種項目データを抽出すると共に、物件ナンバーを検出する。検出された物件ナンバーに基づいて、抽出した数量データを該当する構成部品項目データの発注数量として追加登録・変更登録する。
【０４４９】
オブジェクト内全データを受信した施工者の配置を管理するサーバ５の業務処理プログラムでは、数量データと構成部品項目データの配列及び工種項目データを抽出すると共に、物件ナンバーを検出する。抽出された数量データと構成部品項目データの配列から施工数量を算出し、物件ナンバーと工種項目データに基づいて施工数量を追加登録・変更登録する。
【０４５０】
オブジェクト内全データを受信したクライアントサーバ１の業務処理プログラムでは、転送されたオブジェクトから構成部品項目データと工種項目データを抽出すると共に、物件ナンバーを検出する。検出した物件ナンバーと抽出した工種項目データに基づいて、抽出された構成部品項目を成約済構成部品として追加登録する。オブジェクトから個別に電子商取引システムが利用可能な工種項目のデータを抽出し、追加発注・成約が完了した旨の表示と選択された工種項目業務処理ページへの転送機能を付加した工種項目を表示した画面を表示する。
【０４５１】
業務処理のデータとして「別途工事の追加発注」のデータを受信したクライアントサーバ１は、受信したデータから選択された工種構成項目データと工種項目データを抽出する。抽出した工種項目データと工種構成項目データをオブジェクトに格納する。プログラムから依頼すべき業務処理プログラムのコードを抽出し、抽出したプログラムコードをオブジェクトに格納し、オブジェクト内全データを情報流通管理サーバ２に転送する。
【０４５２】
オブジェクト内全データを受信した情報流通管理サーバ２の業務処理プログラムでは、工種構成項目データ及び工種項目データを抽出すると共に、物件ナンバーを検出する。抽出した工種構成項目データ及び工種項目データをオブジェクトに格納する。物件ナンバーと工種項目データに基づいて、抽出した工種構成項目データに該等する履歴データに追加予定を追加登録・変更登録する。プログラムから依頼すべき業務処理プログラムのコードを抽出し、抽出したプログラムコードをオブジェクトに格納する。物件ナンバーと工種項目データに基づいて施工者サーバのアドレスを検出する。検出されたアドレスの施工者サーバ９にオブジェクト内全データを転送する。
【０４５３】
オブジェクト内全データを受信した施工者サーバ９の業務処理プログラムでは、転送されたオブジェクトから工種構成項目データ及び工種項目データを抽出すると共に、物件ナンバーを検出する。検出された物件ナンバーと抽出した工種項目データに基づいてデータを格納するオブジェクトを生成し、該物件専用のデータ格納領域に格納する。施工追加予定項目と数量から必要施工時間数を検出する。施工管理データベースから該施工時における余裕施工時間数を検出する。必要施工時間数と余裕施工時間を比較して連続施工が不可能な場合は、工事追加不可のデータをオブジェクトに格納する。連続施工が可能な場合は、工事追加可能のデータと必要施工時間数のデータをオブジェクトに格納する。プログラムから依頼すべき業務処理プログラムのコードを抽出し、抽出したプログラムコードをオブジェクトに格納する。オブジェクト内全データを情報流通管理サーバ２に転送する。
【０４５４】
オブジェクト内全データを受信した情報流通管理サーバ２の業務処理プログラムでは、転送されたオブジェクトから工事追加可否のデータと工種項目データを抽出すると共に、物件ナンバーを検出する。抽出した工事追加可否データが工事追加不可の場合は、個別に電子商取引システムが利用可能な工種項目のデータを検出する。工事日程上追加できない旨の表示と選択された工種項目業務処理ページへの転送機能を付加した工種項目を表示した画面を表示するデータを返信する。抽出した工事追加可否データが工事追加可能の場合は、必要施工時間数のデータを抽出する。物件ナンバーに基づいて、データを格納するオブジェクトを生成し、該物件専用のデータ格納領域に格納する。抽出した必要施工時間数データを生成したオブジェクトに格納する。プログラムから依頼すべき業務処理プログラムのコードを抽出し、抽出したプログラムコードをオブジェクトに格納する。物件ナンバーに基づいて、現場管理者の一次分散処理サーバ８のアドレスを検出する。検出されたアドレスの現場管理者サーバ８にオブジェクト内全データを転送する。
【０４５５】
オブジェクト内全データを受信した現場管理者サーバ８の業務処理プログラムでは、転送されたオブジェクトから必要施工時間数データ・工種項目データを抽出すると共に、物件ナンバーを検出する。検出された物件ナンバーに基づいた限界工程管理システムに必要施工時間数データを移し、工程的な無理の有無に関するデータを検出する。物件ナンバーに基づいて、データを格納するオブジェクトを生成し、該物件専用のデータ格納領域に格納する。無理の有無に関するデータ及び工種項目データを生成したオブジェクトに格納する。プログラムから依頼すべき業務処理プログラムのコードを抽出し、抽出したプログラムコードをオブジェクトに格納し、オブジェクト内全データを情報流通管理サーバ２に転送する。
【０４５６】
オブジェクト内全データを受信した情報流通管理サーバ２の業務処理プログラムでは、無理の有無に関するデータと工種項目データを抽出すると共に、物件ナンバーを検出する。工程に無理があるというデータを抽出した時は、個別に電子商取引システムが利用可能な工種項目のデータを検出する。工事日程上無理があり工事追加をできない旨の表示と選択された工種項目業務処理ページへの転送機能を付加した工種項目を表示した画面を表示するデータを返信する。工程に無理がないというデータを抽出した時は、物件ナンバーに基づいて、データを格納するオブジェクトを生成し、該物件専用のデータ格納領域に格納する。履歴データに追加予定が登録された工種構成項目データを検出する。検出された工種構成項目データをオブジェクトに格納すると共に、履歴データに契約成立を変更登録する。工種項目データをオブジェクトに格納する。プログラムから依頼すべき施工者サーバ９の業務処理プログラムのコードを抽出し、抽出したプログラムコードをオブジェクトに格納する。物件ナンバーと工種項目データから施工者サーバ９のアドレスを検出する。検出されたアドレスの施工者サーバ９にオブジェクト内全データを転送する。個別に電子商取引システムが利用可能な工種項目のデータを検出し、オブジェクトに格納する。プログラムから依頼すべきクライアントサーバ１の業務処理プログラムのコードを抽出し、オブジェクト内のプログラムコードを抽出したプログラムコードと置換する。物件ナンバーと工種項目データからクライアントサーバ１のアドレスを検出する。検出されたアドレスのクライアントサーバ１にオブジェクト内全データを転送する。
【０４５７】
オブジェクト内全データを受信した施工者サーバ９の業務処理プログラムでは、転送されたオブジェクトから工種項目データと工種構成項目データを抽出すると共に、物件ナンバーを検出する。検出した物件ナンバーと抽出した工種項目データに基づいて、抽出した工種構成項目に契約成立を追加登録・変更登録する。
【０４５８】
オブジェクト内全データを受信したクライアントサーバ１の業務処理プログラムでは、工種項目データと工種構成項目データを抽出すると共に、物件ナンバーを検出する。検出した物件ナンバーと抽出した工種項目データに基づいて、抽出した工種構成項目に契約成立を追加登録・変更登録する。オブジェクトから個別に電子商取引システムが利用可能な工種項目のデータを抽出し、追加発注・成約が完了した旨の表示と選択された工種項目業務処理ページへの転送機能を付加した工種項目を表示した画面を表示する。
【産業上の利用可能性】
【０４５９】
従来、個別に提供されてきた営業支援ソフト・原価管理ソフト等のコンピュータソフトをインターネット環境で稼動できるようにすることで、建築工事の提案者に新たな提案ツールを提供することができる。
【０４６０】
受注先から連鎖的に自社に対応するデータを取り込めるようになるので、導入されてきたコンピュータネットワークへのデータ入力の自動化が可能となり、業務の効率化を実現できる。
【０４６１】
従来の住宅メーカーや住宅フランチャイズ企業は、画一化された商品化住宅の提供で同一商品を大量に発注し、流通経路の変革と経費削減を実現した。また、施主による分離発注で、住宅請負会社の中間マージンを削減し個性豊かな住宅を提供しようとする試みもなされた。現在、流通経路の変革と経費削減という住宅産業の歴史的功績を継承しながら、画一化された商品化住宅では対応できない消費者のニーズに応え、『良質で個性豊かな住宅』を提供するための次世代型住宅供給システムの創出が求められている。情報流通管理システムは一商品の大量発注を前提としない新たな共同購入システムを可能とし、次世代型住宅供給システムの創出に寄与しようとするものである。
【図面の簡単な説明】
【０４６２】
【図１】本発明の一実施形態に係る情報流通管理システムのブロック図である。
【図２】本発明の一実施形態に係る情報流通管理システムのブロック図である。
【符号の説明】
【０４６３】
１：クライアントサーバ群  ２：情報流通管理サーバ    ３：一次分散処理サーバ群
４：建築資材の生産を管理するサーバ群      ５：施工者の配置を管理するサーバ群
６：資金管理者サーバ      ７：許認可管理者サーバ     ８：現場管理者サーバ
９：別途工事施工者        11：契約申込データ        12：顧客データ
13：資金確定データ        14：資金確定顧客データ    15：建築確認許認可データ
16：確認許可顧客データ    17：性能保証手続データ    18：停止条件解除顧客データ
19：契約申込受諾データ    20：発注予定データ        21：契約申込受諾確認データ
22：成約顧客データ        23：発注顧客データ        24：追加工事データ
25：追加工事データ        26：追加資材データ        27：同時出荷の可否データ
28：追加工事データ        29：必要施工時間データ    30：必要施工時間データ
31：必要施工時間データ    32：追加工事の可否データ  33：追加工事契約
34：追加資材データ        35：追加施工データ        36：追加工事契約
37：追加工事データ        38：必要施工時間データ    39：追加工事契約
【図１】
2009122883.tif 000003
【図２】
2009122883.tif 000004